(57)【特許請求の範囲】
【請求項１】
仕切り壁によって断熱区画された貯蔵室と、前記貯蔵室内にミストを噴霧させる霧化部とを有し、前記霧化部は、電位差を発生させる電圧印加部と、前記電圧印加部に電気的に接続された霧化電極と、前記霧化電極に接続された伝熱冷却部材と、冷凍サイクルで生成した冷気を前記貯蔵室に供給するダンパとを有し、前記伝熱接続部材は金属ピンで長手方向に向かって熱伝達が行われるもので、前記伝熱接続部材を前記冷凍サイクルで生成した冷気で冷却することで間接的に前記霧化電極を露点以下に冷却し、前記霧化電極に空気中の水分を結露させて貯蔵室にミストとして噴霧するとともに前記霧化電極に付着する水量を調整する調整手段を有したもので、前記調整手段は、前記ダンパの動作と連動して前記電圧印加部をＯＮ／ＯＦＦするものとした冷蔵庫。
【請求項２】
冷蔵庫本体は複数の貯蔵室と、前記貯蔵室を冷却するための冷却器を収納する冷却室とを有し、霧化部は前記貯蔵室の冷却室側の仕切り壁に取り付けた請求項１に記載の冷蔵庫。
【請求項３】
冷蔵庫本体は複数の貯蔵室を有し、霧化部を備えた貯蔵室の天面側には前記霧化部を備えた貯蔵室よりも低温に保たれた低温貯蔵室が備えられ、前記霧化部は前記霧化部を備えた貯蔵室の天面側の仕切り壁に取り付けた請求項１または２に記載の冷蔵庫。
【請求項４】
貯蔵室と、前記貯蔵室に備えられ基準電位部にアースされた保持部材とを有し、電圧印加部は霧化電極と前記保持部材との間に電位差を発生させる請求項１から３のいずれか一項に記載の冷蔵庫。
【発明の詳細な説明】
【技術分野】
【０００１】
本発明は野菜などを収納する貯蔵室空間に霧化装置を設置した冷蔵庫に関するものである。
【背景技術】
【０００２】
野菜の鮮度低下に対する影響因子としては、温度、湿度、環境ガス、微生物、光などが挙げられる。野菜は生き物であり、野菜表面では呼吸と蒸散作用が行われ、鮮度を維持するには呼吸と蒸散作用の抑制が必要となる。低温障害をおこす一部の野菜を除き、多くの野菜は低温で呼吸が抑制され、高湿により蒸散防止できる。近年、家庭用冷蔵庫では野菜の保存を目的とし、密閉された野菜専用容器が設けられ、野菜を適正な温度に冷却するとともに、庫内を高湿化するなど野菜の蒸散を抑制するよう制御している。ここで、庫内の高湿化手段として、ミストを噴霧するものがある。
【０００３】
従来、この種のミスト噴霧機能を備えた冷蔵庫は、野菜室内が低湿時に超音波霧化装置にてミストを生成噴霧、野菜室内を加湿、野菜の蒸散を抑制しているものである（例えば、特許文献１参照）。
【０００４】
図３４は特許文献１に記載された従来の超音波霧化装置を設けた冷蔵庫を示すものである。また、図３５は超音波霧化装置の要部を示す拡大斜視図である。
【０００５】
図に示すように、野菜室２１は冷蔵庫本体２０の本体ケース２６の下部に設けられ、その前面開口は開閉自在に引き出される引出し扉２２により閉止されるようになっている。また、野菜室２１は仕切板２によりその上方の冷蔵室（図示せず）と仕切られている。
【０００６】
引出し扉２２の内面に固定ハンガ２３が固定され、この固定ハンガ２３に野菜等の食品を収納する野菜容器１が搭載されている。野菜容器１の上面開口は蓋体３により封止されるようになっている。野菜容器１の内部には解凍室４が設けられ、解凍室４には超音波霧化装置５が備えられている。
【０００７】
また、図に示すように、超音波霧化装置５には霧吹出し口６と貯水容器７と湿度センサ８とホース受け９が備えられている。貯水容器７は、ホース受け９により除霜水ホース１０に接続されている。除霜水ホース１０には、その一部に除霜水を清浄するための浄化フィルター１１が備えられている。
【０００８】
以上のように構成された冷蔵庫において、以下その動作について説明する。
【０００９】
熱交換冷却器（図示せず）より冷却された冷却空気は野菜容器１及び蓋体３の外面を流通することで、野菜容器１が冷却され、内部に収納された食品が冷やされる。また、冷蔵庫運転時に冷却器から発生する除霜水は除霜水ホース１０を通過する時に浄化フィルター１１によって浄化されて、超音波霧化装置５の貯水容器７に供給される。
【００１０】
次に湿度センサ８によって、庫内湿度が９０％以下と検知されると、超音波霧化装置５が加湿を開始し、野菜容器１内の野菜等を新鮮に保持するための適度な湿度に調湿することができる。
【００１１】
一方、湿度センサ８によって庫内湿度が９０％以上であると検知された場合、超音波霧化装置５は過度な加湿を停止する。その結果、超音波霧化装置５により、野菜室内をすばやく加湿することができ、野菜室内は常に高湿度となり、野菜等の蒸散作用が抑制され、野菜等の鮮度を保持することができる。
【００１２】
また、オゾン水ミスト装置を設けた冷蔵庫を示す（例えば、特許文献２参照）。
【００１３】
冷蔵庫は、野菜室の近傍にオゾン発生体、排気口、水道直結の水供給経路、およびオゾン水供給経路を有している。オゾン水供給経路は野菜室に導かれている。オゾン発生体は水道直結の水供給部に連結している。また、排気口はオゾン水供給経路に連結するよう構成されている。また、野菜室内には超音波素子が備えられている。オゾン発生体で発生したオゾンは水と接触させて処理水としてのオゾン水にされる。生成したオゾン水は冷蔵庫の野菜室に導かれ、超音波振動子により霧化され、野菜室に噴霧される。
【００１４】
さらに、図示はしないが、負イオン発生装置と遠心力・コリオリ力発生装置と、気液分離装置との組合せりことにより食品の鮮度を維持するものもある（例えば、特許文献３参照）。
【００１５】
遠心力・コリオリ力発生装置は、イオン解離処理と、液滴の活性化処理と、気体分子のイオン化処理を行う機構であり、空気中に水分子付加負イオンを生成し、気液分離装置は、負イオンを含む空気を液滴から分離して保存室８へ供給する。保存室８内は、常温以下で、湿度８０％以上に保たれ、負イオン１，０００個／ｃｃ以上の負イオン含有空気の雰囲気を形成して食品を保管する。
【００１６】
この高湿空気を保存室内に満たすことによって保存室内を高度に清浄、且つ無菌状態に維持でき、空気中に含まれた負イオンによる除菌，脱臭作用を利用して食品の鮮度保持，動植物の蘇生効果を得ることができる。
【特許文献１】特開平６−２５７９３３号公報
【特許文献２】特開２０００−２２０９４９号公報
【特許文献３】特開平７−１３５９４５号公報
【発明の開示】
【発明が解決しようとする課題】
【００１７】
しかしながら、上記従来の構成では、霧化装置への水の供給は、除霜水を溜めた貯水容器の水かもしくは水道水を用いているので、除霜水ホースや浄化フィルター、もしくは水道直結の水供給経路などの構成が必要であり、その構成が複雑になるという課題を有していた。
【００１８】
また、略密閉された低温空間である冷蔵庫の貯蔵室にミストを噴霧する際には、噴霧量の過多による貯蔵室内の過剰結露や渇水状態での噴霧による不具合を防ぐ為に、ムラがなく安定した噴霧を実現する必要があるが、上記従来の構成では、庫内を高湿にする目的でミストを噴霧しているが、霧化量の調整ができず、過剰噴霧によって庫内に水溜まりが発生する可能性があり、また野菜等の収納物が水腐れなどを発生する可能性があるという課題を有していた。
【００１９】
本発明は、適切な量のミスト噴霧を行うことを目的とする。
【課題を解決するための手段】
【００２０】
上記従来の課題を解決するために、本発明の冷蔵庫は、仕切り壁によって断熱区画された貯蔵室と、前記貯蔵室内にミストを噴霧させる霧化部とを有し、前記霧化部は、電位差
を発生させる電圧印加部と、前記電圧印加部に電気的に接続された霧化電極と、前記霧化電極に接続された伝熱冷却部材と、冷凍サイクルで生成した冷気を前記貯蔵室に供給するダンパとを有し、前記伝熱接続部材は金属ピンで長手方向に向かって熱伝達が行われるもので、前記伝熱接続部材を前記冷凍サイクルで生成した冷気で冷却することで間接的に前記霧化電極を露点以下に冷却し、前記霧化電極に空気中の水分を結露させて貯蔵室にミストとして噴霧するとともに前記霧化電極に付着する水量を調整する調整手段を有したもので、前記調整手段は、前記ダンパの動作と連動して前記電圧印加部をＯＮ／ＯＦＦするものとしたものである。
【００２１】
このように、霧化先端部が過剰に結露することを防止するための水量を調節する調整手段を備えたことにより、霧化電極に結露する液滴の大きさもしくは量を調整することができるので、結露状態が安定し、安定的にミスト噴霧を行うことができるとともに霧化先端部の過剰結露を防止し、霧化部の信頼性を向上させることができる。
【発明の効果】
【００２２】
本発明の冷蔵庫は、安定的にミスト噴霧を行うことができるとともに霧化先端部の過剰結露を防止し、霧化部の信頼性を向上させることができるので、より保鮮性を向上させた使い勝手のよい冷蔵庫を提供することができる。
【発明を実施するための最良の形態】
【００２３】
請求項１に記載の発明は、仕切り壁によって断熱区画された貯蔵室と、前記貯蔵室内にミストを噴霧させる霧化部とを有し、前記霧化部は、電位差を発生させる電圧印加部と、前記電圧印加部に電気的に接続された霧化電極と、前記霧化電極に接続された伝熱冷却部材と、冷凍サイクルで生成した冷気を前記貯蔵室に供給するダンパとを有し、前記伝熱接続部材は金属ピンで長手方向に向かって熱伝達が行われるもので、前記伝熱接続部材を前記冷凍サイクルで生成した冷気で冷却することで間接的に前記霧化電極を露点以下に冷却し、前記霧化電極に空気中の水分を結露させて貯蔵室にミストとして噴霧するとともに前記霧化電極に付着する水量を調整する調整手段を有したもので、前記調整手段は、前記ダンパの動作と連動して前記電圧印加部をＯＮ／ＯＦＦするものとした冷蔵庫である。
【００２４】
このように、霧化先端部が過剰に結露することを防止するための水量を調節する調整手段を備えたことにより、霧化電極に結露する液滴の大きさもしくは量を調整することができるので、結露状態が安定し、安定的にミスト噴霧を行うことができるとともに霧化先端部の過剰結露を防止し、霧化部の信頼性を向上させることができる。
【００２５】
また、これによって、ミスト噴霧用の水を供給するための除霜水ホースや浄化フィルター、もしくは専用タンクと水搬送手段とその経路、さらに水道直結の水供給経路などの複雑な構成を要することなく、簡単な構成で霧化させる水量を調整することができる。
【００２６】
また、貯蔵室内の余剰な水蒸気から容易に、確実に霧化電極に結露させ、また、その水量を調整することができ、微細ミストが生成され、噴霧された微細ミストが野菜等の青果物の表面に均一に付着し、青果物からの蒸散を抑制し、保鮮性を向上させることができる。また、青果物表面の細胞間隙や気孔等から、組織内に浸透し、萎んだ細胞内に水分が供給され、シャキッとした状態に復帰させることができる。
【００２７】
また、霧化電極に接続された伝熱接続部材を有し、調節手段によって前記伝熱接続部材を冷却または加熱することで間接的に前記霧化電極の温度調整を行うものである。
【００２８】
これによって、霧化先端部を直接冷却することなく、伝熱接続部材を冷却することで間接的に霧化電極を冷却することができ、伝熱接続部材が霧化先端部よりも大きな熱容量を有することで、調整手段の温度変化が霧化電極に直接的に大きな影響を与えることを緩和し、霧化先端部の温度を調整することができ、霧化先端部の負荷変動を抑え、安定した噴霧量のミスト噴霧を実現することができる。
【００３４】
請求項２に記載の発明は、請求項１に記載の発明に加え、冷蔵庫本体は複数の貯蔵室と、前記貯蔵室を冷却するための冷却器を収納する冷却室とを有し、霧化部は前記貯蔵室の冷却室側の仕切り壁に取り付けたものである。
【００３５】
これによって、冷蔵庫の冷凍サイクルで生成された冷却源を用いて冷却される冷気の中でも最も低温となる冷却室の冷気もしくは冷気からの熱伝達を利用したパイプ等の部材を冷却手段とすることができる。このように簡単な構造で冷却手段を構成することができるので、故障が少なく信頼性が高い霧化部を実現することができる。また、冷凍サイクルの冷却源を利用して伝熱接続部材および霧化電極の冷却を行うことができるので、より省エネルギで霧化を行うことができる。
【００３６】
また、霧化部を仕切り壁に取り付けたことにより、霧化部が貯蔵室内に大きく出張らず間隙を有効に利用する位置に設置することで収納容積を減少することがなく、また、奥面に取り付けられていることで容易に人の手に触れることができないので安全性も向上する。
【００３７】
請求項３に記載の発明は、請求項１または２に記載の発明に加え、冷蔵庫本体は複数の貯蔵室を有し、霧化部を備えた貯蔵室の天面側には前記霧化部を備えた貯蔵室よりも低温に保たれた低温貯蔵室が備えられ、前記霧化部は前記霧化部を備えた貯蔵室の天面側の仕切り壁に取り付けたものである。
【００３８】
これによって、冷凍室や製氷室のような冷凍温度帯の貯蔵室が上部にある場合、それらを仕切る天面の仕切り壁に設置され、その冷却源で霧化部の伝熱接続部材を介して霧化電極を冷却し、結露させることができるので、特別な冷却装置が不必要で、簡単な構成で霧化部を備えることができるので、故障が少なく信頼性が高い霧化部を実現することができる。
【００３９】
また、天面から噴霧できるので収納容器全体に拡散しやすく、また、人の手にも触れにくいので安全性が向上させることができる。
【００６０】
請求項４に記載の発明は、請求項１から３のいずれか一項に記載の発明に加え、貯蔵室と、前記貯蔵室に備えられ基準電位部にアースされた保持部材とを有し、電圧印加部は霧化電極と前記保持部材との間に電位差を発生させるものである。
【００６１】
これにより、特に対向電極を持たなくても、貯蔵室側の一部にアースされた保持部材を備えることで、霧化電極と電位差を発生させて、ミスト噴霧を行うことができ、より簡単な構成で安定的な電界が構成されることにより安定的に霧化部から噴霧できる。
【００６２】
また、収納容器側に保持部材を取り付けると、収納容器全体が基準電位になっているので噴霧されるミストが収納容器全体に拡散することができる。さらに、周辺の物体への帯電も防止することができる。
【００６３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００６４】
（実施の形態１）
図１は、本発明の実施の形態１における冷蔵庫の縦断面図である。図２は、本発明の実施の形態１における冷蔵庫の野菜室近傍の正面図である。図３は、図２のＡ−Ａ部の静電霧化装置近傍の詳細断面図である。図４は、本発明の実施の形態１における霧化電極の温度挙動と霧化状態を示す放電電流モニター電圧値を示した実験結果を示す図である。図５は、本発明の実施の形態１における霧化電極温度と霧化電極近傍湿度の相関から求められた結露適正範囲を示した実験結果を示す図である。図６は、本発明の実施の形態１における機能ブロック図の一例を示す図である。図７は、本発明の実施の形態１における制御フロー図の一例を示す図である。
【００６５】
図において、冷蔵庫１００の断熱箱体１０１は主に鋼板を用いた外箱１０２とＡＢＳなどの樹脂で成型された内箱１０３で構成され、その内部には例えば硬質発泡ウレタンなどの発泡断熱材が充填されている。これにより、貯蔵室を断熱するのと同時に、複数の貯蔵室に区分されている。冷蔵庫１００の最上部には第一の貯蔵室としての冷蔵室１０４、その冷蔵室１０４の下部に第四の貯蔵室としての切換室１０５と第五の貯蔵室としての製氷室１０６が横並びに設けられ、その切換室１０５と製氷室１０６の下部に第二の貯蔵室としての野菜室１０７、そして最下部に第三の貯蔵室としての冷凍室１０８が構成されている。
【００６６】
冷蔵室１０４は冷蔵保存のために凍らない温度を下限に通常１℃〜５℃とし、野菜室１０７は冷蔵室１０４と同等もしくは若干高い温度設定の２℃〜７℃としている。冷凍室１０８は冷凍温度帯に設定されており、冷凍保存のために通常−２２℃〜−１５℃で設定されているが、冷凍保存状態の向上のために、例えば−３０℃や−２５℃の低温で設定されることもある。切換室１０５は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。切換室１０５は製氷室１０６に並設された独立扉を備えた貯蔵室であり、引出し式の扉を備えることが多い。なお、本実施の形態では切換室１０５を冷蔵，冷凍の温度帯までを含めた貯蔵室としているが、冷蔵は冷蔵室１０４，野菜室１０７、冷凍は冷凍室１０８に委ねて、冷蔵と冷凍の中間の上記温度帯のみの切り換えに特化した貯蔵室としても構わない。また、特定の温度帯に固定された貯蔵室でもかまわない。製氷室１０６は、冷蔵室１０４内の貯水タンク（図示せず）から送られた水で室内上部に設けられた自動製氷機（図示せず）で氷を作り、室内下部に配置した貯氷容器（図示せず）に貯蔵する。
【００６７】
断熱箱体１０１の天面部は冷蔵庫の背面方向に向かって階段状に凹みを設けた形状であり、この階段状の凹部に機械室を形成して圧縮機１０９、水分除去を行うドライヤ（図示せず）等の冷凍サイクルの高圧側構成部品が収容されている。すなわち、圧縮機１０９を配設する機械室は、冷蔵室１０４内の最上部の後方領域に食い込んで形成されることになる。手が届きにくくデッドスペースとなっていた断熱箱体１０１の最上部の貯蔵室後方領域に機械室を設けて圧縮機１０９を配置することにより、従来の冷蔵庫で、使用者が使いやすい断熱箱体１０１の最下部にあった機械室のスペースを貯蔵室容量として有効に転化することができ、収納性や使い勝手を大きく改善することができる。なお、本実施の形態における、以下に述べる発明の要部に関する事項は、従来一般的であった断熱箱体１０１の最下部の貯蔵室後方領域に機械室を設けて圧縮機１０９を配置するタイプの冷蔵庫に適用しても構わない。
【００６８】
野菜室１０７と冷凍室１０８の背面には冷気を生成する冷却室１１０が設けられ、その間には、断熱性を有する各室への冷気の搬送風路１４１と、各貯蔵室を断熱区画するための断熱材１５２とで構成された奥面仕切り壁１１１が備えられている。風路１４１と冷却室仕切り板４０１によって区画された冷却室１１０内には、冷却器１１２が配設されており、冷却器１１２の上部空間には強制対流方式により冷却器１１２で生成した冷気を冷蔵室１０４、切換室１０５、製氷室１０６、野菜室１０７、冷凍室１０８に送風する冷却ファン１１３が配置され、冷却器１１２の下部空間には冷却時に冷却器１１２やその周辺に付着する霜や氷を除霜するためのガラス管製のラジアントヒータ１１４が設けられ、さらにその下部には除霜時に生じる除霜水を受けるためのドレンパン１１５、その最深部から庫外に貫通したドレンチューブ１１６が構成され、その下流側の庫外に蒸発皿１１７が構成されている。
【００６９】
野菜室１０７には、野菜室１０７の引出し扉１１８に取り付けられたフレームに載置された下段収納容器１１９と、下段収納容器１１９に載置された上段収納容器１２０が配置されている。
【００７０】
引出し扉１１８が閉ざされた状態で主に上段収納容器１２０を略密閉するための蓋体１２２が野菜室上部の第一の仕切り壁１２３及び内箱１０３に保持されている。引出し扉１１８が閉ざされた状態で蓋体１２２と上段収納容器１２０の上面の左右辺、奥辺が密接し、上面の前辺は略密接している。さらに、上段収納容器１２０の背面の左右下辺と下段収納容器１１９の境界部は、上段収納容器１２０が稼働する上で接触しない範囲で食品収納部の湿気が逃げないよう隙を詰めている。
【００７１】
蓋体１２２と第一の仕切り壁１２３の間には、奥面仕切り壁１１１に構成された野菜室用吐出口１２４から吐出された冷気の風路が設けられている。また、下段収納容器１１９と第二の仕切り壁１２５との間にも空間が設けられ冷気風路を構成している。野菜室１０７の背面側に位置する奥面仕切り壁１１１の下部には、野菜室１０７内を冷却し熱交換された冷気が冷却器１１２に戻るための野菜室用吸込口１２６が設けられている。
【００７２】
なお、本実施の形態における、以下に述べる発明の要部に関する事項は、従来一般的であった扉に取り付けられたフレームと内箱に設けられたレールにより開閉するタイプの冷蔵庫に適用しても構わない。また、蓋体１２２、野菜室吐出口、吸い込み口、風路構成については、収納容器の形態によりそれらは最適化される。
【００７３】
奥面仕切り壁１１１は、主にＡＢＳなどの樹脂を用いた奥面仕切り壁表面１５１と発泡スチロールなどを用いて風路１４１野菜室１０７の間を隔離、断熱性を確保する断熱材１５２とで構成されている。また、各室へ冷気を循環するための風路１４１と、冷却室１１０との間を隔離する冷却室仕切り板４０１を備えている。ここで、奥面仕切り壁１１１の貯蔵室内側の壁面の一部に他の箇所より低温になるように凹部１１１ａを設け、その箇所に霧化装置である静電霧化装置１３１が設置されている。
【００７４】
霧化装置である静電霧化装置１３１は主に霧化部１３９、電圧印加部１３３、外郭ケース１３７で構成され、外郭ケース１３７の一部には、噴霧口１３２と湿度供給口１３８が構成されている。霧化部１３９は、霧化先端部である霧化電極１３５が設置され、霧化電極１３５はアルミニウムやステンレス、真鍮などの良熱伝導部材からなる伝熱接続部材である金属ピン１３４に固定され、電気的にも電圧印加部から配線されている一端を含めて接続している。
【００７５】
この伝熱接続部材である金属ピン１３４は霧化電極１３５に比べて５０倍以上好ましくは１００倍以上の大きな熱容量を有するものであり、例えば、アルミや銅などの高熱伝導部材が好ましく、金属ピン１３４の一端からもう一端に冷熱を熱伝導で効率よく伝導させるため、その周囲は断熱部材で覆われていることが望ましい。
【００７６】
また、長期的に霧化電極１３５と金属ピン１３４の熱伝導の維持も必要であるので、接続部に湿度等の侵入を防止するためにエポキシ部材などを流しこみ、熱抵抗を抑え、さらに、霧化電極１３５と金属ピン１３４を固定する。また、熱抵抗を低下させるために霧化電極１３５を金属ピン１３４に圧入等により固定してもよい。
【００７７】
さらに、金属ピン１３４は、貯蔵室と冷却器１１２もしくは風路を断熱するための断熱材内で冷温を熱伝導させる必要があるので、その長さは５ｍｍ以上好ましくは１０ｍｍ以上確保することが望ましい。ただし、その長さを３０ｍｍ以上にした場合は、その効果は低下する。
【００７８】
なお、貯蔵室に設置された静電霧化装置１３１が高湿環境下にあり、その湿度が金属ピン１３４に影響する可能性があるので、金属ピン１３４は耐腐食性、耐錆性の性能を持った金属材料、もしくはアルマイト処理などの表面処理、コーティングを行った材料を選択したほうが好ましい。
【００７９】
金属ピン１３４は外郭ケース１３７に固定され、金属ピン１３４自体は外郭ケース１３７から突起して構成されている。また、霧化電極１３５に対向している位置で貯蔵室側にドーナツ円盤状の対向電極１３６が、霧化電極１３５の先端と一定距離を保つように取付けられ、その延長上に噴霧口１３２が構成されている。
【００８０】
霧化電極１３５近傍では、ミスト噴霧のため、常に放電が起こるため、霧化電極１３５先端では、磨耗を生じる可能性がある。冷蔵庫１００は、１０年以上運転することになるので、霧化電極１３５の表面は、強靭な表面処理が必要であり、例えば、ニッケルメッキ、および金メッキや白金メッキを用いることが望ましい。
【００８１】
さらに、霧化部１３９の近傍に電圧印加部１３３が構成され、高電圧を発生する電圧印加部１３３の負電位側が霧化電極１３５と、正電位側が対向電極１３６とそれぞれ電気的に接続されている。
【００８２】
対向電極１３６は、例えば、ステンレスで構成されていて、また、その長期信頼性を確保する必要があり、特に異物付着防止、汚れ防止するため、例えば白金メッキなどの表面処理をすることが望ましい。
【００８３】
電圧印加部１３３は、冷蔵庫本体の制御手段１４６と通信、制御され、冷蔵庫１００もしくは静電霧化装置１３１からの入力信号で高圧のＯＮ／ＯＦＦを行う。
【００８４】
さらに、静電霧化装置１３１を固定している奥面仕切り壁表面１５１と断熱材１５２の間には、貯蔵室の温度調節をする、もしくは表面の結露を防止するための仕切り壁ヒータ１５４が設置されている。さらに静電霧化装置１３１に備えられた伝熱接続部材である金属ピン１３４の温度調整と、霧化先端部である霧化電極１３５を含めた周辺部の過剰結露を防止するための金属ピンヒータ１５８が霧化部１３９近傍に設置されている。
【００８５】
この伝熱接続部材である金属ピン１３４が外郭ケース１３７に固定され、金属ピン１３４自体は外郭から突起した凸部１３４ａを有して構成されている。この金属ピン１３４は霧化電極１３５と逆側に凸部１３４ａを有する形状で、凸部１３４ａが奥面仕切り壁１１１の凹部１１１ａよりもさらに深い最深凹部１１１ｂに嵌めあわされている。
【００８６】
よって、伝熱接続部材である金属ピン１３４の背面側には凹部１１１ａよりもさらに深い最深凹部１１１ｂが備えられており、すなわち冷却室１１０側は断熱材１５２が野菜室１０７の背面側の仕切り壁における他の部分よりも薄くなっており、この薄い断熱材１５２を熱緩和部材として、背面から冷却室１１０の冷気もしくは暖気が熱緩和部材である断熱材１５２を介して金属ピン１３４を冷却するように設置されている。
【００８７】
また、伝熱接続部材である金属ピン１３４の冷却は、冷却室１１０で生成された冷気を用いており、金属ピン１３４は熱伝導性のよい金属片で形成したので、冷却手段は、冷却器１１２で生成された冷気が流れる風路からの熱伝導だけで必要な冷却を行うことができる。
【００８８】
このように簡単な構造で調整手段を構成することができるので、故障が少なく信頼性が高い霧化部を実現することができる。また、冷凍サイクルの冷却源を利用して伝熱接続部材および霧化電極の冷却を行うことができるので、省エネルギで霧化を行うことができる。
【００８９】
また、この時、本実施の形態の伝熱接続部材である金属ピン１３４は霧化電極と逆側に凸部１３４ａを有する形状をしているので、霧化部の中で凸部１３４ａ側の端部１３４ｂが冷却手段に最も近接する為、金属ピン１３４の中でも霧化電極１３５から最も遠い端部１３４ｂ側から調整手段によって冷却されることとなる。
【００９０】
また、このように断熱材１５２は熱緩和部材として金属ピン１３４の少なくとも冷却手段側を覆っているが、好ましくは金属ピンの凸部１３４ａの表面全体をほぼ覆うことが望ましく、この場合には金属ピン１３４の長手方向と直交する横方向のからの熱侵入が少なくなり、凸部１３４ａ側の端部１３４ｂ側から長手方向に向かって熱伝達が行われる為、金属ピン１３４の中でも霧化電極１３５から最も遠い端部１３４ｂ側から調整手段によって冷却されることとなる。
【００９１】
以上のように構成された冷蔵庫について、以下その動作、作用を説明する。
【００９２】
まず、冷凍サイクルの動作について説明する。庫内の設定された温度に応じて制御手段からの信号により冷凍サイクルが動作して冷却運転が行われる。圧縮機１０９の動作により吐出された高温高圧の冷媒は、凝縮器（図示せず）である程度凝縮液化し、さらに冷蔵庫本体の側面や背面、また冷蔵庫本体の前面間口に配設された冷媒配管（図示せず）などを経由し冷蔵庫本体の結露を防止しながら凝縮液化し、キャピラリ（図示せず）に至る。その後、キャピラリでは圧縮機１０９への吸入管（図示せず）と熱交換しながら減圧されて低温低圧の液冷媒となって冷却器１１２に至る。ここで、低温低圧の液冷媒は、冷却ファン１１３の動作により各貯蔵室内の空気と熱交換され、冷却器１１２内の冷媒は蒸発気化する。この時、冷却室１１０で各貯蔵室を冷却するための冷気を生成する。低温冷気は冷却ファン１１３から冷蔵室１０４、切替室１０５、製氷室１０６、野菜室１０７、冷凍室１０８に冷気を風路やダンパを用いて分流させ、それぞれの目的温度帯に冷却する。特に、野菜室１０７は、冷蔵室１０４を冷却した後、その空気を冷却器１１２に循環させるための冷蔵室戻り風路の途中に構成された野菜室用吐出口１２４から野菜室１０７に吐出し、上段収納容器１２０や下段収納容器１１９の外周に流し間接的に冷却し、その後、野菜室用吸込口１２６から再び冷却器１１２に戻る循環風路になっている。また、野菜室１０７の温度制御については、冷気の配分や仕切り壁に備えられた仕切り壁ヒータ１５４などのＯＮ／ＯＦＦ運転で行っており、これらの制御により２℃から７℃になるように調整されている。なお、一般的には庫内温度検知手段をもたないものが多い。
【００９３】
野菜室１０７の奥面に設置されている奥面仕切り壁１１１には、凹部が構成され、この箇所に静電霧化装置１３１が取り付けられている。ここで、霧化部１３９である金属ピン１３４の後方は最深凹部１１１ｂがあり、断熱材の厚みは例えば２ｍｍ〜１０ｍｍ程度で構成され、他の箇所より低温状態になる。本実施の形態の冷蔵庫においては、この程度の厚みが金属ピンと調整手段との間に位置する熱緩和部材としての適切なものとなる。これにより、奥面仕切り壁１１１は凹部１１１ａが構成され、この箇所の最背面の最深凹部１１１ｂに金属ピン１３４の凸部１３４ａが突出した形状の静電霧化装置１３１が嵌めこまれて、取り付けられている。
【００９４】
金属ピン１３４背面の冷凍室吐出風路１４１には、冷凍サイクルの運転により冷却器１１２で冷気が生成され、冷却ファン１１３により−１５〜−２５℃程度の冷気が吐出、風路表面から熱伝導で金属ピン１３４が０〜−６℃程度に冷却される。このとき、金属ピン１３４は、良熱伝導部材であるため、冷熱を非常に伝えやすく、金属ピン１３４に固定された霧化電極１３５も金属ピン１３４を介して０〜−６℃程度に冷却される。
【００９５】
ここで、野菜室は２℃から７℃で、かつ野菜などからの蒸散により比較的高湿状態を保持するので、霧化先端部である霧化電極１３５は露点以下となり、先端を含め、霧化電極１３５には水が生成し、水滴が付着する。
【００９６】
水滴が付着した霧化電極１３５に負電圧、対向電極１３６を正電圧側として、電圧印加部１３３によりこの電極間に高電圧（例えば４〜１０ｋＶ）を印加させる。このとき電極間でコロナ放電が起こり、霧化電極１３５の先端の水滴が、静電エネルギにより微細化され、さらに液滴が帯電しているためレイリー分裂により数ｎｍレベルの目視できない電荷をもったナノレベルの微細ミストと、それに付随してオゾンやＯＨラジカルなどが発生する。なお、電極間に印加する電圧は、４〜１０ｋＶと非常に高電圧であるが、そのときの放電電流値は数μＡ、入力としては０．５〜１．５Ｗと非常に低入力であるため庫内温度への影響は微小である。
【００９７】
具体的には、霧化電極１３５を基準電位側（０Ｖ）、対向電極１３６を高電圧側（＋７ｋＶ）とすると霧化電極１３５先端に付着した結露水により、対向電極１３６の距離が接近し、これにより空気絶縁層が破壊され、放電が開始する。このとき結露水は帯電し、また、液滴表面において、表面に発生した静電気力は表面張力を超え、微細な粒子が発生する。さらに対向電極１３６がプラス側のため、帯電した微細ミストは引き寄せられ、微細粒子がさらにレイリー分裂により超微粒化され、ラジカルを含んだ数ｎｍレベルの目視できない電荷をもったナノレベルの微細ミストが対向電極１３６に引き寄せられ、その慣性力により、貯蔵室に向けて、微細ミストが噴霧される。
【００９８】
上記における実験結果を図４および、図５に示す。
【００９９】
図４の横軸は時間、縦軸は放電電流モニター電圧値を示しており、放電電流モニター電圧値は、電極間に電流が流れる、つまり、放電現象がおき、微細ミストが発生したときのみ電圧値が下がるように設定され、出力されている。
【０１００】
冷蔵庫１００において、冷却器１１２の温度が下がり始める、つまり冷凍サイクルの運転が開始したとき、野菜室１０７の冷却も開始する。このとき、野菜室１０７にも冷気が流れるため、乾燥状態となり、霧化電極１３５も乾燥する傾向にある。
【０１０１】
次に冷蔵室ダンパ（図示せず）が閉じると冷蔵室吐出空気温度が上昇し、冷蔵室１０４や野菜室１０７の温度、湿度は上昇する。このとき、冷凍室吐出冷気温度は次第に低下するので、金属ピン１３４はさらに冷却され、高湿環境に推移した野菜室１０７に設置された霧化部１３９の霧化電極１３５は結露しやすくなる。そして、霧化電極１３５先端で液滴が成長し、液滴先端と対向電極１３６間の距離がある一定距離になると空気絶縁層が破壊され、放電現象が開始し、霧化電極１３５先端より微細ミストが噴霧される。このとき、電極間に微小電流が流れるため図に示す波形のように放電電流モニター電圧値が下がる。その後、圧縮機１０９が停止、冷却ファン１１３が停止し、金属ピン１３４の温度は上昇するものの霧化部１３９雰囲気は引き続き高湿なため霧化は継続する。
【０１０２】
ところが、冷却器１１２についた霜、氷を融解し、除去する除霜時には、冷却器１１２の温度が０℃を超える。このとき、静電霧化装置背面の冷凍室吐出風路の温度も上昇し、この温度上昇に伴って金属ピン１３４も加温され、霧化電極１３５の温度も上昇し、先端に付着した結露水は、蒸発し、霧化電極が乾燥する。
【０１０３】
また、除霜ヒータは、冷却器の温度がある程度上がるとともに切れるという特性を有しているため、電極および伝熱接続部材の温度が上がりすぎることなく、適切な範囲で確実に電極および伝熱接続部材を昇温できるという効果を有する。
【０１０４】
なお、本実施の形態では加熱手段は除霜ヒータのみでなく金属ピンヒータ１５８を備えるものとしたが、金属ピンヒータ１５８を備えずに除霜ヒータのみで調整手段の加熱手段を構成してもよく、過剰結露が生じた場合でも、このように冷却器の除霜時のタイミングと合わせて伝熱接続部材を介して霧化先端部である霧化電極が加熱されることで特別な構成を有することなく簡単に過剰な水滴を除去することが可能となる。このように、調整手段として特別なヒータを用いることなく、冷凍サイクル中に備えられている除霜ヒータを用いることで、特別な装置および電力を必要としないので、省材料でかつ省エネルギでのミスト噴霧を実現することができる。また、冷却器の除霜時に対応でき、さらに信頼性を向上させている。
【０１０５】
冷蔵庫１００の実使用状態を考慮したとき、使用される環境、開閉動作、食品収納状態により、野菜室１０７の湿度状況、加湿量は変化するので霧化先端部である霧化電極１３５に結露する量が過剰になることも想定でき、場合によれば、霧化電極１３５全体を覆うほどの液滴になり、放電による静電気力が表面張力を勝ることができず、霧化できない。よって、冷蔵室ダンパが開動作のとき、冷気による除湿に加え、加熱手段である金属ピンヒータ１５８を通電することにより霧化電極１３５を加熱する。これにより、付着している水滴の蒸発を促進させ、過剰結露を防止し、継続的・安定的に霧化を行うことができる。また、過剰結露により、液滴が成長し、奥面仕切り壁１１１などの水たれによる品質劣化を防止することもできる。
【０１０６】
このように霧化電極１３５は、冷蔵庫１００の冷凍サイクルを利用して、図５に示すように結露と乾燥を繰り返し、噴霧を断続的に行う。これにより霧化電極先端の水量を調整し、過剰結露の防止を行い、継続的な霧化を実現している。
【０１０７】
このように霧化電極１３５を直接冷却もしくは加熱することなく、伝熱接続部材である金属ピン１３４を冷却もしくは加熱することで間接的に霧化電極１３５の温度調節をすることができ、伝熱接続部材１３４が霧化電極１３５よりも大きな熱容量を有することで、調節手段の温度変化が霧化電極に直接的に大きな影響を与えることを緩和し、霧化電極の温度を調整することができ、霧化電極の負荷変動を抑え、安定した噴霧量のミスト噴霧を実現することができる。
【０１０８】
また、霧化電極１３５に対向する位置に配された対向電極１３６を備え、霧化電極１３５と対向電極１３６間に高圧電位差を発生させる電圧印加部１３３を有することで、霧化電極１３５近傍の電界が安定に構築できることによって微粒化現象、噴霧方向が定まり、収納容器内に噴霧する微細ミストの精度をより高めることができ、霧化部１３９の精度を向上させることができ、信頼性の高い静電霧化装置１３１置を提供することができる。
【０１０９】
さらに、伝熱接続部材である金属ピン１３４は熱緩和部材を介して冷却もしくは加温されるので、上記のように霧化電極１３５を金属ピン１３４で間接的に温度を変化させるものにさらに、熱緩和部材である断熱材１５２を介して二重構造で間接的に温度を変化させることができ、霧化電極１３５が極度に冷却もしくは加温されることを防ぐことができる。霧化電極１３５が極度に冷却されると、それに伴い結露量が多大となり霧化部１３９の負荷の増大による静電霧化装置１３１への入力の増大および霧化部１３９の霧化不良が懸念されるが、こういった霧化部１３９の負荷増大による不具合を防ぐことができ、適切な結露量を確保することができ、低入力で安定的なミスト噴霧を実現することができる。
【０１１０】
また、霧化電極１３５が極度に加熱されると、電圧印加部および霧化部周辺の貯蔵室温度が急激に上がり、電気部品の故障や収納物の温度上昇による冷却不良等の不具合が発生するが、こういった霧化部１３９の温度上昇による不具合を防ぐことができ、適切な結露量を確保することができ、低入力で安定的なミスト噴霧を実現することができる。
【０１１１】
また、霧化電極１３５を伝熱接続部材と熱緩和部材とを介して二重構造で間接的に温度調節することで、調節手段の温度変化が霧化電極に直接的に大きな影響を与えることをさらに緩和することができるので、霧化電極の負荷変動を抑え、安定した噴霧量のミスト噴霧を実現することができる。
【０１１２】
また、伝熱接続部材である金属ピン１３４の温度調節は、冷却室１１０で生成された冷気を用いており、金属ピン１３４は熱伝導性のよい金属片で形成したので、温度調節手段は、冷却器１１２で生成された冷気が流れる風路からの熱伝導だけで必要な冷却を行うことができる。
【０１１３】
また、この時、本実施の形態の伝熱接続部材である金属ピン１３４は霧化電極と逆側に凸部１３４ａを有する形状をしているので、霧化部の中で凸部１３４ａ側の端部１３４ｂが冷却手段に最も近接する為、金属ピン１３４の中でも霧化電極１３５から最も遠い端部１３４ｂ側から冷却手段である冷気によって冷却されることとなる。
【０１１４】
また、伝熱接続部材である金属ピン１３４の冷却は、冷却室１１０で生成された冷気を用いており、金属ピン１３４は熱伝導性のよい金属片で形成したので、冷却手段は、冷却器１１２で生成された冷気が流れる風路からの熱伝導だけで必要な冷却を行うことができる。
【０１１５】
このように簡単な構造で冷却手段を構成することができるので、故障が少なく信頼性が高い霧化部を実現することができる。また、冷凍サイクルの冷却源を利用して伝熱接続部材である金属ピン１３４および霧化先端部である霧化電極１３５の冷却を行うことができるので、省エネルギで霧化を行うことができる。
【０１１６】
また、この時、本実施の形態の霧化部においては、伝熱接続部材である金属ピン１３４によって霧化電極１３５と逆側に凸部１３４ａを有する形状をしているので、霧化部の中で凸部１３４ａ側の端部１３４ｂが冷却手段に最も近接する為、金属ピン１３４の中でも霧化電極１３５から最も遠い端部１３４ｂ側から冷却手段である冷気によって冷却されることとなる。
【０１１７】
このように調整手段である冷却手段を金属ピン１３４の中でも霧化電極１３５から最も遠い端部１３４ｂ側に配置することで、調整手段である冷却手段の温度変化が霧化電極１３５に直接的に大きな影響を与えることをさらに緩和し、より変動負荷の小さく安定的なミスト噴霧を実現することができ安定して霧化電極の温度調節を行うことが可能となる。
【０１１８】
また、霧化部が取り付けられている奥面仕切り壁１１１は、貯蔵室側の一部に凹部１１１ａがあり、この凹部１１１ａよりもさらに深い最深凹部１１１ｂに凸部１３４ａを有した霧化部が挿入されることによって、熱緩和部材として貯蔵室の仕切り壁を構成する断熱材１５２を用いることができ、特別な熱緩和部材を備えることなく断熱材の厚みを調整することで霧化電極が適度に冷却されるような熱緩和部材を備えることができ、霧化部１３９をより簡単な構成にすることができる。
【０１１９】
また、凹部１１１ａに霧化部１３９および最深凹部１１１ｂに凸部１３４ａを有する金属ピン１３４を挿入することで、二段の凹部で霧化部をガタツキなく確実に仕切り壁に取り付けることができると共に、貯蔵室である野菜室１０７側への出っ張りを抑えることができ、人の手にも触れにくいので安全性を向上させることができる。
【０１２０】
また、貯蔵室である野菜室１０７の奥面仕切り壁１１１を挟んだ外側に霧化部１３９が出っ張らないので、風路面積に影響を与えず、風路抵抗を増加させることによる冷却量の低下を防ぐことができる。
【０１２１】
また、野菜室１０７の一部に凹部があり、そこに霧化部１３９が挿入されていることにより、青果物や食品などを収納する収納量に影響することがなく、また、伝熱接続部材を確実に冷やすとともに、それ以外の部分については、断熱性が確保できる壁厚が確保できるのでケース内の結露を防止することができ、信頼性を向上することができる。
【０１２２】
また、伝熱接続部材である金属ピン１３４は、ある程度の熱容量を確保できているので冷却風路からの熱伝導の応答を緩和することができるので、霧化電極の温度変動を抑制することができ、また蓄冷部材としての働きを有することになるので、霧化電極の結露発生の時間を確保し、凍結も防止することができる。さらに、良熱伝導性の金属ピン１３４と断熱材を組み合わせることにより損失なく良好に冷熱を伝導することができ、さらに金属ピン１３４と霧化電極１３５の接合部の熱抵抗を抑えているので霧化電極１３５と金属ピン１３４の温度変動が良好に追従する。また、接合に関しても湿度が侵入することができないので、長期的に熱接合性が維持される。
【０１２３】
また、貯蔵室が高湿環境下にあり、その湿度が金属ピン１３４に影響する可能性があるので、金属ピン１３４は耐腐食性、耐錆性の性能を持った金属材料、もしくはアルマイト処理などの表面処理、コーティングを行っているので、さび等が発生せず、表面熱抵抗の増加が抑制され、安定した熱伝導が確保できる。
【０１２４】
さらに、霧化電極１３５表面がニッケルメッキや金メッキや白金メッキを用いているので、霧化電極先端の放電による磨耗が抑制され、これにより、霧化電極１３５先端の形状が維持できるので、長期に噴霧することが可能となり、また、その先端の液滴形状も安定する。
【０１２５】
なお、霧化電極１３５から微細ミストが噴霧されるとき、イオン風が発生する。このとき、湿度供給口１３８より、新たに高湿な空気が霧化部１３９に流入するため、連続して噴霧することができる。
【０１２６】
発生した微細ミストは、下段収納容器１１９内に噴霧されるが非常に小さい微粒子のため拡散性が強く、上段収納容器１２０にも微細ミストは到達する。噴霧される微細ミストは、高圧放電で生成されたため、マイナスの電荷を帯びている。野菜室１０７内には青果物である野菜の中でも緑の菜っ葉ものや果物等も保存されており、これらの青果物は蒸散あるいは保存中の蒸散によってより萎れやすいものである。野菜室内に保存されている野菜や果物の中には、通常、購入帰路時での蒸散あるいは保存中の蒸散によってやや萎れかけた状態のものが含まれており、プラスの電荷をもつ。よって、霧化されたミストは、野菜の表面に集まりやすく、これにより保鮮性が向上する。
【０１２７】
また、野菜表面に付着したナノレベルの微細ミストは、ＯＨラジカルなどのラジカルと微量ではあるがオゾンなどを多く含んでおり、殺菌、抗菌、除菌などに効果がある。さらに、酸化分解による農薬除去や抗酸化によるビタミンＣ量などの栄養素の増加を野菜に促す。
【０１２８】
ここで、霧化電極１３５に水がないときは、放電距離が離れ、空気の絶縁層を破壊することができず、放電現象がおこらない。これにより霧化電極と対向電極間に電流がながれない。この現象を冷蔵庫１００の制御手段１４６で検知することにより電圧印加部１３３の高圧をＯＮ／ＯＦＦすることもできる。
【０１２９】
次に図６の本実施の形態の一例の機能ブロック図を説明する。
【０１３０】
静電霧化装置１３１から出力される放電電流モニター電圧値２１１と、霧化電極温度検知手段２１２と、扉開閉検知部２１３の信号を冷蔵庫本体の制御手段２１５に入力し、静電霧化装置１３１の高圧を印加させるための電圧印加部１３３と仕切り壁ヒータ１５４と金属ピンヒータ１５８の動作を決定する。例えば、霧化電極温度検知手段２１２により霧化電極温度が露点以下と制御手段２１５で判定されたとき、静電霧化装置１３１の電圧印加部の高圧を発生させる。また、霧化電極１３５が凍結の可能性のある温度や、扉開閉動作が頻繁におこなわれ、野菜室１０７内が非常に高湿であり、霧化電極１３５が過剰結露状態と想定される場合、仕切り壁ヒータ１５４もしくは、金属ピンヒータ１５８に通電、加熱させ、霧化電極１３５表面に付着している結露水を融解・蒸発させ、霧化電極１３５の水量を調整する。
【０１３１】
なお、霧化電極温度検知手段２１２を用いているが、冷蔵庫１００の冷凍サイクルから温度挙動の推定が容易である場合、温度検知手段はなくてもよい。また、冷蔵室ダンパ２１４の挙動により貯蔵室内の湿度が変動するので、冷蔵室ダンパ２１４と連動して、電圧印加部１３３をＯＮ／ＯＦＦさせてもよい。
【０１３２】
さらに、実施例では冷蔵室ダンパ２１４としているが、野菜室ダンパでもかまわない。
【０１３３】
次に図７の本実施の形態の一例の制御フローを説明する。
【０１３４】
霧化電極１３５温度を制御するため、霧化電極温度判定を行う。ステップ２５０で霧化電極温度調整モードにいると、ステップ２５１で霧化電極温度Ｔｆがあらかじめプログラムされた第１の値Ｔ１より高い場合（例えばＴ１＝６℃）、霧化電極１３５は温度が高温のため結露していない、もしくは、庫内温度が高いと判定し、ステップ２５２に移行、静電霧化装置１３１の高圧発生を停止するとともに、金属ピン１３４を加熱する、例えば、金属ピンヒータ１５８の通電を停止させる。もし、霧化電極温度Ｔｆがあらかじめプログラムされた第１の値Ｔ１より低い場合、ステップ２５３に移行する。ステップ２５３において霧化電極温度Ｔｆがあらかじめプログラムされた第２の値Ｔ２より高い場合（例えばＴ２＝−６℃）、霧化電極１３５は適温であると判定し、ステップ２５４に移行、静電霧化装置１３１の高圧発生を発生させる。ただし、金属ピン１３４を加熱する手段は動作させない。もし、霧化電極温度Ｔｆがあらかじめプログラムされた第２の値Ｔ２より低い場合、ステップ２５５に移行する。次に、ステップ２５５において、霧化電極温度Ｔｆがあらかじめプログラムされた第３の値Ｔ３より高い場合（例えばＴ３＝−１０℃）、霧化電極１３５は、過冷状態であると判定し、ステップ２５６に移行する。ステップ２５６により霧化電極１３５の放電は継続するものの、凍結防止のため金属ピンヒータ１５８や仕切り壁ヒータ１５４などの加熱手段を動作させる。もし、ステップ２５５で霧化電極温度ＴｆがＴ３より低いと判定したときは、霧化電極が凍結していると想定し、放電を停止させ、金属ピンヒータ１５８や仕切り壁ヒータ１５４などの加熱手段を動作させ、霧化電極１３５を加熱・昇温させ、優先的に霧化電極１３５に付着した霜・氷を融解する。
【０１３５】
ステップ２５２、ステップ２５４、ステップ２５６、ステップ２５７終了後は、一定時間経過後、初期ステップに戻り、制御を引き続き行い霧化電極１３５の水量調整を行う。
【０１３６】
以上のように、本実施の形態１においては、断熱区画された貯蔵室と、貯蔵室内にミストを噴霧させる静電霧化装置を備え、霧化部には高電圧を発生する電圧印加部に電気的に接続させる霧化電極と、霧化電極に対向する位置に配された対向電極と、霧化電極の水量を調整する手段を構成し、霧化電極に空気中の水分を結露させて貯蔵室にミストとして噴霧することにより、貯蔵室内の余剰な水蒸気から容易に、確実に霧化電極に結露させることができるとともに、霧化電極先端の水量を調整することで安定的・継続的に霧化電極と対向電極間でコロナ放電が起こり、これによりナノレベルの微細ミストが生成、噴霧された微細ミストが野菜等の青果物の表面に均一に付着し、青果物からの蒸散を抑制し、保鮮性を向上させることができる。また、青果物表面の細胞間隙や気孔等から、組織内に浸透し、萎んだ細胞内に水分が供給され、シャキッとした状態に復帰させることができる。
【０１３７】
また、霧化電極と対向電極と間で放電させるので、電界が安定に構築できることによって噴霧方向が定まり、収納容器内に微細ミストが噴霧しやすくなる。
【０１３８】
また、ミスト発生時に同時に発生するオゾンやＯＨラジカルにより脱臭、食品表面の有害物質除去、防汚などの効果を高めることができる。
【０１３９】
また、噴霧されたミストは直接、野菜容器内の食品に噴霧することができ、ミストと野菜の電位を利用して野菜表面にミストを付着させることができるので、保鮮の効率が向上すると同時に脱臭、食品表面の有害物質除去、防汚などの効果もさらに向上する。
【０１４０】
また、霧化電極に貯蔵室内の余剰な水蒸気を結露させ、水滴を付着させ、ミストを噴霧することからミスト噴霧用の水を供給する為の除霜ホースや浄化フィルター、もしくは水道直結の水供給経路、貯水タンクなどが不要であり、また、ポンプやキャピラリなどの送水手段等も使用しておらず、複雑な構成を要することなく、簡単な構成で貯蔵室へ微細ミストを供給することができる。
【０１４１】
このように簡単な構成で安定的に貯蔵室へ微細ミストを供給することができるので、冷蔵庫の故障の可能性を大幅に低減することができ、信頼性をより高めた上で冷蔵庫の品質を向上させることができる。
【０１４２】
さらに、水道水ではなく結露水を用いるためミネラル成分や不純物がないため、保水材を用いたときの劣化や目詰まりによる保水性の劣化を防ぐことができる。
【０１４３】
さらに、超音波振動による超音波霧化ではないので、水の欠損による圧電素子の破壊、その周囲部材の変形の心配がなく、また、貯水タンクが不必要であり、入力も小さいので庫内の温度影響が少ない。
【０１４４】
さらに、電圧印加部が収納されている部分についても奥面仕切り壁１１１に埋め込まれて、冷却されているので基板の温度上昇を抑えることができる。これにより、貯蔵室内の温度影響を少なくすることができると同時に基板の信頼性も向上する。
【０１４５】
また、本実施の形態では、貯蔵室を断熱区画するための仕切り壁を備え、静電霧化装置は仕切り壁に取り付けたことにより、貯蔵室内の間隙に設置することで収納容積を減少することがなく、また、奥面に取り付けられていることで容易に人の手に触れることができないので安全性も向上する。
【０１４６】
また、本実施の形態では、静電霧化装置の霧化電極を冷却・加熱し、霧化電極先端の結露量を調整できる調整手段は、熱伝導性のよい金属片からなる金属ピンであって、その金属片を冷却・加熱する手段は、冷却器で生成された冷気が流れる風路からの熱伝導とヒータの加熱手段であるため、断熱材の壁厚とヒータ入力値を調整することで金属ピンおよび霧化電極の温度を簡単に設定することができ、また、断熱材を挟むことにより冷気の漏れがないのとヒータ等の加熱手段を備えているのでケース外郭などの着霜や結露などの信頼性低下を防止することができる。
【０１４７】
また、本実施の形態では、静電霧化装置が取り付けられている奥面仕切り壁１１１は、貯蔵室側の一部に凹部があり、そこに静電霧化装置の水量調整手段である金属片が挿入されていることにより、青果物や食品などを収納する収納量に影響することがなく、静電霧化装置を取り付けている部分以外は、断熱性が確保できる壁厚が確保できるのでケース内の結露を防止することができ、信頼性を向上することができる。
【０１４８】
また、本実施の形態では、冷却器と貯蔵室を断熱区画するための仕切り壁には、貯蔵室もしくは冷却器に冷気を搬送するための少なくとも１つの風路と、貯蔵室や他の風路と熱影響がないよう断熱された断熱材が備えられ、静電霧化装置の霧化電極の温度を可変するための手段は、熱伝導性のよい金属片であって、その金属片の温度を調節する手段は、冷却器で生成された冷気とヒータなどの加熱手段を用いて調整することにより、確実の霧化電極の温度を調整することができる。  さらに、霧化電極先端が過剰結露を防止するために水量調整手段の一つとしてヒータなどの加熱手段を備えたことにより、先端温度の温度制御により先端液滴の大きさ・量を調整することができるので、安定的に噴霧することができ、さらに抗菌能力の向上ができる。  なお、微細ミスト発生時にオゾンも微量ながら発生するが、放電電流値が極めて小さいため、また、基準電位を０Ｖ、対向電極を＋７ｋＶのプラス側で放電させるため、人が感じる濃度にはならない。さらに、静電霧化装置のＯＮ／ＯＦＦ運転により、貯蔵室内のオゾン濃度を調整することが出来るので、その濃度を適度に調整することにより、オゾン過多による野菜の黄化などの劣化を防止し、かつ、野菜表面の殺菌、抗菌作用を高めることが出来る。
【０１４９】
なお、本実施の形態では、霧化電極を基準電位側（０Ｖ）と対向電極（＋７ｋＶ）間に高圧電位差を発生させたが、対向電極を基準電位側（０Ｖ）とし、霧化電極に印加（−７ｋＶ）し、高圧電位差を発生させてもよい。この場合、貯蔵室に近い対向電極が基準電位側になるので、人が対向電極に近づいても感電等を起こさない。また、霧化電極に−７ｋＶにした場合、貯蔵室側を基準電位側とすれば、特に対向電極を持たなくてもよい場合もある。
【０１５０】
なお、本実施の形態では、金属ピンを冷却するための風路は、冷凍室吐出風路としたが、製氷室の吐出風路や、冷凍室戻り風路などの低温風路でもかまわない。これにより、静電霧化装置の設置可能場所が拡大する。
【０１５１】
なお、本実施の形態では、伝熱接続部材である金属ピンを冷却する冷却手段は、冷蔵庫の冷凍サイクルで生成された冷却源を用いて冷却された冷気としたが、冷蔵庫の冷却源からの冷気もしくは冷温を用いた冷却管からの熱伝達を用いるものであってもよい。これにより、この冷却管の温度を調節することで、電極冷却部を任意の温度に冷却することができ、霧化電極を冷却する際の温度管理を行いやすくなる。
【０１５２】
なお、本実施の形態では、静電霧化装置の霧化電極周囲には、保水材を設けなかったが、保水材を配設してもよい。これにより、霧化電極近傍で生成された結露水を霧化電極周囲に保持することができるので霧化電極に適時に供給することができる。
【０１５３】
なお、本実施の形態において、冷蔵庫の貯蔵室は野菜室としたが、冷蔵室や切替室などの他の温度帯の貯蔵室でもよく、この場合、様々な用途に展開が可能となる。
【０１５４】
また、本実施の形態では、金属ピンを用いたが、良熱伝導部材であればよく、例えば、高熱伝導性の高分子材料を用いてもかまわない。この場合、軽量化と加工性が向上し、その構成が安価になる。
【０１５５】
（実施の形態２）
図８は、本発明の実施の形態２における図２のＡ−Ａ部の静電霧化装置近傍の詳細断面図である。
【０１５６】
本実施の形態では、実施の形態１で説明した構成と異なる部分を中心に詳細な説明を行い、実施の形態１と同一構成である部分および同一の技術思想が適用できる部分については、詳細な説明を省略する。
【０１５７】
図において、奥面仕切り壁１１１は、ＡＢＳなどの樹脂で構成された奥面仕切り壁表面１５１と、発泡スチロールなどを用いた断熱材１５２とで構成されている。また風路１５６と冷却室１１０とを隔離、断熱性を確保するための冷却室仕切り板４０１が備えられている。ここで、奥面仕切り壁１１１の貯蔵室内側の壁面の一部に凹部１１１ａおよび貫通部１１１ｃを設け、さらに伝熱接続部材である金属ピン１３４が貫通部１１１ｃに挿入されることで霧化装置である静電霧化装置１３１が設置されている。
【０１５８】
このとき、伝熱接続部材である金属ピン１３４の一部は断熱材を貫通し、低温風路１５６の一部に露出している。また、低温風路は、金属ピン背面の貫通部１１１ｃ近傍で、断熱材凹部１５５が構成されており、風路が一部拡大している。
【０１５９】
さらに、静電霧化装置１３１の霧化部１３９近傍には、霧化先端部である霧化電極１３５と金属ピン１３４の温度を調整するための加熱手段である金属ピンヒータ１５８が構成されている。
【０１６０】
なお、金属ピン１３４は耐腐食性、耐錆性の性能を持った金属材料、もしくはアルマイト処理などの表面処理、コーティングを行った材料を選択したほうが好ましい。
【０１６１】
以上のように構成された冷蔵庫について、以下その動作、作用を説明する。
【０１６２】
奥面仕切り壁１１１の比較的高湿度環境である箇所の一部について、断熱材１５２が、他の箇所より壁厚が薄く、特に、金属ピン１３４の側壁近傍の断熱材１５２の厚みは例えば２ｍｍ〜１０ｍｍ程度で構成されている。これにより、奥面仕切り壁１１１は凹部１１１ａが構成され、この箇所に静電霧化装置１３１が取り付けられている。
【０１６３】
金属ピン１３４は背面にある低温風路１５６に一部が露出している。冷凍サイクルの運転により冷却器１１２で生成し、冷却ファン１１３により野菜室温度より低温の冷気と加熱手段である金属ピンヒータ１５８や仕切り壁ヒータ１５４によって、金属ピン１３４が例えば０〜−６℃程度に調整される。このとき、金属ピン１３４は、良熱伝導部材であるため、冷熱を非常に伝えやすく、霧化電極１３５も０〜−６℃程度に調節される。
【０１６４】
このとき、低温風路１５６の断熱材凹部近傍に向けて徐々に拡大されるので風路抵抗が下がるので冷却ファン１１３の風量が増加し、冷凍サイクル効率が向上する。
【０１６５】
水滴が付着した霧化電極１３５に負電圧、対向電極１３６を正電圧側として、電圧印加部１３３によりこの電極間に高電圧（例えば４〜１０ｋＶ）を印加させる。このとき電極間でコロナ放電が起こり、霧化電極１３５の先端の水滴が、静電エネルギにより微細化され、さらに液滴が帯電しているためレイリー分裂により数ｎｍレベルの目視できない電荷をもったナノレベルの微細ミストと、それに付随してオゾンやＯＨラジカルなどが発生する。電極間に印加する電圧は、４〜１０ｋＶと非常に高電圧であるが、そのときの放電電流値は数μＡ、入力としては０．５〜１．５Ｗと非常に低入力である。
【０１６６】
発生した微細ミストは、下段収納容器１１９内に噴霧されるが非常に小さい微粒子のため拡散性が強く、上段収納容器１２０にも微細ミストは到達する。噴霧される微細ミストは、高圧放電で生成されたため、マイナスの電荷を帯びている。野菜室１０７内には青果物である野菜の中でも緑の菜っ葉ものや果物も保存されており、これらの青果物は蒸散あるいは保存中の蒸散によってより萎れやすいものである。野菜室内に保存されている野菜や果物の中には、通常、購入帰路時での蒸散あるいは保存中の蒸散によってやや萎れかけた状態のものが含まれており、プラスの電荷をもつ。よって、霧化されたミストは、野菜の表面に集まりやすく、これにより保鮮性が向上する。
【０１６７】
また、野菜表面に付着したナノレベルの微細ミストは、ＯＨラジカルと微量ではあるがオゾンなどを多く含んでおり、殺菌、抗菌、除菌などに効果がある他、酸化分解による農薬除去や抗酸化によるビタミンＣ量などの栄養素の増加を野菜に促す。
【０１６８】
以上のように、本実施の形態２においては、冷却器と貯蔵室を断熱区画するための仕切り壁には断熱材が備えられ、静電霧化装置の霧化電極１３５（霧化先端部）の温度を露点以下に調整する手段は、熱伝導性のよい金属片からなる伝熱接続部材である金属ピン１３４であって、その金属ピン１３４の温度を調整する調整手段は、冷却器で生成された冷気からなる冷却手段と、金属ピン近傍に備えられた加熱手段であることにより、確実の霧化電極の温度を調整することができる。
【０１６９】
また、本実施の形態では、静電霧化装置が取り付けられている仕切り壁は、貯蔵室側の一部に凹部があり、そこに静電霧化装置の冷却手段である金属片が挿入されているので、確実に金属片を冷却することができ、また、風路面積が徐々に広がることにより風路抵抗が減少、もしくは同等になるので冷却量の低下を防ぐことができる。また、金属ピンの風路への露出表面積とヒータ入力量で霧化電極の温度を容易に調整することができる。
【０１７０】
なお、本実施の形態では、金属ピンを風路の凹部に設置しているが、金属ピンが適正温度を確保できるなら風路側に凹部を設けなくてもよい。この場合、風路が容易に加工できる。
【０１７１】
（実施の形態３）
図９は、本発明の実施の形態３における図２のＡ−Ａ部の静電霧化装置近傍の詳細断面図である。
【０１７２】
本実施の形態では、実施の形態１および２で説明した構成と異なる部分を中心に詳細な説明を行い、実施の形態１および２と同一構成である部分および同一の技術思想が適用できる部分については、詳細な説明を省略する。
【０１７３】
図に示すように、野菜室１０７と製氷室１０６の温度帯を区切るために断熱性を確保した第一の仕切り壁１２３に霧化装置である静電霧化装置１３１は、組み込まれており、特に霧化部１３９の伝熱接続部材である金属ピン１３４部については、その断熱材が凹形状になっており、その近傍に金属ピンヒータ１５８が構成されている。
【０１７４】
以上のように構成された冷蔵庫について、以下その動作・作用を説明する。
【０１７５】
静電霧化装置１３１が設置されている第一の仕切り壁１２３の厚さは、霧化先端部である霧化電極１３５が固定されている金属ピン１３４を冷却するための冷却能力が必要であり、静電霧化装置１３１が備えられている凹部１２３ａの壁厚は他の部分より薄く構成されており、さらに金属ピン１３４が保持されている最深凹部１２３ｂの壁厚は凹部１２３ａよりもさらに薄く構成されている。そのため、比較的低温である製氷室からの熱伝導により金属ピン１３４を冷却し、霧化電極１３５を冷却することが出来る。ここで、霧化電極１３５の先端温度を露点以下にすれば、霧化電極１３５近傍の水蒸気は霧化電極１３５に結露し、水滴が確実に生成される。
【０１７６】
また、外気温度変動や速氷等の製氷室１０６の温調が変動し、霧化電極１３５が過冷になる場合があるため、霧化電極１３５近傍に設置された金属ピンヒータ１５８で霧化電極１３５の温度を調整することにより霧化電極１３５先端の水量を最適化する。
【０１７７】
ここでは図示しないが庫内に庫内温度検知部や庫内湿度検知部などを設置することにより、あらかじめ決められた演算により厳密に庫内環境下の変化に応じて露点を割り出すことが出来る。
【０１７８】
この状態で霧化電極１３５を負電圧側とし、対向電極１３６を正電圧側として、電圧印加部１３３によりこの電極間に高電圧（例えば７．５ｋＶ）を印加させる。このとき、電極間で空気絶縁層が破壊されコロナ放電が起こり、霧化電極１３５の水が電極先端から霧化し、目視できない１μｍ未満の電荷をもったナノレベルの微細ミストと、それに付随するオゾンやＯＨラジカルなどが発生する。
【０１７９】
発生した微細ミストは、野菜容器内に噴霧される。静電霧化装置１３１から噴霧される微細ミストは、マイナスの電荷を帯びている。一方、野菜室内には青果物である野菜が収納されており、その中には緑の菜っ葉ものや果物等も保存されている。これらの青果物は、通常、購入帰路時での蒸散あるいは保存中の蒸散によってやや萎れかけた状態で収納されていることが多い。これらの青果物は通常、プラスの電荷に帯電されており、噴霧されたマイナスの電荷を持った微細ミストは、野菜表面に集まりやすい。よって、噴霧された微細ミストは野菜室内を再び高湿にすると同時に青果物の表面に付着し、青果物からの蒸散を抑制し、保鮮性を向上させる。また、野菜や果物の細胞の隙間から組織内に浸透し、水分が蒸散して、萎んだ細胞内に再び水分が供給され、細胞の膨圧によって萎れが解消され、シャキッとした状態に復帰する。
【０１８０】
また、発生した微細ミストは、オゾンやＯＨラジカルなどを保持しており、これらは強い酸化力を保持する。そのため、発生した微細ミストが野菜室内の脱臭や野菜表面を抗菌、殺菌することが出来ると同時に、野菜表面に付着する農薬やワックスなどの有害物質を酸化分解・除去することが出来る。
【０１８１】
現在、冷凍サイクルの冷媒としては、地球環境保全の観点から地球温暖化係数が小さい可燃性冷媒であるイソブタンが使用されているものが主流になっている。
【０１８２】
この、炭化水素であるイソブタンは空気と比較して常温、大気圧下で約２倍の比重である（２．０４、３００Ｋにおいて）。
【０１８３】
仮に、圧縮機の停止時に冷凍システムから可燃性冷媒であるイソブタンが漏洩した場合には、空気よりも重いので、下方に漏洩することになる。このとき、奥面の仕切り壁１１１より、庫内へ冷媒が漏洩する可能性がある。特に、冷媒の滞留量が多い冷却器１１２から漏洩する場合には、漏洩量が多くなる可能性があるが、静電霧化装置１３１を具備する野菜室１０７は、冷却器１１２より上方に設置されているため、漏洩しても野菜室には漏洩することがない。
【０１８４】
また、仮に野菜室１０７に漏洩したとしても、冷媒は空気より重いため貯蔵室下部に滞留する。よって、静電霧化装置１３１が貯蔵室天面に設置されているため、静電霧化装置１３１付近が可燃濃度になることは極めて低い。
【０１８５】
以上のように、本実施の形態３は、貯蔵室を区画するための仕切り壁と、貯蔵室の天面側には低温貯蔵室が備えられ、静電霧化装置は天面の仕切り壁に取り付けたことにより、冷凍室や製氷室のような冷凍温度帯の貯蔵室が上部にある場合、それらを仕切る天面の仕切り壁に設置され、その冷却源で静電霧化装置の霧化電極を冷却し、結露させることができるので、特別な冷却装置が不必要で、また、天面から噴霧できるので収納容器全体に拡散しやすく、また、人の手にも触れにくいので安全性が向上させることができる。
【０１８６】
また、本実施の形態の霧化部は静電霧化方式によってミストを生成するものであり、高電圧等の電気エネルギを使って水滴を分裂させ、細分化することによって微細ミストを発生させる。発生したミストは電荷を帯びている為、そのミストに野菜や果物等の付着させたい物と逆の電荷を持たすことによって、例えばプラスの電荷を持つ野菜に対してマイナスの電荷を帯びたミストを噴霧することにより、野菜や果物への付着力が向上するため、より均一に野菜表面にミストが付着するとともに、電荷を帯びていないタイプのミストと比較してミストの付着率をより向上させることが出来る。また、噴霧された微細ミストは直接、野菜容器内の食品に噴霧することができ、微細ミストと野菜の電位を利用して野菜表面に微細ミストを付着させることが出来るので、保鮮性を効率よく向上させることが出来る。
【０１８７】
さらに、本実施の形態の補給水は、外部から供給する水道水ではなく結露水を用いる。そのためミネラル成分や不純物がなく、霧化電極先端の劣化や目詰まりによる保水性の劣化を防ぐことが出来る。
【０１８８】
さらに、本実施の形態のミストはラジカルを含んでいることにより野菜表面に付着する農薬やワックスなどを極めて少ない水量で分解・除去出来るので節水ができ、かつ低入力化が出来る。
【０１８９】
また、静電霧化装置を蒸発器より上方に配置していることから、イソブタンやプロパンなどの可燃性冷媒を用いて冷凍サイクルを構成した場合であって、かつ、冷媒が漏洩した場合も、空気より重いため冷媒が野菜室に充満することはないので安全である。
【０１９０】
また、野菜室内においても静電霧化部を貯蔵室の上方に設置しているので、冷媒が漏洩しても、貯蔵室の下部に滞留するので着火することはない。
【０１９１】
なお、貯蔵室内は冷媒配管等に直接面している部分がないので、冷媒が漏洩することはない。よって、可燃性冷媒に着火することはない。
【０１９２】
（実施の形態４）
図１０は、本発明の実施の形態４における図２のＡ−Ａ部の静電霧化装置近傍の詳細断面図である。
【０１９３】
本実施の形態では、実施の形態１から３で説明した構成と異なる部分を中心に詳細な説明を行い、実施の形態１から３と同一構成である部分および同一の技術思想が適用できる部分については、詳細な説明を省略する。
【０１９４】
図において奥面仕切り壁１１１は、ＡＢＳなどの樹脂で構成された奥面仕切り壁表面１５１と断熱性を確保するための発泡スチロールなどで構成された断熱材１５２で構成されている。また風路１５６と冷却室１１０とを隔離する、冷却室仕切り板４０１が備えられている。ここで、奥面仕切り壁１１１の貯蔵室内側の壁面の一部に他の箇所より低温になるように凹部１１１ａを設け、霧化装置である静電霧化装置１３１が設置されている。
【０１９５】
静電霧化装置１３１は、主に霧化部１３９、電圧印加部１３３、外郭ケース１３７で構成され、外郭ケース１３７の一部には、噴霧口１３２と湿度供給口１３８が構成されている。霧化部１３９は、霧化先端部である霧化電極１３５が設置され、霧化電極１３５は良熱伝導材を用いた霧化電極側固定部材２０２で固定されている。
【０１９６】
霧化電極側固定部材２０２の背面には貫通部１１１ｃが備えられ、霧化電極１３５の温度を調整するためのペルチェ素子を含んだペルチェモジュール２０１の片面に隣接している。また、ペルチェモジュール２０１のもう一面にも良熱伝導部材を用いた風路側熱伝導部材２０３が隣接しており、さらに風路側熱伝導部材２０３にも熱交換部材２０４が構成されており、貫通部１１１ｃに備えられている。
【０１９７】
以上のように構成された冷蔵庫について、以下その動作、作用を説明する。
【０１９８】
霧化電極１３５背面にある低温風路１５６は、冷凍サイクルの運転により冷却器１１２で冷気を生成し、低温風路内を冷気が搬送される。このとき、ペルチェ素子を含んだペルチェモジュール２０１に電圧を印加させると、その印加方向と、印加電圧値により霧化電極を露点以下に調整できる。例えば、霧化電極１３５に対して冷却が必要としたとき、ペルチェモジュールの吸熱面を霧化電極側、放熱面を風路側として電圧を印加する。反対に、霧化電極１３５に対して加熱が必要としたとき、ペルチェモジュール２０１の吸熱面を風路側、放熱面を霧化電極１３５側として電圧を印加する。これにより、霧化電極１３５先端に適時、水が確保でき、安定した霧化が可能となる。
【０１９９】
以上のように、本実施の形態においては、静電霧化装置の霧化電極に付着する水量を調整手段は、ペルチェ素子を利用することにより、ペルチェ素子への印加電圧だけで霧化電極の温度が調整でき、また、電圧の反転等を行えば、冷却・加温の双方できるのでヒータなどの追加の必要がない。
【０２００】
また、本実施の形態では、ペルチェモジュール２０１への印加電圧の微調整で極めて細かい温度制御が可能となるため、霧化電極の先端水量の細かい制御ができる。
【０２０１】
また、本実施の形態では、ペルチェモジュールが加熱手段と冷却手段を兼ねることから特に加熱手段が不必要となるため、構成部品が簡素化される。
【０２０２】
なお、本実施の形態では、霧化部近傍に温度センサや湿度センサを設けていないが、設置することによりさらに精密な制御が可能となり、安定した噴霧が可能となる。
【０２０３】
なお、風路側熱伝導部材２０３熱交換部材２０４を一体にしてもかまわない。これにより両部材間の接触熱抵抗がなくなるので熱伝導が良好になり、応答性がよくなる。
【０２０４】
また、霧化電極１３５と霧化電極側固定部材を一体にしてもかまわない。これにより両部材間の接触熱抵抗がなくなるので熱伝導が良好になり、応答性がよくなる。
【０２０５】
このように、ペルチェ素子への印加電圧だけで霧化電極の温度が調整でき、霧化電極を単独で任意の温度に調節することが可能である。
【０２０６】
また、電圧の反転等を行うだけで、冷却と加温の双方を実現できるので冷却手段や加熱手段としてのヒータなどの特別な装置を追加する必要がなく、簡単な構造で冷却と加温の双方を行い、その温度応答性も速くなるので水量の調整手段の応答性も向上した上で任意の温度へと調節することが可能となり、より霧化部の精度を向上させることが可能となる。
【０２０７】
（実施の形態５）
図１１は、本発明の実施の形態５における静電霧化装置近傍の詳細断面図である。
【０２０８】
本実施の形態では、実施の形態１から４で説明した構成と異なる部分を中心に詳細な説明を行い、実施の形態１から４と同一構成である部分および同一の技術思想が適用できる部分については、詳細な説明を省略する。
【０２０９】
図において霧化装置である静電霧化装置１３１は、主に霧化部１３９、電圧印加部１３３、外郭ケース１３７で構成され、外郭ケース１３７の一部には、噴霧口１３２と湿度供給口１３８が構成されている。霧化部１３９は、霧化先端部である霧化電極１３５が外郭ケース１３７に固定されており、霧化電極１３５は伝熱接続部材である金属ピン１３４が備えられ、その近辺には霧化電極１３５の温度を調整できるように加熱手段である金属ピンヒータ１５８が構成されている。また、霧化電極１３５に対向している位置で貯蔵室側にドーナツ円盤状の対向電極１３６が、霧化電極１３５の先端と一定距離を保つように取り付けられ、その延長上に噴霧口１３２が構成されている。
【０２１０】
静電霧化装置１３１の背面には貯蔵室を冷却するための冷却器３０１が隣接されており、静電霧化装置１３１は奥面仕切り壁１１１の凹部１１１ａに固定されている。
【０２１１】
以上のように構成された冷蔵庫について、以下その動作、作用を説明する。
【０２１２】
圧縮機１０９で高温高圧に圧縮された冷媒は凝縮器（図示せず）で放熱され、低温になる。ここでキャピラリなどの減圧装置（図示せず）により冷媒が減圧され、低温の状態で冷却器３０１へ冷媒が流れる。ここで、冷却器３０１は比較的低温状態となり、その熱伝導で霧化電極１３５が露点以下になり、先端が結露する。ここで、霧化電極と対向電極間に電圧印加部で発生した高電圧を両極間に印加すると微細ミストが発生し、野菜室内に噴霧される。
【０２１３】
以上のように、本実施の形態においては、霧化装置である静電霧化装置の霧化先端部（霧化電極１３５）に結露させる水量の調整手段は、冷却手段として貯蔵室を冷却するための冷却器３０１を利用し、加熱手段として熱交換器を利用することにより、冷蔵庫の冷却源である冷却器３０１で直接霧化先端部（霧化電極１３５）を冷却することができ、その温度応答性も速くなる。
【０２１４】
このように、温度調整手段を冷凍サイクルに利用して伝熱接続部材および霧化電極の温度を調整することができるので、より省エネルギで霧化電極の温度調節を行うことができる。
【０２１５】
また、調節手段の加熱手段として熱交換器を利用することで、冷凍サイクル内で発生したエネルギを回収し、有効利用することが可能となるので、冷凍サイクルの熱効率がより向上し、省エネルギを実現した冷蔵庫を提供することができる。
【０２１６】
なお、本実施の形態では、冷凍サイクルに関して、冷却器の温度を調整するために膨張弁を用いてもよい。これによりその絞り量で冷却器の温度が調整できる。
【０２１７】
（実施の形態６）
図１２は本発明の実施の形態６における図２のＡ−Ａ部の静電霧化装置近傍の詳細断面図である。
【０２１８】
本実施の形態では、実施の形態１から５で説明した構成と異なる部分を中心に詳細な説明を行い、実施の形態１から５と同一構成である部分および同一の技術思想が適用できる部分については、詳細な説明を省略する。
【０２１９】
図において、奥面仕切り壁１１１は、ＡＢＳなどの樹脂で構成された貯蔵室を区画する仕切り壁である奥面仕切り壁表面１５１と、野菜室１０７と冷凍室吐出風路１４１との間の断熱性を確保するための発泡スチロールなどで構成された断熱材１５２とで構成される。また、貯蔵室を冷却する冷気が通る風路である冷凍室吐出風路１４１と冷却室１１０とを隔離するための仕切り板４０１を備えており、また、奥面仕切り壁表面１５１には、貯蔵室の温度調節をするためにヒータ等の加熱手段１５４が奥面仕切り壁表面１５１と断熱材１５２の間に設置されている。
【０２２０】
ここで、奥面仕切り壁１１１の貯蔵室内側の壁面の一部に凹部１１１ａを設け、その箇所に静電霧化装置１３１が埋設されている。
【０２２１】
静電霧化装置１３１は霧化部に備えられた霧化先端部である霧化電極１３５を冷却手段によって露点温度以下に冷却することで、霧化部周辺の空気中の水分を霧化電極に結露させて生成した結露水をミストとして噴霧させるものである。
【０２２２】
この結露を行う際に、本実施の形態では冷却手段として風路である冷凍室吐出風路１４１を流れる低温冷気を冷却手段とし、また霧化電極１３５を直接冷却するのではなく、霧化電極１３５よりも大きな熱容量を有する伝熱接続部材である金属ピン１３４を介して霧化電極１３５を冷却しているものである。
【０２２３】
また、凹部１１１ａよりもさらに深い最深凹部１１１ｂを設け、伝熱接続部材である金属ピン１３４がこの最深凹部１１１ｂに備えられている。
【０２２４】
この最深凹部１１１ｂの背面側すなわち冷却室１１０側の断熱材１５２は、金属ピン１３４を冷却するために薄く形成されることが理想的であるが、発泡スチロール等の成型において、極端な薄肉部を設けることは、困難であり、また、強度不足や成型不良による割れ、穴あきなどの不具合が発生する可能性が高くなり、品質の劣化が懸念される場合がある。
【０２２５】
そこで、本実施の形態では、金属ピン１３４の背面近傍の断熱材に突起部４０２を設けることにより、平面部に比べて金属ピン１３４周辺の剛性を高めた上で、断熱材の壁厚を確保してさらに剛性を高めた形状とした。また、突起部１６２によって金属ピン１３４を側面側と背面側の両方から冷却することができる構成とし、熱伝導のための表面積を増加させた。
【０２２６】
また、突起部１６２の形状について斜面を円錐状にすることにより、風路抵抗の増加を抑制することで、風量低下を抑制する。
【０２２７】
また、金属ピン１３４の近傍には、金属ピンの温度を調整するための金属ピンヒータ４０３が構成されている。
【０２２８】
以上のように構成された冷蔵庫について、以下その動作、作用を説明する。
【０２２９】
伝熱接続部材である金属ピン１３４は熱緩和部材である断熱材を介して冷却されるので、霧化電極１３５を伝熱接続部材である金属ピン１３４で間接的に冷却するものにさらに、熱緩和部材である断熱材１５２を介して二重構造で間接的に冷却することができ、また、金属ピンヒータ４０３により霧化先端部である霧化電極１３５の温度を調整することにより極度に冷却されることを防ぐことができる。霧化電極１３５が極度に冷却されると、それに伴い結露量が多大となり霧化部１３９の負荷の増大による静電霧化装置１３１への入力の増大および霧化部１３９の凍結などによる霧化不良が懸念されるが、こういった霧化部１３９の負荷増大による不具合を防ぐことができ、適切な結露量を確保することができ、低入力で安定的なミスト噴霧を実現することができる。
【０２３０】
また、霧化電極１３５を伝熱接続部材と熱緩和部材とを介して二重構造で間接的に冷却することで、冷却手段の温度変化が霧化電極に直接的に大きな影響を与えることをさらに緩和することができるので、霧化電極の負荷変動を抑え、安定した噴霧量のミスト噴霧を実現することができる。
【０２３１】
また、伝熱接続部材である金属ピン１３４の冷却は、冷却室１１０で生成された冷気を用いており、金属ピン１３４は熱伝導性のよい金属片で形成したので、冷却手段は、冷却器１１２で生成された冷気が流れる風路からの熱伝導だけで必要な冷却を行うことができる。
【０２３２】
また、この時、本実施の形態の伝熱接続部材である金属ピン１３４は霧化電極と逆側に凸部１３４ａを有する形状をしているので、霧化部の中で凸部１３４ａ側の端部１３４ｂ側が冷却手段に最も近接する為、金属ピン１３４の中でも霧化電極１３５から最も遠い端部１３４ｂ側およびその側面部側から冷却手段である冷気によって冷却されることとなる。
【０２３３】
このように霧化電極１３５を伝熱接続部材である金属ピン１３４を介して熱伝導で冷やすため、霧化電極１３５では、結露生成、ミストの発生ができ、その他の箇所については断熱性を確保していることにより、例えば、外郭ケース１３７の結露などを防止している。
【０２３４】
さらに静電霧化装置１３１と冷凍室風路１４１の間は、連通している箇所がないので低温冷気が庫内に漏れてくることもないので、貯蔵室やその周辺部品が結露や低温異常などを起こすことがない。
【０２３５】
このように簡単な構造で冷却手段を構成することができるので、故障が少なく信頼性が高い霧化部を実現することができる。また、冷凍サイクルの冷却源を利用して伝熱接続部材および霧化電極の冷却を行うことができるので、省エネルギで霧化を行うことができる。
【０２３６】
このように冷却手段によって冷却する際に、伝熱接続部材である金属ピン１３４の霧化電極１３５から最も距離の離れた遠い部分である端部１３４ｂ側から冷却することで、金属ピン１３４の大きな熱容量を冷却した上で、金属ピン１３４によって霧化電極１３５が冷却されることで、冷却手段の温度変化が霧化電極１３５に直接的に大きな影響を与えることをさらに緩和し、より変動負荷の小さく安定的なミスト噴霧を実現することができる。
【０２３７】
また、霧化部が取り付けられている奥面仕切り壁１１１は、貯蔵室側の一部に凹部１１１ａがあり、この凹部１１１ａよりもさらに深い最深凹部１１１ｂに凸部１３４ａを有した霧化部が挿入されることによって、熱緩和部材として貯蔵室の仕切り壁を構成する断熱材１５２を用いることができ、特別な熱緩和部材を備えることなく断熱材の厚みを調整することで霧化電極が適度に冷却されるような熱緩和部材を備えることができ、霧化部１３９をより簡単な構成にすることができる。
【０２３８】
また、奥面仕切り壁１１１内の背面側に備えられた風路１４１では、一部円錐状の突起部１６２が断熱材１５２で形成されるものの冷気の流れ方向に対して、抵抗にならないように緩やかな斜面で形成されているので冷却能力劣化を防止しているとともに金属ピン１３４に対しては熱伝導面積が増加しているので金属ピンに対する冷却効率が向上している。  このように、本実施の形態では、金属ピン１３４の背面近傍の断熱材に突起部１６２を設けることにより、平面部に比べて金属ピン１３４周辺の剛性を高めた上で、断熱材の壁厚を確保してさらに剛性を高めた場合でも、金属ピンを側面側と背面側の両方から冷却することができるので、熱伝導のための表面積を増加させることができ、金属ピン１３４の冷却効率を低下させることなく金属ピン１３４周辺の剛性を高めることができる。
【０２３９】
また、突起部の形状において斜面を円錐状にすることにより、冷気は、冷気の流れ方向に対して曲面である突起部１６２の外周をなめるように流れるので風路抵抗の増加を抑制すると共に、金属ピンが側壁の外周から均一に冷却されることで、金属ピン１３４をムラなく冷却でき、金属ピン１３４を介して霧化電極１３５を効率よく冷却することができる。
【０２４０】
また、伝熱接続部材である金属ピン１３４は、ある程度の熱容量を確保できているので冷却風路からの熱伝導の応答を緩和することができるので、霧化電極の温度変動を抑制することができ、また蓄冷の働きを有することになるので、霧化電極の結露発生の時間を確保し、凍結も防止することができる。
【０２４１】
また、霧化装置を静電霧化装置１３１としたことで、発生した微細ミストは、非常に小さい微粒子のため拡散性が高く、野菜室１０７全体へ微細ミストは到達する。噴霧される微細ミストは、高圧放電で生成されたため、マイナスの電荷を帯びているので、野菜室１０７内にはプラスの電荷をもつ青果物である野菜が収納されているので、霧化されたミストは、野菜の表面に集まりやすく、これにより保鮮性が向上する。
【０２４２】
また、野菜表面に付着したナノレベルの微細ミストは、ＯＨラジカルと微量ではあるがオゾンなどを多く含んでおり、殺菌、抗菌、除菌などに効果がある他、酸化分解による農薬除去や抗酸化によるビタミンＣ量などの栄養素の増加を野菜に促す。
【０２４３】
ここで、霧化電極１３５に水がないときは、放電距離が離れ、空気の絶縁層を破壊することができず、放電現象がおこらない。これにより霧化電極と対向電極間に電流がながれない。この現象を冷蔵庫１００の制御手段１４６で検知することにより電圧印加部１３３の高圧をＯＮ／ＯＦＦすることもできるので、庫内への熱負荷の抑制と省エネルギが図れる。
【０２４４】
以上のように、本実施の形態６においては、霧化部の凸部である金属ピン背面の断熱材について、円錐状の突起部を設けることにより、金属ピンへの冷却能力を確保しつつ断熱壁の剛性を向上させることで断熱材の成型を容易にすることができ、また、冷凍室吐出風路の流路抵抗を最小限に抑えることで、金属ピンへの冷却能力を確保することができる。
【０２４５】
また、本実施の形態では、断熱材の壁厚を確実に確保することにより、野菜室１０７と隣接する別区画の冷凍室吐出風路１４１との間に冷温冷気の漏れがないのでケース外郭などの着霜や結露などの信頼性低下を防止することができる。
【０２４６】
なお、本実施の形態では、金属ピンを冷却するための冷却手段としての風路は、冷凍室吐出風路としたが、製氷室の吐出風路や、冷凍室戻り風路などの低温風路でもかまわない。また、風路に限らず野菜室１０７よりも低温の貯蔵室内の冷気を用いても良い。これにより、静電霧化装置の設置可能場所が拡大する。
【０２４７】
なお、本実施の形態では、伝熱接続部材である金属ピンを冷却する冷却手段は、冷蔵庫の冷凍サイクルで生成された冷却源を用いて冷却された冷気としたが、冷蔵庫の冷却源からの冷気もしくは冷温を用いた冷却管からの熱伝達を用いるものであってもよい。これにより、この冷却管の温度を調節することで、電極冷却部を任意の温度に冷却することができ、霧化電極を冷却する際の温度管理を行いやすくなる。
【０２４８】
また、本実施の形態では、伝熱接続部材である金属ピンを冷却する冷却手段は低温冷気としたが、ペルチェ効果を用いたペルチェ素子を補助部品として用いてよく、この場合、ペルチェへの供給電圧により霧化電極先端の温度を極めて細かい温度で制御できる。
【０２４９】
なお、本実施の形態では、静電霧化装置の外郭と断熱材の凹部の間には、緩衝材を用いていないが、金属ピンへの湿度侵入防止やがたつき防止のためウレタンフォームなどの緩衝材を静電霧化装置の外郭ケースもしくは断熱材の凹部に構成するとさらに望ましく、金属ピンへの湿度流入を防止でき、断熱材に結露することを防止できる。
【０２５０】
なお、本実施の形態では、霧化電極周囲には、保水材を設けなかったが、保水材を配設してもよい。これにより、霧化電極近傍で生成された結露水を霧化電極周囲に保持することができるので霧化電極に適時に供給することができる。さらに、野菜室内に保水材や密閉化手段を講じることにより、高湿度を維持することもできる。
【０２５１】
なお、本実施の形態において、冷蔵庫の貯蔵室は野菜室としたが、冷蔵室や切替室などの他の温度帯の貯蔵室でもよく、この場合、様々な用途に展開が可能となる。
【０２５２】
（実施の形態７）
図１３は本発明の実施の形態７における図２のＡ−Ａ部の静電霧化装置近傍の詳細断面図である。
【０２５３】
本実施の形態では、実施の形態１〜６で詳細に説明した構成と異なる部分についてのみ詳細な説明を行い、実施の形態１〜６で詳細に説明した構成と同じ部分もしくは、同じ技術思想が適用できる部分については、説明を省略する。
【０２５４】
図において、奥面仕切り壁１１１は、ＡＢＳなどの樹脂で構成された奥面仕切り壁表面１５１と野菜室１０７と冷凍室吐出風路１４１との間の断熱性を確保するための発泡スチロールなどで構成された断熱材１５２で構成される。また、冷凍室吐出風路１４１と冷却室１１０とを隔離するための仕切り板４０１を備えており、また、奥面仕切り壁表面１５１には、貯蔵室の温度調節をする、もしくは表面の結露を防止するためヒータ等の加熱手段１５４が奥面仕切り壁表面１５１と断熱材１５２の間に設置されている。
【０２５５】
ここで、奥面仕切り壁１１１の貯蔵室側の壁面の一部に他の箇所より低温になるように凹部１１１ａを設け、その箇所に静電霧化装置１３１が設置されている。
【０２５６】
静電霧化装置１３１は主に霧化部１３９、電圧印加部１３３、外郭ケース１３７で構成され、外郭ケース１３７の一部には、噴霧口１３２と湿度供給口１３８が構成されている。霧化部１３９は、霧化電極１３５が設置され、霧化電極１３５はアルミニウムやステンレスなどの良熱伝導部材からなる伝熱接続部材である金属ピン１３４に固定されて接続し、また、電気的にも電圧印加部から配線されている一端を含め接続している。
【０２５７】
この伝熱接続部材である金属ピン１３４は霧化電極１３５に比べて５０倍以上、好ましくは１００倍以上の大きな熱容量を有するものであり、例えば、アルミや銅などの高熱伝導部材が好ましく、金属ピン１３４の一端からもう一端に冷熱を熱伝導で効率よく伝導させるため、その周囲は断熱部材で覆われていることが望ましい。
【０２５８】
また、凹部１１１ａの背面側に貫通部４０５が設けられ、伝熱接続部材である金属ピン１３４の凸部１３４ａがこの貫通部４０５に備えられている。
【０２５９】
この伝熱接続部材である金属ピン１３４が備えられる貫通部４０５は、発泡スチロール等の成型において、本実施の形態のような貫通孔を設けると、断熱壁の剛性が低下し、強度不足や成型不良による割れ、穴あきなどの不具合が発生する可能性が高くなり、品質の劣化が懸念される場合がある。
【０２６０】
そこで、本実施の形態では、貫通部４０５近傍の断熱材に突起部１６２を設けることにより、平面部に比べて貫通部４０５周辺の剛性を高めた上で、断熱材の壁厚を確保してさらに剛性を高めた形状とした。また、突起部１６２によって金属ピンを側面側と背面側の両方から冷却することができる構成とした。
【０２６１】
金属ピン１３４を直接風路内に設置すると、冷却過多になり霧化電極１３５の結露量が過多になるもしくは、凍結する可能性があるが、風路抵抗の増加を抑制する目的で、突起部１６２の形状について斜面を円錐状にしている。
【０２６２】
また、金属ピン１３４の背面近傍の断熱材に貫通孔である貫通部４０５を設け、そこに金属ピン１３４を挿入し、その周囲に金属ピンカバー４０６を設置することにより、断熱性を確保する。
【０２６３】
なお、図示はしないが、貫通部４０５と金属ピンカバー４０６に緩衝材を設け、シール性を確保してもよい。
【０２６４】
さらに、孔開口部４０７に図示はしないが、テープなどを貼付することにより冷気の遮断を行ってもよい。
【０２６５】
以上のように構成された冷蔵庫について、以下その動作、作用を説明する。
【０２６６】
伝熱接続部材である金属ピン１３４は金属ピンカバー４０６を介して冷却されるので、霧化電極１３５を金属ピン１３４で間接的に冷却するものにさらに、熱緩和部材である金属ピンカバー４０６を介して二重構造で間接的に冷却することができ、霧化電極１３５が極度に冷却されることを防ぐことができる。霧化電極１３５が極度に冷却されると、それに伴い結露量が多大となり霧化部１３９の負荷の増大による静電霧化装置１３１への入力の増大および霧化部１３９の凍結などによる霧化不良が懸念されるが、こういった霧化部１３９の負荷増大による不具合を防ぐことができ、適切な結露量を確保することができ、低入力で安定的なミスト噴霧を実現することができる。
【０２６７】
また、霧化電極１３５を伝熱接続部材と熱緩和部材とを介して二重構造で間接的に冷却することで、冷却手段の温度変化が霧化電極に直接的に大きな影響を与えることをさらに緩和することができるので、霧化電極の負荷変動を抑え、安定した噴霧量のミスト噴霧を実現することができる。
【０２６８】
また、伝熱接続部材である金属ピン１３４の冷却は、冷却室１１０で生成された冷気を用いており、金属ピン１３４は熱伝導性のよい金属片で形成したので、冷却手段は、冷却器１１２で生成された冷気が流れる風路からの熱伝導だけで必要な冷却を行うことができる。
【０２６９】
また、この時、本実施の形態の伝熱接続部材である金属ピン１３４は霧化電極と逆側に凸部１３４ａを有する形状をしているので、霧化部の中で凸部１３４ａ側の端部１３４ｂが冷却手段に最も近接する為、金属ピン１３４の中でも霧化電極１３５から最も遠い端部１３４ｂ側から冷却手段である冷気によって冷却されることとなる。
【０２７０】
このように、本実施の形態では、貫通部４０５近傍の断熱材に突起部１６２を設けることにより、貫通部４０５周辺の剛性を高めた場合でも、金属ピンを側面側と背面側の両方から冷却することができるので、熱伝導のための表面積を増加させることができ、金属ピン１３４の冷却効率を低下させることなく金属ピン１３４周辺の剛性を高めることができる。
【０２７１】
また、突起部の形状は斜面を円錐状にすることにより、冷気は、冷気の流れ方向に対して曲面である突起部１６２の外周をなめるように流れるので風路抵抗の増加を抑制すると共に、金属ピンが側壁の外周から均一に冷却されることで、金属ピン１３４をムラなく冷却でき、金属ピン１３４を介して霧化電極１３５を効率よく冷却することができる。
【０２７２】
また、断熱材１５２の金属ピン１３４背面の一部のみ孔である貫通部４０５を設け、薄肉部が構成されていないので、発泡スチロールの成型が容易にでき、また、組み立て時の破損などの問題がない。
【０２７３】
さらに、本実施の形態の構成では、金属ピンカバー４０６の背面側の冷却手段（低温の冷気）と接する部分が熱緩和部材となるので、熱緩和部材の熱緩和の状態は金属ピンカバー４０６の冷気と接する部分の厚みを変えることによって調整することができるので、容易に金属ピンの冷却状態を変えられることができ、例えば様々な貯蔵容量の冷蔵庫に適用する場合でも、それぞれの冷却負荷によって金属ピンカバー１６６の厚みを変えることで、対応することができる。
【０２７４】
さらに金属ピンカバーと貫通部４０５の間には隙間がなく、また貫通部４０５の開口部４０７はテープなどにより冷気を遮断しているのでいので、連通している箇所がなく、低温冷気が庫内に漏れてくることもないので、貯蔵室やその周辺部品が結露や低温異常などを起こすことがない。
【０２７５】
このように冷却手段によって冷却する際に、伝熱接続部材である金属ピン１３４の霧化電極１３５から最も距離の離れた遠い部分である端部１３４ｂ側から冷却することで、金属ピン１３４の大きな熱容量を冷却した上で、金属ピン１３４によって霧化電極１３５が冷却されることで、冷却手段の温度変化が霧化電極１３５に直接的に大きな影響を与えることをさらに緩和し、より変動負荷の小さく安定的なミスト噴霧を実現することができる。
【０２７６】
発生した微細ミストは、下段収納容器１１９内に噴霧されるが非常に小さい微粒子のため拡散性が強く、上段収納容器１２０にも微細ミストは到達する。また、霧化装置を静電霧化装置１３１としたことで、発生した微細ミストは、非常に小さい微粒子のため拡散性が強く、噴霧する野菜室１０７全体へ到達する。噴霧される微細ミストは、高圧放電で生成されたため、マイナスの電荷を帯びているので、野菜室１０７内にはプラスの電荷をもつ青果物である野菜が収納されているので、霧化されたミストは、野菜の表面に集まりやすく、これにより保鮮性が向上する。
【０２７７】
また、野菜表面に付着したナノレベルの微細ミストは、ＯＨラジカルと微量ではあるがオゾンなどを多く含んでおり、殺菌、抗菌、除菌などに効果がある他、酸化分解による農薬除去や抗酸化によるビタミンＣ量などの栄養素の増加を野菜に促す。
【０２７８】
また、本実施の形態のように、霧化電極を冷却することで空気中の水分を結露させた結露水をミスト噴霧に用いる場合に、霧化電極１３５に水がないときは、放電距離が離れ、空気の絶縁層を破壊することができず、放電現象がおこらない。これにより霧化電極と対向電極間に電流が流れないが、この現象を冷蔵庫１００の制御手段１４６で検知することにより電圧印加部１３３の高圧をＯＮ／ＯＦＦすることもできるので、庫内への熱負荷の抑制と省エネルギが図れる。
【０２７９】
以上のように、本実施の形態７においては、霧化部の凸部である金属ピンの構成について、断熱材に貫通孔である貫通部４０５を設け、その箇所に金属ピンを挿入し、その周囲に金属ピンカバーを設けることにより、金属ピンへの冷却能力を確保しつつ断熱材の成型を容易にすることができる。
【０２８０】
また、このように金属ピンの側面および背面部を一体成型された金属ピンカバー４０６で覆うことによって、背面部に配置されたである冷凍室吐出風路１４１からの冷気が金属ピンの周囲に侵入することをより効果的に防止している。
【０２８１】
また、本実施の形態７においては、金属ピン周囲に緩衝材を設けていないが、設けてもよい。これにより孔と金属ピンカバー間を密着させることができ、冷気もれを防止できる。
【０２８２】
また、本実施の形態７においては、孔の開口部にテープなどの遮蔽物を設置していないが、設置してもよい。これによりさらに、冷気もれを防止できる。
【０２８３】
なお、本実施の形態では、金属ピンを冷却するための風路は、冷凍室吐出風路としたが、製氷室の吐出風路や、冷凍室戻り風路などの低温風路でもかまわない。これにより、静電霧化装置の設置可能場所が拡大する。
【０２８４】
なお、本実施の形態では、伝熱接続部材である金属ピンを冷却する冷却手段は、冷蔵庫の冷凍サイクルで生成された冷却源を用いて冷却された冷気としたが、冷蔵庫の冷却源からの冷気もしくは冷温を用いた冷却管からの熱伝達を用いるものであってもよい。これにより、この冷却管の温度を調節することで、電極冷却部を任意の温度に冷却することができ、霧化電極を冷却する際の温度管理を行いやすくなる。
【０２８５】
また、本実施の形態では、伝熱接続部材である金属ピンを冷却する冷却手段は、ペルチェ効果を用いたペルチェ素子を補助部品として用いてよく、この場合、ペルチェへの供給電圧により霧化電極先端の温度を極めて細かい温度で制御できる。
【０２８６】
なお、本実施の形態では、静電霧化装置の外郭と断熱材の凹部の間には、緩衝材を用いていないが、金属ピンへの湿度侵入防止やがたつき防止のためウレタンフォームなどの緩衝材を静電霧化装置の外郭ケースもしくは断熱材の凹部に構成してもかまわない。これにより、金属ピンへの湿度流入を防止でき、断熱材に結露することを防止できる。
【０２８７】
（実施の形態８）
図１４は本発明の実施の形態８における図２のＡ−Ａ部の静電霧化装置近傍の詳細断面図である。
【０２８８】
本実施の形態では、実施の形態１〜７で詳細に説明した構成と異なる部分についてのみ詳細な説明を行い、実施の形態１〜７で詳細に説明した構成と同じ部分もしくは、同じ技術思想が適用できる部分については、説明を省略する。
【０２８９】
図において、奥面仕切り壁１１１は、ＡＢＳなどの樹脂で構成された奥面仕切り壁表面１５１と野菜室１０７と冷凍室吐出風路１４１との間の断熱性を確保するための発泡スチロールなどで構成された断熱材１５２で構成される。また、冷凍室吐出風路１４１と冷却室１１０とを隔離するための仕切り板４０１を備えており、また、奥面仕切り壁表面１５１には、貯蔵室の温度調節をする、もしくは表面の結露を防止するためヒータ等の加熱手段１５４が奥面仕切り壁表面１５１と断熱材１５２の間に設置されている。
【０２９０】
ここで、奥面仕切り壁１１１の貯蔵室内側の壁面の一部に貫通部４０５を設け、その箇所に静電霧化装置１３１が設置されている。
【０２９１】
静電霧化装置１３１は主に霧化部１３９、電圧印加部１３３、外郭ケース１３７で構成され、外郭ケース１３７の一部には、噴霧口１３２と湿度供給口１３８が構成されている。
【０２９２】
静電霧化装置１３１は霧化部１３９に備えられた霧化先端部である霧化電極１３５を冷却手段によって露点温度以下に冷却することで、霧化部周辺の空気中の水分を霧化電極に結露させて生成した結露水をミストとして噴霧させるものである。
【０２９３】
この結露を行う際に、本実施の形態では冷却手段として風路である冷凍室吐出風路１４１を流れる低温冷気を冷却手段とし、また霧化電極１３５を直接冷却するのではなく、霧化電極１３５よりも大きな熱容量を有する伝熱冷却部材である金属ピン１３４を介して霧化電極１３５を冷却しているものである。
【０２９４】
霧化部１３９は、霧化電極１３５が設置され、霧化電極１３５はアルミニウムやステンレスなどの良熱伝導部材からなる伝熱接続部材である金属ピン１３４に固定されて接続し、また、電気的にも電圧印加部から配線されている一端を含め接続している。
【０２９５】
この伝熱接続部材である金属ピン１３４は霧化電極１３５に比べて５０倍以上、好ましくは１００倍以上の大きな熱容量を有するものであり、例えば、アルミや銅などの高熱伝導部材が好ましく、金属ピン１３４の一端からもう一端に冷熱を熱伝導で効率よく伝導させるため、その周囲は断熱部材で覆われていることが望ましい。
【０２９６】
金属ピン１３４を直接風路内に設置すると、冷却過多になり霧化電極１３５の結露量が過多になるもしくは、凍結する可能性がある。
【０２９７】
そこで、霧化電極１３５の背面近傍の断熱材に貫通孔４０５を設け、そこに金属ピン１３４を挿入し、その周囲に金属ピンカバー４０６を設置することにより、断熱性を確保することで、金属ピン１３４が直接冷却手段に接せず熱緩和部材である断熱材を介して接することになる。
【０２９８】
この時、略円柱状の金属ピン１３４の側面側がすべて断熱材で覆われている構成となる。
【０２９９】
また、貫通孔４０５の開口部４０７は冷凍室吐出風路１４１と冷却室１１０を仕切る仕切り板４０１により風路と遮蔽され、シール性を確保している。
【０３００】
孔開口部４０７に図示はしないが、テープなどを貼付することにより冷気の遮断を行ってもよい。
【０３０１】
以上のように構成された冷蔵庫について、以下その動作、作用を説明する。
【０３０２】
伝熱接続部材である金属ピン１３４は断熱材１５２の突起部４０２を介して側面側から冷却されるので、霧化電極１３５を金属ピン１３４で間接的に冷却するものにさらに、断熱材１５２の突起部４０２を介して二重構造で間接的に冷却することができ、霧化電極１３５が極度に冷却されることを防ぐことができる。
【０３０３】
また、円柱状の金属ピン１３４の周囲を断熱材が円錐状に囲っており、最も断熱壁が薄い側が霧化電極１３５から最も遠い側であるので、金属ピンの側面外周部の特に開口部４０７近傍に位置する部分を最も強く、他の部分も側壁の外周面から均一に冷却することが可能となる。
【０３０４】
また、金属ピンの風路側の端面は仕切り板４０１で風路と遮蔽されており、さらに突起部４０２の端面をある程度距離を確保し、仕切り板４０１を圧接させることにより、沿面距離を確保することで、さらに、冷気が金属ピンに直接当たることを防止している。また、これにあわせてテープなどを端面に貼付し、シール性を向上させてもよい。このように貫通孔４０５の開口部４０７を仕切り板４０１に固定することによって、外気温度や庫内温度、霜取り制御等で温度変化が大きい冷蔵庫において、熱変形が生じた場合でも、より確実に金属ピン１３５および霧化部１３９を固定することができる。
【０３０５】
この時、本実施の形態の伝熱接続部材である金属ピン１３４は霧化電極と逆側に凸部１３４ａを有する形状をしているので、霧化部の中で凸部１３４ａ側の端部１３４ｂが冷却手段に最も近接する為、金属ピン１３４の中でも霧化電極１３５から最も遠い端部１３４ｂ側から冷却手段である冷気によって冷却されることとなる。
【０３０６】
また、断熱材１５２の金属ピン１３４背面の一部のみ孔を設け、薄肉部が構成されていないので、発泡スチロールの成型が容易にでき、また、組み立て時の破損などの問題がない。
【０３０７】
さらに金属ピンカバーと貫通孔４０５との間には隙間がなく、また貫通孔４０５の開口部４０７はテープなどにより冷気を遮断しているのでいので、連通している箇所がなく、低温冷気が庫内に漏れてくることもないので、貯蔵室やその周辺部品が結露や低温異常などを起こすことがない。
【０３０８】
さらに、奥面仕切り壁１１１を薄型化でき、庫内の収納量をさらに大きくできる。
【０３０９】
このように冷却手段によって冷却する際に、伝熱接続部材である金属ピン１３４の霧化電極１３５から最も距離の離れた遠い部分である端部１３４ｂが最も強く冷却されることで、金属ピン１３４の大きな熱容量を冷却した上で、金属ピン１３４によって霧化電極１３５が冷却されることで、冷却手段の温度変化が霧化電極１３５に直接的に大きな影響を与えることをさらに緩和し、より変動負荷の小さく安定的なミスト噴霧を実現することができる。
【０３１０】
発生した微細ミストは、下段収納容器１１９内に噴霧されるが非常に小さい微粒子のため拡散性が強く、上段収納容器１２０にも微細ミストは到達する。
【０３１１】
また、霧化装置を静電霧化装置１３１としたことで、発生した微細ミストは、非常に小さい微粒子のため拡散性が強く、噴霧する野菜室１０７全体へ到達する。噴霧される微細ミストは、高圧放電で生成されたため、マイナスの電荷を帯びているので、野菜室１０７内にはプラスの電荷をもつ青果物である野菜が収納されているので、霧化されたミストは、野菜の表面に集まりやすく、これにより保鮮性が向上する。
【０３１２】
また、野菜表面に付着したナノレベルの微細ミストは、ＯＨラジカルと微量ではあるがオゾンなどを多く含んでおり、殺菌、抗菌、除菌などに効果がある他、酸化分解による農薬除去や抗酸化によるビタミンＣ量などの栄養素の増加を野菜に促す。
【０３１３】
ここで、霧化電極１３５に水がないときは、放電距離が離れ、空気の絶縁層を破壊することができず、放電現象がおこらない。これにより霧化電極と対向電極間に電流がながれない。この現象を冷蔵庫１００の制御手段１４６で検知することにより電圧印加部１３３の高圧をＯＮ／ＯＦＦすることもできるので、庫内への熱負荷の抑制と省エネルギが図れる。
【０３１４】
以上のように、本実施の形態８においては、霧化部の凸部である金属ピンと断熱材および冷却室の構成について、断熱材に孔を設け、その箇所に金属ピンを挿入し、金属ピンの端面を仕切り板にその周囲に金属ピンカバーを設けることにより、伝熱接続部材である金属ピン１３４は断熱材１５２の突起部４０２を介して冷却されるので、霧化電極１３５を金属ピン１３４で間接的に冷却するものにさらに、断熱材１５２の突起部４０２を介して二重構造で間接的に冷却することができ、霧化電極１３５が極度に冷却されることを防ぐことができる。また、金属ピンの風路側の端面は仕切り板４０１で風路と遮蔽されており、さらに突起部４０２の端面をある程度距離を確保し、仕切り板４０１を圧接させることにより、沿面距離を確保することで、さらに、冷気が金属ピンに直接当たることを防止している。
【０３１５】
これにより、金属ピンの過冷を防止し、また、冷気漏れなどによる貯蔵室の過冷や結露を防止できる。
【０３１６】
また、本実施の形態では、金属ピン１３４の背面近傍の断熱材に突起部１６２を設けることにより、平面部に比べて金属ピン１３４周辺の剛性を高めた上で、金属ピンを側面側から冷却することができるので、熱伝導のための表面積を増加させることができ、金属ピン１３４の冷却効率を低下させることなく金属ピン１３４周辺の剛性を高めることができる。
【０３１７】
また、突起部の形状については斜面を円錐状にすることにより、冷気は、冷気の流れ方向に対して曲面である突起部１６２の外周をなめるように流れるので風路抵抗の増加を抑制すると共に、金属ピンが側壁の外周から均一に冷却されることで、金属ピン１３４をムラなく冷却でき、金属ピン１３４を介して霧化電極１３５を効率よく冷却することができる。
【０３１８】
また、突起部の形状を円柱状としても良く、その場合には金属ピン１３４の側面から均一に金属ピン１３４を冷却することができるので、よりムラなく冷却できる。
【０３１９】
また、本実施の形態においては、貫通孔４０５の開口部４０７側面の断熱壁を仕切り板４０１に固定することによって、外気温度や庫内温度、霜取り制御等で温度変化が大きい冷蔵庫において、熱変形が生じた場合でも、より確実に金属ピン１３５および霧化部１３９を固定することができる。
【０３２０】
また、本実施の形態８においては、金属ピン周囲に緩衝材を設けていないが、設けてもよい。これにより金属ピンと孔を密着させることができ、冷気もれを防止できる。
【０３２１】
また、本実施の形態８においては、孔の開口部にテープなどの遮蔽物を設置していないが、設置してもよい。これによりさらに、冷気もれを防止できる。
【０３２２】
なお、本実施の形態では、静電霧化装置の外郭と断熱材の貫通孔４０７との間には、緩衝材を用いていないが、金属ピンへの湿度侵入防止やがたつき防止のためウレタンフォームなどの緩衝材を静電霧化装置の外郭ケースもしくは断熱材の凹部に構成してもかまわない。これにより、金属ピンへの湿度流入を防止でき、断熱材に結露することを防止できる。
【０３２３】
（実施の形態９）
図１５は本発明の実施の形態９における冷蔵庫の野菜室近傍の断面図、図１６は冷蔵庫の野菜室上部仕切り壁の図１５のＢ−Ｂ部の平面図、図１７は冷蔵庫の野菜室上部仕切り壁の図１６のＣ−Ｃ部の正面図である。
【０３２４】
本実施の形態では、実施の形態１〜８で詳細に説明した構成と異なる部分についてのみ詳細な説明を行い、実施の形態１〜８で詳細に説明した構成と同じ部分もしくは、同じ技術思想が適用できる部分については、説明を省略する。
【０３２５】
図において、冷蔵庫１００の断熱箱体１０１は主に鋼板を用いた外箱１０２とＡＢＳなどの樹脂で成型された内箱１０３で構成され、その内部には例えば硬質発泡ウレタンなどの発泡断熱材が充填、周囲と断熱され、複数の貯蔵室に区分されている。本実施例においては、野菜室１０７が冷蔵庫の最下部に構成され、その上部に冷凍温度帯の温度設定を行っている冷凍室１０８もしくは製氷室がその上に構成され、その間を仕切り壁で仕切り、貯蔵室として区画されている。
【０３２６】
冷凍室１０８の背面には冷気を生成する冷却室１１０が設けられ、その間には、断熱性を有する各室への冷気の搬送風路と、各室と断熱区画するために構成された奥面仕切り壁１１１が構成されている。
【０３２７】
冷却室の冷却器で生成された冷気は、各室に冷却ファンにより搬送される。ここで本実施例の野菜室１０７は、上部冷却器で生成された冷気を直接もしくは他室で熱交換された戻り風路を利用して、野菜室吐出風路１８２を介して野菜室に流れ、野菜室吸込み風路４２１から再び冷却器１１２に戻る。
【０３２８】
野菜室上面には冷凍室と区画するために仕切り壁４１４が構成されている。
【０３２９】
仕切り壁４１４は、ＡＢＳなどの樹脂で構成された野菜室側仕切り板４１３と冷凍室側仕切り板４１２とその間に断熱性を確保するための発泡スチロールやウレタンなどで構成された断熱材４１１で構成されている。ここで、仕切り壁４１４の野菜室側の壁面の一部に他の箇所より低温になるように凹部を設け、その箇所に静電霧化装置１３１とミスト風路４１７が設置されている。
【０３３０】
静電霧化装置１３１は主に霧化部１３９、電圧印加部１３３で構成されている。霧化部１３９は、霧化電極１３５が設置され、霧化電極１３５はアルミニウムやステンレス、真鍮などの良熱伝導部材からなる伝熱接続部材である金属ピン１３４に固定され、電気的にも電圧印加部から配線されている一端を含め接続している。
【０３３１】
この伝熱接続部材である金属ピン１３４は霧化電極１３５に比べて５０倍以上、好ましくは１００倍以上の大きな熱容量を有するものであり、例えば、アルミや銅などの高熱伝導部材が好ましく、金属ピン１３４の一端からもう一端に冷熱を熱伝導で効率よく伝導させるため、その周囲は断熱部材で覆われていることが望ましい。
【０３３２】
また、長期的に霧化電極１３５と金属ピン１３４の熱伝導の維持も必要であるので、接続部に湿度等の侵入を防止するためにエポキシ部材などを流しこみ、熱抵抗を抑え、さらに、霧化電極１３５と金属ピン１３４を固定する。また、熱抵抗を低下させるために霧化電極１３５を金属ピン１３４に圧入等により固定してもよい。
【０３３３】
さらに、金属ピン１３４は、貯蔵室と冷却器１１２もしくは風路を断熱するための断熱材内で冷温を熱伝導させる必要があるので、その長さは５ｍｍ以上好ましくは１０ｍｍ以上確保することが望ましい。ただし、その長さを３０ｍｍ以上にした場合は、その効果は低下すると同時に仕切り壁が厚くなり庫内収納量が減少する。
【０３３４】
なお、貯蔵室に設置された静電霧化装置１３１が高湿環境下にあり、その湿度が金属ピン１３４に影響する可能性があるので、金属ピン１３４は耐腐食性、耐錆性の性能を持った金属材料、もしくはアルマイト処理などの表面処理、コーティングを行った材料を選択したほうが好ましい。
【０３３５】
伝熱接続部材である金属ピン１３４は、断熱材４１１の一部に設けられた凹部にはめ合わせられ断熱材４１１に固定され、霧化電極１３５は金属ピン１３４とＬ字型に突起した形で取り付けられている。これは、庫内収納量を大きくするために仕切り壁の薄型化に寄与している。
【０３３６】
よって、伝熱接続部材である金属ピン１３４の霧化電極の反対側の端面は、ＡＢＳやＰＰなどの樹脂で成型された冷凍室側の仕切り板に圧接され、冷凍室の冷気から仕切り板を介し、熱伝導で霧化電極を冷却させ、その先端に結露させ、水を生成する。
【０３３７】
このように簡単な構造で冷却手段を構成することができるので、故障が少なく信頼性が高い霧化部を実現することができる。また、冷凍サイクルの冷却源を利用して伝熱接続部材および霧化電極の冷却を行うことができるので、省エネルギで霧化を行うことができる。
【０３３８】
また、霧化電極１３５に対向している位置で貯蔵室側にドーナツ円盤状の対向電極１３６が、霧化電極１３５の先端と一定距離を保つように取付けられ、その延長上にミスト風路４１７が形成されている。
【０３３９】
ミスト風路４１７は、野菜室１０７と冷凍室１０８を区画する仕切り壁４１４の凹部に設けられている。
【０３４０】
仕切り壁４１４は、断熱性と庫内容量を確保するため一般に２５ｍｍ〜４５ｍｍで構成されている。この凹部にミスト風路を設ける。
【０３４１】
ミスト風路４１７は、野菜室から湿度を供給するためのミスト吸込み口４２３とミストを野菜室へ噴霧するミスト吐出口４１６があり、このミスト吸込み口から霧化部に高湿な空気を流入し、霧化部の霧化電極は冷凍室から熱伝導で金属ピンを介して冷却されているため、霧化電極先端は結露する。
【０３４２】
霧化電極先端と対向電極間に高電圧を印加さえることによりミストを発生させ、発生したミストは、ミスト風路４１７を通過して、ミスト吐出口４１６より野菜室に噴霧される。
【０３４３】
さらに、霧化部１３９と電気的に接続された電圧印加部１３３が構成され、高電圧を発生する電圧印加部１３３の負電位側が霧化電極１３５と、正電位側が対向電極１３６とそれぞれ電気的に配線、接続されている。
【０３４４】
霧化電極１３５近傍では、ミスト噴霧のため、常に放電が起こるため、霧化電極１３５先端では、磨耗を生じる可能性がある。冷蔵庫１００は、１０年以上運転することになるので、霧化電極１３５の表面は、強靭な表面処理が必要であり、例えば、ニッケルメッキ、および金メッキや白金メッキを用いることが望ましい。
【０３４５】
対向電極１３６は、例えば、ステンレスで構成されていて、また、その長期信頼性を確保する必要があり、特に異物付着防止、汚れ防止するため、例えば白金メッキなどの表面処理をすることが望ましい。
【０３４６】
電圧印加部１３３は、冷蔵庫本体の制御手段１４６と通信、制御され、冷蔵庫１００もしくは静電霧化装置１３１からの入力信号で高圧のＯＮ／ＯＦＦを行う。
【０３４７】
なお、静電霧化装置１３１を固定している仕切り壁４１４には、風路内の結露を防止するためヒータ等の加熱手段４１８が設置されている。
【０３４８】
以上のように構成された冷蔵庫について、以下その動作・作用を説明する。
【０３４９】
静電霧化装置１３１が設置されている仕切り壁４１４の断熱材４１１の厚さは、霧化電極１３５が固定されている金属ピン１３４を冷却するための冷却能力が必要であり、静電霧化装置１３１が備えられている箇所の壁厚は他の部分より薄く構成されている。そのため、比較的低温である冷凍室からの熱伝導により金属ピン１３４を冷却し、霧化電極１３５を冷却することが出来る。ここで、霧化電極１３５の先端温度を露点以下にすれば、霧化電極１３５近傍の水蒸気は霧化電極１３５に結露し、水滴が確実に生成される。
【０３５０】
ここでは図示しないが庫内に庫内温度検知部や庫内湿度検知部などを設置することにより、あらかじめ決められた演算により厳密に庫内環境下の変化に応じて露点を割り出すことが出来る。
【０３５１】
この状態で霧化電極１３５を負電圧側とし、対向電極１３６を正電圧側として、電圧印加部１３３によりこの電極間に高電圧（例えば７．５ｋＶ）を印加させる。このとき、電極間で空気絶縁層が破壊されコロナ放電が起こり、霧化電極１３５の水が電極先端から霧化し、目視できない１μｍ未満の電荷をもったナノレベルの微細ミストと、それに付随するオゾンやＯＨラジカルなどが発生する。
【０３５２】
発生した微細ミストは、野菜容器内に噴霧される。静電霧化装置１３１から噴霧される微細ミストは、マイナスの電荷を帯びている。一方、野菜室内には青果物である野菜が収納されており、その中には緑の菜っ葉ものや果物等も保存されている。これらの青果物は、通常、購入帰路時での蒸散あるいは保存中の蒸散によってやや萎れかけた状態で収納されていることが多い。これらの青果物は通常、プラスの電荷に帯電されており、噴霧されたマイナスの電荷を持った微細ミストは、野菜表面に集まりやすい。よって、噴霧された微細ミストは野菜室内を再び高湿にすると同時に青果物の表面に付着し、青果物からの蒸散を抑制し、保鮮性を向上させる。また、野菜や果物の細胞の隙間から組織内に浸透し、水分が蒸散して、萎んだ細胞内に再び水分が供給され、細胞の膨圧によって萎れが解消され、シャキッとした状態に復帰する。
【０３５３】
また、発生した微細ミストは、オゾンやＯＨラジカルなどを保持しており、これらは強い酸化力を保持する。そのため、発生した微細ミストが野菜室内の脱臭や野菜表面を抗菌、殺菌することが出来ると同時に、野菜表面に付着する農薬やワックスなどの有害物質を酸化分解・除去することが出来る。
【０３５４】
以上のように、本実施の形態９は、冷蔵庫本体は複数の貯蔵室を有し、霧化部を備えた貯蔵室である野菜室の天面側には霧化部を備えた貯蔵室である野菜室よりも低温に保たれた低温貯蔵室である冷凍室が備えられ、霧化部は野菜室の天面側の仕切り壁に取り付けた。
【０３５５】
これによって、霧化部を備えた貯蔵室の上部に冷凍室や製氷室のような冷凍温度帯の貯蔵室がある場合、それらを仕切る天面の仕切り壁に霧化部を設置することで、上部貯蔵室の冷気で霧化部の伝熱接続部材である金属ピンを冷却し、霧化電極１３５が冷却され、結露させることができるので、特別な冷却装置が不必要で、簡単な構成で霧化部を備えることができるので、故障が少なく信頼性が高い霧化部を実現することができる。
【０３５６】
貯蔵室を区画するための仕切り壁と、貯蔵室の天面側には低温貯蔵室が備えられ、静電霧化装置は天面の仕切り壁に取り付けたことにより、冷凍室や製氷室のような冷凍温度帯の貯蔵室が上部にある場合、それらを仕切る天面の仕切り壁に設置され、その冷却源で静電霧化装置の霧化電極を冷却し、結露させることができるので、特別な冷却装置が不必要で、また、天面から噴霧できるので収納容器全体に拡散しやすい。
【０３５７】
また、霧化部１３９を野菜室１０７の収納空間内に備えず、野菜室側仕切り板４１３の奥側に備えているので、人の手にも触れにくいので安全性が向上させることができる。
【０３５８】
また、本実施の形態の霧化部は静電霧化方式によってミストを生成するものであり、高電圧等の電気エネルギを使って水滴を分裂させ、細分化することによって微細ミストを発生させる。発生したミストは電荷を帯びている為、そのミストに野菜や果物等の付着させたい物と逆の電荷を持たすことによって、例えばプラスの電荷を持つ野菜に対してマイナスの電荷を帯びたミストを噴霧することにより、野菜や果物への付着力が向上するため、より均一に野菜表面にミストが付着するとともに、電荷を帯びていないタイプのミストと比較してミストの付着率をより向上させることが出来る。また、噴霧された微細ミストは直接、野菜容器内の食品に噴霧することができ、微細ミストと野菜の電位を利用して野菜表面に微細ミストを付着させることが出来るので、保鮮性を効率よく向上させることが出来る。
【０３５９】
さらに、本実施の形態の補給水は、外部から供給する水道水ではなく結露水を用いる。そのためミネラル成分や不純物がなく、霧化電極先端の劣化や目詰まりによる保水性の劣化を防ぐことが出来る。
【０３６０】
さらに、本実施の形態のミストはラジカルを含んでいることにより野菜表面に付着する農薬やワックスなどを極めて少ない水量で分解・除去出来るので節水ができ、かつ低入力化が出来る。
【０３６１】
（実施の形態１０）
図１８は本発明の実施の形態１０における冷蔵庫の超音波霧化装置近傍の詳細断面図である。
【０３６２】
本実施の形態では、実施の形態１〜９で詳細に説明した構成と異なる部分についてのみ詳細な説明を行い、実施の形態１〜９で詳細に説明した構成と同じ部分もしくは、同じ技術思想が適用できる部分については、説明を省略する。
【０３６３】
図において、奥面仕切り壁１１１は、ＡＢＳなどの樹脂で構成された奥面仕切り壁表面１５１と、野菜室１０７と冷凍室吐出風路１４１との間の断熱性を確保するための発泡スチロールなどで構成された断熱材１５２で構成される。また、冷凍室吐出風路１４１と冷却室１１０とを隔離するための仕切り板４０１を備えており、また、奥面仕切り壁表面１５１には、貯蔵室の温度調節をする、もしくは表面の結露を防止するためヒータ等の加熱手段１５４が奥面仕切り壁表面１５１と断熱材１５２の間に設置されている。
【０３６４】
ここで、奥面仕切り壁１１１の貯蔵室内側の壁面の一部に霧化装置である超音波霧化装置４６０が設置されている。
【０３６５】
このように、霧化装置である超音波霧化装置４６０は側壁の中でもヒータ等の加熱手段１５４を備える奥面仕切り壁１１１に備えられており、少なくとも超音波霧化装置４６０よりも下方側に加熱手段１５４が備えられているものとする。
【０３６６】
超音波霧化装置４６０は、霧化部であるホーン部４６１、電極部４６２、圧電素子４６３、電極部４６４、金属ピン４６５で構成されたホーン型超音波振動子４６８と、それらを固定、囲う外郭ケース４６７、外郭ケースの備えられたミストを野菜室内に噴霧するための噴霧口４６９で構成されている。また、奥面仕切り壁１１１に貫通部４０５を備え、貫通部４０５に金属ピン４６５が備えられている。霧化先端部であるホーン部４６１は、切削加工や焼結加工等により底面部から先端部に向けて凸部状となっている。ホーン先端部４６１ａは、矩形もしくは円形上に加工され、その断面積比は約１／５以下でホーン部４６１の側面形状は圧電素子４６３の発振周波数に依存しており、ホーン部４６１、電極部４６２、圧電素子４６３、電極部４６４の順に一体的に形成され、各接続間にエポキシやシリコン系の接着剤で接着固定し、圧電素子４６３で発生する振動をホーン先端部４６１ａで最大振幅となるように構成されている。
【０３６７】
また、圧電素子、電極部はここでは図示しないが円筒系で構成されており、その中心部は空間である。ここに金属ピンが構成され、ホーン部と圧着、固定されている。
【０３６８】
ホーン型超音波振動子４６８の外郭はシリコン樹脂やエポキシ樹脂、アクリル樹脂等でコーティングがされている（図示せず）。
【０３６９】
霧化先端部であるホーン部４６１は、熱伝導性の高い材質としており、例えばアルミニウム、チタン、ステンレス等の金属が挙げられる。特に、軽量で、熱伝導性が高く、超音波伝達時の振幅の増幅性能の点からするとアルミニウムを主成分とするもの選択することが好ましいが、冷蔵庫のような耐腐食性が必要でかつ長寿命化の配慮が必要なものにはＳＵＳ３０４やＳＵＳ３１６Ｌのようなステンレスを主成分とするものを選択すると、経年劣化が起こりにくく長期に渡る信頼性が確保できる為望ましい。
【０３７０】
噴霧口４６９は、外郭ケース４６７の一部に矩形や円形の孔が設けられ、霧化部から液体が霧化発生する方向、つまりホーン部４６１のホーン先端部４６１ａと対向する部分の外郭ケース４６７に圧電素子の振幅方向の一端に孔が設けられている。
【０３７１】
霧化装置である超音波霧化装置４６０は霧化部に備えられた霧化先端部であるホーン４６１を冷却手段によって露点温度以下に冷却することで、霧化部周辺の空気中の水分をホーン部４６１に結露させて生成した結露水をホーン先端部４６１ａからミストとして噴霧させるものである。
【０３７２】
また、扉開閉等で多湿状態が続き、ホーン部４６１に必要以上の結露水が供給された時、排水口１３８より排水する。この排水口１３８は、外郭ケース４６７内に溜まった水を外部へ排出する水抜き穴という機能に加え、外郭ケース４６７内へ冷気を取り入れる冷気供給口の機能も果たしている。
【０３７３】
排水された結露水は、仕切り壁１１１の奥面仕切り壁表面１５１を沿い流れるが、ごく微量なため野菜室の対流や背面のヒータにより蒸発する。この時、壁面にヒータ等の加熱手段１５４が備えられていることで他の側面壁と比較して奥面仕切り壁１１１周辺は上昇気流が発生しやすい。よって、この奥面仕切り壁１１１に霧化部が備えられ、さらに霧化部を収納する外郭ケース４６７の下面部に備えられている冷気供給口の機能を果たす排水口１３８から再高湿度の冷気が流れ込み、より結露を促進させることが可能になる。
【０３７４】
以上のように構成された冷蔵庫について、以下その動作を説明する。
【０３７５】
野菜室１０７内の余分な水蒸気を奥面仕切り壁１１１の一部の設置された超音波霧化装置４６０の金属ピン４６５は、ミストが噴霧されている貯蔵室である野菜室よりも低温冷気が流れている冷凍室風路により冷却される。そして、金属ピン４６５とホーン部４６１が圧着しているため霧化先端部であるホーン部４６１が熱伝導により冷却され、野菜室の高湿空気に含まれる水蒸気が低温化されたホーン部４６１によりホーン部に結露することで結露水が生成され、先端部４６１ａに付着する。
【０３７６】
この状態で高圧・発振回路に通電し、高電圧を所定の周波数（例えば８０ｋ〜２１０ｋＨｚ）で発振させ、電極部４６２、電極部４６４に印加すると、圧電素子４６２は振動を起こし、供給された霧化部であるホーン部４６１の先端部４６１ａに付着した水の表面にはキャピラリ波が発生し、先端の水は数μｍから数十μｍの微粒子化され、その振動方向にミストとして霧化する。その微粒子ミストは、噴霧口４６９を通過させることで、ホーン部４６１の先端部４６１ａ以外から発生した粒子径の大きいミストは矩形や円形の噴霧口４６９の外周壁に衝突し、貯蔵室内へ噴霧されずケース内に残るので、比較的小さい粒子径のミストのみを分級し、微細ミストのみが貯蔵室である野菜室１０７へと噴霧される。
【０３７７】
また、超音波霧化装置４６０を一定間隔、例えば１分間ＯＮ、９分間ＯＦＦのようなインターバルで通電し、霧化発生の霧化量を調整しながら野菜室１０７に噴霧し、野菜室１０７をすばやく加湿する。これにより、野菜室１０７は高湿化でき、野菜からの蒸散が抑えられるのと同時に、圧電素子４６３で発生する振動をホーン部４６１先端であるホーン先端部４６１ａで最大振幅となるようにエネルギを集中していることから、圧電素子部４６３は１Ｗから２Ｗ程度の低発熱量に抑えられ、野菜室１０７への温度影響を軽減することができる。
【０３７８】
圧電素子４６３を覆うコーティング材は、平均１０年程度の長期使用が前提となる冷蔵庫においてはコーディング材の劣化を防ぐ為、超音波伝達時の振幅の増幅性能の点から柔軟性がある為に繰り返し振動を受けても劣化しにくいシリコン樹脂を主成分とするもの選択することが好ましく、ホーン部４６１、電極部４６２、圧電素子部４６３、電極部４６４とのそれぞれの結合部における液体や水蒸気の侵入を防ぎ、接着剤の劣化を防ぎ、寿命信頼性の向上に寄与し、冷蔵庫に搭載した場合の実負荷に耐え得る構成となる。
【０３７９】
なお、外郭ケース４６７とホーン型超音波振動子の隙間には、水漏れ防止や共振防止のためにパッキン材（図示せず）を用いてもよい。これにより、上記に記載したような液体や水蒸気の侵入をより確実に防ぐとともに騒音も低減できる。なお、具体的には、フッ素系のパッキン材を用いることにより寿命信頼性が向上する。
【０３８０】
以上のように、本実施の形態においては、断熱区画された比較的高湿環境である野菜室と、野菜室に液体を噴霧するためのホーン型超音波霧化装置を備え、ホーン先端に結露水を生成するためホーン部に金属ピンを設置することにより、先端に結露させ、それを直接噴霧させることにより野菜室内の品質を保持することができる。
【０３８１】
なお、本実施の形態において、霧化させる液体は、静菌力、消臭力を持つ金属イオンを含む、例えば、亜鉛イオン水、銀イオン水、銅イオン水などでもかまわない。これにより貯蔵室内に発生する菌の抑制効果を向上させることができる。
【０３８２】
なお、本実施の形態においては、金属ピン４６５を備える部分の断熱材１５２の形状は図１８で示すものを例に挙げたが、金属ピン４６５を配置する部分に関する形状は実施の形態１〜７で説明したような形状にしても同様の効果を奏するのは言うまでもない。
【０３８３】
なお、本実施の形態においては、霧化装置は超音波霧化装置４６０としたが、実施の形態１〜７で説明した静電霧化装置や、それ以外のエジェクタ方式等の霧化装置であっても、空気中の水分を積極的に結露させた水を用いてミスト噴霧を行うものであれば、他の霧化装置であっても良く、上記実施の形態で説明した技術思想を適用することができる。
【０３８４】
（実施の形態１１）
本発明の実施の形態１１における冷蔵庫を左右に切断した場合の断面を示す縦断面図は、図１とほぼ同じであり、本発明の実施の形態１１の冷蔵庫における野菜室の奥面を示す要部正面図は、図２と同じである。図１９は本発明の実施の形態１１の冷蔵庫における野菜室に備えた静電霧化装置の周辺部を図２のＡ−Ａ線で切断し切断面を矢印方向から見た断面図である。また、図２０ａ，図２０ｂ，図２０ｃ，図２０ｄは本発明の実施の形態１１の冷蔵庫における冷蔵庫のタイムチャートである。
【０３８５】
本実施の形態では、実施の形態１〜１０で詳細に説明した構成と異なる部分についてのみ詳細な説明を行い、実施の形態１〜１０で詳細に説明した構成と同じ部分もしくは、同じ技術思想が適用できる部分については、説明を省略する。
【０３８６】
図において、奥面仕切り壁１１１の貯蔵室（野菜室１０７）内側の壁面の一部に凹部および貫通部１６５を設け、その箇所に静電霧化装置１３１が設置されている。
【０３８７】
静電霧化装置１３１が設置されている奥面仕切り壁表面１５１は、凸部１９１となっており、静電霧化装置１３１は奥面仕切り壁表面の凸部１９１と断熱材１５２に挟まれた状態で設置されている。
【０３８８】
奥面仕切り壁表面の凸部１９１には、静電霧化装置１３１に備えられた噴霧口１３２の延長線上に孔（噴霧口）１９２が備えられ、また、同様に静電霧化装置１３１の外郭ケースの一部に構成された湿度供給口１３近傍に湿度供給口１９３が構成されている。
【０３８９】
この金属ピン１３４が備えられる貫通部１６５は、発泡スチロール等の成型において、２ｍｍ程度の薄肉部を設けると、断熱壁の剛性が低下し、強度不足や成型不良による割れ、穴あきなどの不具合が発生する可能性が高くなり、品質の劣化が懸念される場合がある。
【０３９０】
そこで、本実施の形態では、金属ピン１３４が備えられる貫通部１６５近傍の奥面仕切り壁１１１の断熱材１５２に、冷凍室吐出風路１４１に突出する突起部１６２を設けることにより、冷凍室吐出風路１４１に突起部１６２を設けず冷凍室吐出風路１４１における金属ピン１３４側の面を平面にした場合に比べて、貫通部１６５周辺の剛性を高めた上で、断熱材１５２の壁厚を確保してさらに剛性を高めた形状とした。また、突起部１６２によって金属ピン１３４を側面側と背面側の両方から冷却することができる構成とした。
【０３９１】
さらに、風路抵抗の増加を抑制する目的で、突起部１６２の外周面を先端に向かうほど細くなる円錐状の斜面にしている。
【０３９２】
この際、金属ピン１３４を直接風路（冷凍室吐出風路１４１）内に設置すると、冷却過多になり霧化電極１３５の結露量が過多になるもしくは、凍結する可能性がある。
【０３９３】
そこで、金属ピン１３４の背面近傍の断熱材に孔（貫通部１６５）を設け、そこに金属ピン１３４を挿入し、その周囲に断熱性がありかつ防水性の高い材料であるＰＳやＰＰなどの樹脂で成形された金属ピンカバー１６６を設置することにより、断熱性を確保する。
【０３９４】
また、金属ピンカバー１６６は断熱性を持った絶縁テープなどでも構わない。
【０３９５】
なお、図示はしないが、孔（貫通部１６５）と金属ピンカバー１６６に緩衝材を設け、シール性を確保することにより冷凍室吐出風路１４１からの冷気が金属ピン１３４の周囲に侵入し、貯蔵室内に流入し、貯蔵室内を過冷、凍結状態になることを効果的に防止することができる。
【０３９６】
この金属ピン１３４が外郭ケース１３７に固定され、金属ピン１３４自体は外郭から突起した凸部１３４ａを有して構成されている。この金属ピン１３４は霧化電極１３５と逆側に凸部１３４ａを有する形状で、凸部１３４ａが奥面仕切り壁１１１の断熱材１５２の凹部１１１ａより小さく、貫通部１６５なっている凹部に嵌めあわされ、貫通部１６５の冷凍室吐出風路１４１側の開口部１６７は、冷気遮断部材であるアルミテープなどのテープ１９４を断熱材１５２に貼り付け、冷気を遮断している。
【０３９７】
開口部１６７に貼り付けたテープは、冷却室仕切り板１６１で圧接してもよく、これによりテープ１９４はがれにくい構成となる。さらに冷却室１１０から金属ピン１３４の背面側１３４ｂから冷却室仕切り板１６１を介して冷熱を伝達している。
【０３９８】
ただし、ある程度の寸法誤差等が存在するため、金属ピン１３４と金属ピンカバー１６６の間にはある程度の空隙１９６が存在し、その空隙１９６を埋めるために比較的熱伝導性が優れ、空間の空隙を埋める空隙埋設部材１９７ａ，１９７ｂ，１９７ｃであるブチルや熱拡散コンパウンドが、金属ピン１３４と金属ピンカバー１６６もしくは、金属ピンカバー１６６とテープ１８４の間に埋設されている。
【０３９９】
以上のように構成された本実施の形態の冷蔵庫１００について、以下その動作、作用を説明する。
【０４００】
金属ピン１３４は金属ピンカバー１６６を介して冷却されるので、霧化先端部である霧化電極１３５を金属ピン１３４で間接的に冷却するものに、さらに、熱緩和部材である金属ピンカバー１６６を介して二重構造で間接的に冷却するとき、金属ピン１３４と金属ピンカバー１６６の間、もしくは金属ピンカバー１６６とテープ１９４との間には、加工精度上、空隙１９６ができる可能性があり、仮に空隙１９６ができると、その空間の熱伝導性が非常に悪くなり、金属ピン１３４が十分冷却できなくなり、金属ピン１３４温度および霧化電極１３５温度がバラツキ、場合によっては、霧化電極先端が結露しにくくなる。
【０４０１】
これを防ぐために、上記空隙に空隙埋設部材１９７ａ，１９７ｂ，１９７ｃとしてブチルや熱拡散コンパウンドなどの空隙すなわち空気層と比較してより熱伝導性のよい部材を埋設することによりテープ１９４から金属ピンカバー１６６、金属ピンカバー１６６から金属ピン１３４への熱伝導を確保することにより、霧化電極１３５への冷却能力を確保する。
【０４０２】
また、金属ピン１３４の冷却は、冷却室１１０で生成された冷気を用いて、冷凍室吐出風路１４１から断熱材１５２を介して金属ピン１３４の側面から冷却するものと、冷却室１１０の冷却室仕切り板１６１、テープ１９４を介して熱伝導で金属ピン１３４背面の端部１３４ｂより冷却することが可能である。
【０４０３】
このように、本実施の形態では、貫通部１６５近傍の断熱材１５２に冷凍室吐出風路１４１に突出する突起部１６２を設けることにより、貫通部１６５周辺の剛性を高めた場合でも、金属ピン１３４を側面側と背面側の両方から冷却することができるので、熱伝導のための表面積を増加させることができ、伝熱冷却部材である金属ピン１３４の冷却効率を低下させることなく金属ピン１３４周辺の剛性を高めることができる。
【０４０４】
また、突起部１６２の外周面を先端に向かうほど細くなる円錐状の斜面にすることにより、冷気は、冷気の流れ方向に対して曲面である突起部１６２の外周をなめるように流れるので風路抵抗の増加を抑制すると共に、伝熱冷却部材である金属ピン１３４が側壁の外周から均一に冷却されることで、金属ピン１３４をムラなく冷却でき、金属ピン１３４を介して霧化先端部である霧化電極１３５を効率よく冷却することができる。
【０４０５】
また、断熱材１５２の金属ピン１３４背面の一部のみ貫通孔である貫通部１６５を設け、薄肉部が構成されていないので、発泡スチロールの成型が容易にでき、また、組み立て時の破損などの問題がない。
【０４０６】
さらに金属ピンカバー１６６と貫通部１６５の間には隙間がなく、また貫通部１６５の開口部１６７はテープ１９４により隣接する冷却風路からの冷気の侵入を遮断しているので、低温冷気が庫内に漏れてくることもないので、貯蔵室（野菜室１０７）やその周辺部品が結露や低温異常などを起こすことがない。
【０４０７】
また、加工精度、組み立て精度上でどうしても発生する金属ピンカバー１６６と金属ピン１３４の間に生じる空隙発生による伝熱劣化については、ブチル等の熱伝導部材により空隙１９６を埋めることで熱伝導性を確保し、冷却能力を確保する。テープ１９４と金属ピンカバー１６６の間に生じる空隙１９６についても同様に対応できる。
【０４０８】
これらの冷却により霧化電極１３５が結露し、対向電極１３５と霧化電極１３６間で高圧放電を発生させることにより生じる微細ミストは、静電霧化装置１３１の外郭ケース１３７に構成されている噴霧口１３２を通過し、奥面仕切り壁表面１５１に設置された孔（噴霧口）１９２より野菜室１０７内に噴霧されるが非常に小さい微粒子のため拡散性が強く、野菜室１０７内全体に微細ミストは到達する。噴霧される微細ミストは、高圧放電で生成されたため、マイナスの電荷を帯びているので、野菜室１０７内にはプラスの電荷をもつ青果物である野菜が収納されているので、霧化されたミストは、野菜の表面に集まりやすく、これにより保鮮性が向上する。
【０４０９】
また、仮に霧化電極１３５にて異常に結露が発生した場合でも、霧化電極１３５の下方に湿度供給口１３８が開口し、その延長線上に奥面仕切り壁表面１５１にも湿度供給口１９３が構成されているので、水が霧化部１３９に貯留され、異常が発生することはない。
【０４１０】
次に図２０ａ〜図２０ｄのタイムチャートにより、冷蔵庫の動作を含め、静電霧化装置１３１、金属ピンヒータ１５８の動作を説明する。
【０４１１】
通常、冷蔵庫１００において、冷凍室１０８、冷蔵室１０４の庫内温度が規定温度より上昇すると各室を冷却するため圧縮機１０９の運転が開始される。（図２０ａのＡ点）このとき、冷蔵室１０４を冷却、温度調整するための冷蔵室ダンパの動作が閉から開となり、冷蔵室１０４およびその風路経路上の下流にある野菜室１０７の冷却が開始され、これらの風路を通って冷気が貯蔵室へ流入することによって、これら貯蔵室は比較的、低湿状態なる。ここで、静電霧化装置１３１の霧化電極１３５の氷結防止、および乾燥促進のため金属ピンヒータ１５８を冷蔵室ダンパ開の間、ヒータ入力を印加する。すなわち野菜室へ冷気が流入している場合には乾燥を促進するように制御を行う。
【０４１２】
次に冷蔵室１０４が規定温度まで冷却され、冷蔵室ダンパが開から閉へ移行すれば、野菜室１０７内へ冷気の流入がなくなることで野菜室１０７の貯蔵室内湿度が上昇するので、金属ピンヒータ１５８の印加を停止させ、霧化電極１３５の結露・噴霧モードに移行する。（図２０ａのＢ点）このとき、微細ミストを発生させるため、静電霧化装置１３１の電圧印加部１３３の高圧印加をＯＮにする。その後、霧化電極１３５が冷却され、また霧化電極１３５周辺が高湿度化することで霧化電極先端が結露しはじめ、ある一定以上に成長すると対向電極１３６と霧化電極１３５間の高圧放電によりナノレベルの微細ミストが発生し、貯蔵室内に噴霧される。すなわち野菜室へ冷気の流入が停止している場合に、霧化電極が結露するように制御を行う。
【０４１３】
その後、冷凍室１０８が規定温度に冷却されると圧縮機１０９が停止し（図２０ａのＣ点）、冷却が停止、冷却器１１２の温度が上昇するのでさらに野菜室内の湿度が上昇し、さらに霧化しやすい環境となる。また、このとき、金属ピン１３４はある程度の熱容量を備えているので急激に温度上昇せず、冷却された状態を保持しているので引き続き、霧化電極１３５は冷却され、霧化電極先端は結露することで、ミストを噴霧することができる。
【０４１４】
そして、再び冷凍室１０８、冷蔵室１０４が規定以上の温度になり、再び圧縮機１０９が運転を開始する。（図２０ａのＡ点）このとき、圧縮機１０９の動作開始直後は、霧化電極先端の結露水は存在し、また急激に乾燥もしないので、Ａ点からΔｔ１時間だけ、例えば３分から１０分間、電圧印加部１３３の高圧印加を継続する。これにより、噴霧時間を延長でき、保鮮性が向上する。
【０４１５】
また、図２０ｂに示すとおり、乾燥モードから結露・噴霧モードへの移行直後は、霧化電極先端に水が付着していることは大変少ないので、Ｂ点からΔｔ２分、例えば５分〜１０分程度（Ｅ点）高圧印加開始を遅延させることにより、十分に結露が行われてからミスト噴霧を行うことで効率よく噴霧ができ、省エネが図れる。
【０４１６】
ただし、冷蔵庫の周囲環境が低温環境の場合には、冷蔵室ダンパが開となって冷蔵室を冷却する時間は極めて短くなる。
【０４１７】
そこで、外気温度がある一定温度以下の場合、もしくは冷蔵室１０４の負荷が比較的少ない場合、上記のダンパとの連動のみでは霧化電極１３５の乾燥を行うのが難しくなるが、金属ピンヒータ１５８の動作を図２０ａで示す冷蔵室ダンパと連動する方式ではなく、図２０ｃのような圧縮機１０９との連動にすることにより、金属ピンヒータ１５８の加熱時間を確保し、霧化電極１３５の氷結防止、乾燥促進を行うことができる。そして、電極に結露をさせてミストを噴霧させる為の電圧印加部１３３の高圧印加は、圧縮機１０９が停止中に通電し、霧化電極１３５と対向電極１３６間に高圧を印加する。ただし、図２０ａで説明した、Ａ点からＤ点の高圧印加の継続は行う。これにより、低温環境下でも安定したミストの噴霧が可能となる。
【０４１８】
さらに、図２０ｄに示すように金属ピンヒータ１５８の入力に余裕がある場合、霧化電極の冷却時間を確保するため、圧縮機１０９の運転開始からΔｔ３分間（Ａ点からＦ点）、通常時よりヒータの加熱量を大きくし、強力に氷結防止、乾燥促進を行うことで乾燥時間を短縮することができる。これにより、ヒータ停止後のすべての時間は冷却に利用することができ、霧化電極先端が結露しやすくなるのでミスト噴霧時間が長くなり、これにより野菜に付着するミスト量も増加するので保鮮度が向上する。
【０４１９】
さらにここでは、詳細な説明は、省略するが、冷却器の除霜時や除霜直後は、高湿度の冷気を取り込みやすくなる為、霧化電極１３５は比較的、噴霧のしやすい環境下になるので、高圧を印加させて結露・噴霧モードへ移行するほうが望ましい。また、除霜直後の霧化電極は比較的高温状態となっているので金属ピンヒータ１５８はある一定時間停止し田後に、高圧を印加してミスト噴霧を行うとよい。
【０４２０】
このように、結露・噴霧モードと乾燥モードを繰り返して霧化装置である静電霧化装置１３１の霧化電極１３５の状態を適切に制御することによって、より噴霧効率を上昇させることができ、省エネルギでミスト噴霧を行うことが可能となり、さらに、霧化先端部である霧化電極１３５を冷却する際の温度管理を行いやすくなるので、より精度の高い噴霧量に制御することができる。
【０４２１】
以上のように、本実施の形態１１においては、霧化部１３９の凸部１３４ａである金属ピン１３４の構成について、断熱材１５２に貫通孔である貫通部１６５を設け、その箇所に金属ピン１３４を挿入し、その周囲に金属ピンカバー１６６を設け、金属ピンカバー１６６と金属ピン１３４間の空隙１９６、もしくは貫通部１６５の開口部１６７に貼付されたテープ１９４と金属ピン１３４の間の空隙１９６については、熱伝導部材を構成することにより、それら空隙１９６をなくし、冷却風路もしくは、冷却室１１０からの熱伝導を確保する。
【０４２２】
また、貫通部１６５の開口部１６７に貼付されたテープ１９４は冷却室１１０と冷凍室吐出風路１４１を仕切るための冷却室仕切り板１６１で押さえつけ、はがれを防止しているので品質の安定性が確保でき、また、霧化電極１３５、金属ピン１３４に対しての熱伝導による冷却能力確保もできる。
【０４２３】
なお、本実施の形態１１においては、金属ピン１３４周囲に緩衝材を設けていないが、設けてもよい。これにより貫通孔（貫通部１６５）と金属ピンカバー１６６間を密着させることができ、冷気もれを防止できる。
【０４２４】
なお、本実施の形態では、伝熱冷却部材である金属ピン１３４を冷却するための風路を、冷凍室吐出風路１４１としたが、製氷室１０６の吐出風路や、冷凍室１０８戻り風路などの低温風路でも構わない。これにより、静電霧化装置１３１の設置可能場所が拡大する。
【０４２５】
なお、本実施の形態では、伝熱冷却部材である金属ピン１３４を冷却する冷却手段を、冷蔵庫１００の冷凍サイクルで生成された冷却源を用いて冷却された冷気としたが、冷蔵庫１００の冷却源からの冷気もしくは冷温を用いた冷却管からの熱伝達を用いるものであってもよい。これにより、この冷却管の温度を調節することで、伝熱冷却部材である金属ピン１３４を任意の温度に冷却することができ、霧化先端部である霧化電極１３５を冷却する際の温度管理を行いやすくなる。
【０４２６】
なお、本実施の形態では霧化部を冷却する伝熱冷却部材である金属ピン１３４と冷却手段との間に空気層ができないように、金属ピン１３４と冷却手段との間の空隙に空隙埋設部材１９７ａ，１９７ｂ，１９７ｃであるブチルや熱拡散コンパウンドなどの空気層と比較してより熱伝導性のよい部材で空隙１９６を埋めるものとしたが、伝熱冷却部材である金属ピン１３４と冷却手段との間に空気層がないものとすればこの限りでなく、例えば金属ピン１３４を壁面である冷却室仕切り板１６１に圧接して固定することで空気層をなくすことにより金属ピン１３４への熱伝導を確保することができ、より簡単な構成で霧化先端部である霧化電極１３５を冷却する際の温度管理を適切に行うことができる。
【０４２７】
（実施の形態１２）
本発明の実施の形態１２における冷蔵庫を左右に切断した場合の断面を示す縦断面図は、図１とほぼ同じであり、本発明の実施の形態１２の冷蔵庫における野菜室の奥面を示す要部正面図は、図２と同じである。図２１は本発明の実施の形態１２の冷蔵庫における野菜室に備えた静電霧化装置の周辺部を図２のＡ−Ａ線で切断し切断面を矢印方向から見た断面図である。
【０４２８】
本実施の形態では、実施の形態１〜１１で詳細に説明した構成と異なる部分についてのみ詳細な説明を行い、実施の形態１〜１１で詳細に説明した構成と同じ部分もしくは、同じ技術思想が適用できる部分については、説明を省略する。
【０４２９】
図において、奥面仕切り壁１１１の貯蔵室（野菜室１０７）内側の壁面の一部に貫通部１６５を設け、その箇所に静電霧化装置１３１が設置されている。
【０４３０】
静電霧化装置１３１が設置されている奥面仕切り壁表面１５１は、凸部１９１となっており、静電霧化装置１３１は奥面仕切り壁表面１５１の凸部１９１と断熱材１５２に挟まれた状態で設置されている。
【０４３１】
静電霧化装置１３１の金属ピン１３４は、その外周を覆うように断熱性がありかつ防水性の高い材料であるＰＳやＰＰなどの樹脂で成形された金属ピンカバー１６６が取り付けられた状態で断熱材１５２の貫通部１６５に嵌め合わせされる。
【０４３２】
このとき金属ピンカバー１６６は、周囲の断熱材１５２と圧接状態になっており、金属ピン１３４に水が付着したとき、断熱材１５２が付着し、断熱材内部に浸透、凍結、破損することを防止している。
【０４３３】
ただし、金属ピン１３４の端部１３４ｂについては、背面からの冷却能力を確保するため、金属ピンカバー１６６の形状は、円筒状で構成されており、金属ピン１３４の端部１３４ｂのみ開放状態となり、貫通部１６５の開口部１６７は、アルミテープなどのテープ１９４を断熱材１５２に貼り付け、冷気を遮断している。
【０４３４】
ここで、金属ピン１３４の端部１３４ｂはテープ１９４の密着するように張り合わせされ、熱伝導性を確保している。
【０４３５】
なお、金属ピンカバー１６６は断熱性を持った絶縁テープなどでも構わない。
【０４３６】
ただし、ある程度の寸法誤差等が存在するため、金属ピン１３４と金属ピンカバー１６６の間にはある程度の空隙１９６が存在し、その空隙１９６を埋めるために比較的熱伝導性が優れ、空間の空隙を埋める空隙埋設部材１９７ｄであるブチルや熱拡散コンパウンドのような熱伝導保持材が金属ピン１３４と金属ピンカバー１６６に埋設されている。
【０４３７】
以上のように構成された本実施の形態の冷蔵庫１００について、以下その動作、作用を説明する。
【０４３８】
金属ピン１３４は冷却風路もしくは、冷却室１１０を仕切る冷却室仕切り板１６１からテープ１９４、空隙埋設部材１９７ｄであるブチルを介して冷却、もしくは金属ピン側面の断熱材から冷却されている。ここで、テープ１９４を介して二重構造で間接的に冷却するとき、金属ピンカバー１６６とテープ１９４との間には、加工精度上、空隙１９６ができる可能性があり、仮に空隙１９６ができると、その空間の熱伝導性が非常に悪くなり、金属ピン１３４が十分冷却できなくなり、金属ピン１３４温度および霧化電極１３５温度がバラツキ、場合によっては、霧化電極先端が結露しにくくなる。
【０４３９】
これを防ぐために、組み立て時に確実にテープ１９４と金属ピン１３４を密接していることを確認するとともに、仮に空隙が生じる可能性がある場合、空隙埋設部材１９７ｄであるブチルブチルや熱拡散コンパウンドなどの熱伝導部材で空隙１９６を埋めることによりテープ１９４から金属ピン１３４への熱伝導を確保することにより、霧化電極１３５への冷却能力を確保する。
【０４４０】
さらに金属ピンカバー１６６と貫通部１６５の間には隙間がなく、また貫通部１６５の開口部１６７はテープ１９４により隣接する冷却風路からの冷気の侵入を遮断し、低温冷気が庫内に漏れてくることもないので、貯蔵室（野菜室１０７）やその周辺部品が結露や低温異常などを起こすことがない。
【０４４１】
また、加工精度、組み立て精度上でどうしても発生する金属ピンカバー１６６と金属ピン１３４の間に生じる空隙発生による伝熱劣化については、ブチル等の熱伝導部材により空隙１９６を埋めることで熱伝導性を確保し、冷却能力を確保する。テープ１９４と金属ピン１３４の間に生じる空隙１９６についてもブチル等の熱伝導部材により空隙１９６を埋めることで熱伝導性を確保できる。
【０４４２】
また、金属ピンカバー１６６と貫通部１６５の間には隙間がなく構成されているため、発泡スチロールで構成されている断熱材に含水することを防止しているので、断熱材に水が浸透し、浸透部が凍結し、その箇所が水の体積膨張により応力がかかり、亀裂が入り、破損することを防ぐことにより、さらに品質を確保している。
【０４４３】
また貫通部１６５の開口部１６７はテープ１９４により隣接する冷却風路からの冷気の侵入を遮断しているので、低温冷気が庫内に漏れてくることもないので、貯蔵室（野菜室１０７）やその周辺部品が結露や低温異常などを起こすことがない。
【０４４４】
これらの冷却により霧化電極１３５が結露し、対向電極１３５と霧化電極１３６間で高圧放電を発生させることにより生じる微細ミストは、静電霧化装置１３１の外郭ケース１３７に構成されている噴霧口１３２を通過し、奥面仕切り壁表面１５１に設置された孔（噴霧口）１９２より野菜室１０７内に噴霧されるが非常に小さい微粒子のため拡散性が強く、野菜室１０７内全体に微細ミストは到達する。噴霧される微細ミストは、高圧放電で生成されたため、マイナスの電荷を帯びているので、野菜室１０７内にはプラスの電荷をもつ青果物である野菜が収納されているので、霧化されたミストは、野菜の表面に集まりやすく、これにより保鮮性が向上する。
【０４４５】
また、仮に霧化電極１３５にて異常に結露が発生した場合でも、霧化電極１３５の下方に湿度供給口１３８が開口し、その延長線上に奥面仕切り壁にも湿度供給口１９３が構成されているので、水が霧化部１３９に貯留され、異常が発生することはない。
【０４４６】
以上のように、本実施の形態１２においては、霧化部１３９の凸部１３４ａである金属ピン１３４の金属ピンカバー１６６の構成について、断熱材１５２に貫通孔である貫通部１６５に金属ピン１３４を挿入する際、金属ピン１３４の外周を覆うように金属ピンカバー１６６を構成し、貫通部１６５に圧接するように埋設し、また、金属ピンカバー１６６の金属ピン１３４の端部１３４ｂ側の面は開放状態し、貫通部１６５の開口部１６７の貼付されているテープと金属ピン間の空隙については、熱伝導部材を構成することにより、それら空隙をなくし、冷却風路もしくは、冷却室からの熱伝導を確保する。
【０４４７】
これによって、霧化電極、金属ピンに対しての熱伝導による冷却能力確保もできる。
【０４４８】
また、貫通部１６５の開口部１６７に貼付されたテープは冷却室１１０と冷凍室吐出風路１４１を仕切るための冷却室仕切り板１６１で押さえつけられ、これによりはがれを防止しているので品質の安定性が確保できる。
【０４４９】
また、貫通部１６５に金属ピンカバー１６６を圧接しながら設置しているので発泡スチロールである断熱材１５２への含水を防ぐことにより、断熱材の亀裂発生、破損を防止している。
【０４５０】
また、金属ピン１３４周囲に緩衝材を設けていないが、設けてもよい。これにより貫通孔（貫通部１６５）と金属ピンカバー１６６間を密着させることができ、冷気もれを防止できる。
【０４５１】
（実施の形態１３）
図２２は本発明の実施の形態１３における冷蔵庫の野菜室近傍の断面図である。また、図２３は本発明の実施の形態１３における別形態の冷蔵庫の野菜室近傍の断面図である。さらに、図２４は図２３のＣ−Ｃ部の静電霧化装置近傍の詳細平面図である。
【０４５２】
本実施の形態では、実施の形態１から１２で詳細に説明した構成と異なる部分についてのみ詳細な説明を行い、実施の形態１で詳細に説明した構成と同じ部分もしくは、同じ技術思想が適用できる部分については、説明を省略する。
【０４５３】
図に示すように、本発明の実施の形態１３は冷蔵庫１００の最上部には第一の貯蔵室としての冷蔵室１０４、その冷蔵室１０４の下部に第四の貯蔵室としての切換室１０５と第五の貯蔵室としての製氷室１０６が横並びに設けられ、その切換室１０５と製氷室１０６の下部に冷凍室１０８が構成され、冷凍室１０８のさらに下部に野菜室１０７が構成されている。
【０４５４】
野菜室１０７と冷凍室１０８の温度帯を区切るために断熱性を確保した第二の仕切り壁１２５があり、第二の仕切り壁１２５の奥側と冷凍室１０８奥面には仕切り壁５５１が構成され、仕切り壁５５１と冷蔵庫の断熱箱体１０１の間には、冷却器１１２が設置され、その下部には、冷却器に付着した霜を融解するためのラジアントヒータ１１４と融解した水を受けるためのドレンパン１１５が設置され、各室に冷気を搬送するための冷却ファン１１３を含めこれらで冷却室１１０を構成している。この冷却室１１０と野菜室を仕切る第２の仕切り壁１２５に霧化装置である静電霧化装置１３１は、図２２のように冷却室１１０の冷却源を利用するように設置されており、特に霧化部１３９の伝熱接続部材である金属ピン１３４部については、その第二の仕切り壁１２５の断熱材が凹形状になっており、その近傍に金属ピンヒータ１５８が構成されている。
【０４５５】
また、野菜室１０７を冷却するための風路構成は、図２２に示すとおり、野菜室１０７の奥面に冷蔵室からの風路もしくは、冷凍室からの風路を利用した野菜室吐出風路２５２が構成され、野菜室１０７よりやや低温の空気が野菜室吐出風路５５２を経由して、野菜室吐出口１２４より野菜室１０７の下段収納容器１１９の奥面から底面に向けて流出する。そして、その冷気の流れは、下段収納容器１１９の底面から前面に流れ、収納容器前方の飲料収納部１６６に流れこみ、さらに、第２の仕切り壁１２５の下面に設置された野菜室吸込み口１２６に流れ、野菜室吸込み風路５５３より冷却器１１２に循環している。
【０４５６】
また、上段収納容器１２０は、その底面側の一部が下段収納容器１１９内に配置されており、この下段収納容器１１９内に配置されている上段収納容器１２０に複数の空気流通孔１７１が設けられている。
【０４５７】
また、上段収納容器１２０の底面は、凹凸形状で形成された波型形状としている。
【０４５８】
第二の仕切り壁１２５は、主にＡＢＳなどの樹脂で外殻が構成され、その内部には発泡ウレタンや発泡スチロールなどを用い、野菜室１０７と冷凍室１０８、冷却室１１０を断熱しているとともに、貯蔵室内側の壁面の一部に他の箇所より低温になるように凹部１１１ａを設け、その箇所に霧化装置である静電霧化装置１３１が設置されている。
【０４５９】
静電霧化装置１３１を固定している第２の仕切り壁１２５には、静電霧化装置１３１に備えられた伝熱接続部材である金属ピン１３４の温度調整と、霧化先端部である霧化電極１３５を含めた周辺部の過剰結露を防止するための金属ピンヒータ１５８が霧化部１３９近傍に設置されている。
【０４６０】
この伝熱接続部材である金属ピン１３４が外郭ケース１３７に固定され、金属ピン１３４自体は外郭から突起した凸部１３４ａを有して構成されている。この金属ピン１３４は霧化電極１３５と逆側に凸部１３４ａを有する形状で、凸部１３４ａが第２の仕切り壁１２５と貯蔵室の背面側の仕切り壁２５１とが接する角部に嵌めあわされている。
【０４６１】
これによって、角部であることで最も断熱壁の厚い壁面に金属ピン１３４を含む静電霧化装置１３１を配置することによって、他の部分と比較して断熱壁が厚いことで金属ピンを断熱壁へより深く埋め込むことができ、霧化装置の設置による貯蔵室内容積の減少を抑えることが可能となるのでより霧化装置を備えたより大容量の貯蔵室を実現することが可能となる。
【０４６２】
よって、伝熱接続部材である金属ピン１３４の背面側は冷却室１１０側に近接した配置となっている。
【０４６３】
ここで、伝熱接続部材である金属ピン１３４の冷却は、冷却室１１０で生成された冷気を用いており、金属ピン１３４は熱伝導性のよい金属片で形成したので、冷却手段は、冷却器１１２で生成された冷気からの熱伝導だけで必要な冷却を行うことができる。
【０４６４】
静電霧化装置１３１の霧化部１３９は蓋体１２２と上部収納容器１２０の間隙に設置されており霧化電極先端は、上部収納容器１２０に向け設置されている。
【０４６５】
また、場合によれば、図２３および図２４に示すように第２の仕切り壁１２５に霧化電極１３５を垂直方向に設置するように取り付けてもよい。
【０４６６】
この場合、冷凍室１０８からの熱伝導により金属ピンを冷却するとともに、蓋体１２２の一部には静電霧化装置１３１からのミストが上部収納容器に噴霧できるように孔が設けられている。
【０４６７】
以上のように構成された冷蔵庫について、以下その動作・作用を説明する。
【０４６８】
静電霧化装置１３１が設置されている第二の仕切り壁１２５の厚さは、冷凍室１０８および冷却室１１０と野菜室を断熱区画するための壁厚が必要であるが、その一方、霧化先端部である霧化電極１３５が固定されている金属ピン１３４を冷却するための冷却能力が必要であり、静電霧化装置１３１が備えられている壁厚は他の部分より薄く構成されている。さらに金属ピン１３４が保持されている最深凹部の壁厚はさらに薄く構成されている。そのため、低温である冷却室１１０からの熱伝導により金属ピン１３４を冷却し、霧化電極１３５を冷却することが出来る。ここで、霧化電極１３５の先端温度を露点以下にすれば、霧化電極１３５近傍の水蒸気は霧化電極１３５に結露し、水滴が確実に生成される。
【０４６９】
また、外気温度変動により冷凍室１０８の温調が変動し、霧化電極１３５が過冷になる場合があるため、霧化電極１３５近傍に設置された金属ピンヒータ１５８で霧化電極１３５の温度を調整することにより霧化電極１３５先端の水量を最適化する。
【０４７０】
このとき、野菜室１０７の冷気の流れは、野菜室吐出風路５５２より野菜室より低温である冷気が野菜室吐出口１２４から吐出され、下部収納容器１２０の底面の収納容器と断熱箱体間で構成された風路に流れ、前方扉側に流れる。そして下部収納容器１１０の一部に設けられた空気流通孔５５４から収納容器内に流入し、飲料収納部の飲料を冷却する。このとき下部収納容器の奥側の区画は間接冷却により冷却される。そして、冷気は第二の仕切り壁１２５の下面に設置された野菜室吸込み口１２６に流れ、野菜室吸込み風路５５３より冷却器１１２に循環している。これにより、上部収納容器にも冷気の影響が少なくなっており、保鮮性が維持されることになる。
【０４７１】
よって、本実施の形態においては、野菜室内の冷気の流れをコントロールし、上手に使いわけている。まず、低温で乾燥した冷気をＰＥＴボトル等の飲料が置かれることが多い飲料仕切り板１６７の手前部分の収納飲料収納部１６６に多量に入れて、低温冷気を直接触れることで、冷却スピードを確保し、次に野菜室の手前側から流入した冷気が背面側へと流れるにつれて湿度が高くなっていくので、扉側よりも背面側の湿度を相対的高くすることで、背面側に配置された静電霧化装置１３１周辺は高湿度の雰囲気として静電霧化装置１３１で空気中の水分が結露しやすい環境にすることができる。さらに、貯蔵室内の水分を結露させた水滴を用いて静電霧化装置１３１によって噴霧されたミストは、粒子径がナノレベルで細かく拡散性の高い微細ミストとなって上段収納容器１２０を満たした上で、下段収納容器１１９へと流入して保湿を行うようにしている。
【０４７２】
このように冷気の流れをコントロールすることによって、スピーディーに冷却したい収納物を手前部分の収納飲料収納部１６６に収納し、比較的低温障害等が起こりにくい一般的な野菜や果物を下段収納容器１１９へ、より低温障害が起こりやすい野菜や果物を上段収納容器１２０へと収納することで、それぞれの収納物に合った冷却を行うことができ、より品質が高く保鮮性を向上させた野菜室を提供することが可能となる。
【０４７３】
なお、本実施の形態では、ミストを噴霧することを前提としているが、野菜室吐出口１２４から導入した冷気をＰＥＴボトル収納部にまず開放させることで、ＰＥＴボトルの冷却スピードを速めることができるので、ミスト噴霧装置を設置しない場合においても、ＰＥＴボトルの冷却スピードを速めた上で上段収納容器１２０の保湿性を向上させることができる。
【０４７４】
よって、ミスト噴霧装置が備えられない場合であっても、本実施の形態のように乾燥した低温空気をまず下段収納容器１１９の扉側部分の収納飲料収納部１６６に乾燥した冷気が入るように構成し、その後に野菜等を収納する下段収納容器１１９を経て上段収納容器１２０へと流れ込む風路を構成することで、ある程度上段収納容器の保湿化と高温化を図ることができるという効果を奏する。この構成に加え、さらにミスト噴霧を行うことによって低温障害を抑制するという相乗効果が得られることとなる。
【０４７５】
ここでは図示しないが庫内に庫内温度検知部や庫内湿度検知部、霧化電極温度およびその周辺湿度などを設置することにより、あらかじめ決められた演算により厳密に庫内環境下の変化に応じて露点を割り出すことが出来る。
【０４７６】
この状態で霧化電極１３５を負電圧側とし、対向電極１３６を正電圧側として、電圧印加部１３３によりこの電極間に高電圧（例えば７．５ｋＶ）を印加させる。このとき、電極間で空気絶縁層が破壊されコロナ放電が起こり、霧化電極１３５の水が電極先端から霧化し、目視できない１μｍ未満の電荷をもったナノレベルの微細ミストと、それに付随するオゾンやＯＨラジカルなどが発生する。
【０４７７】
発生した微細ミストは、上部収納容器１２０に噴霧される。静電霧化装置１３１から噴霧される微細ミストは、マイナスの電荷を帯びている。一方、野菜室内には青果物である野菜が収納されており、特に上部収納容器には、低温に弱い果物等の青果物を入れることが多い。これらの青果物は、通常、購入帰路時での蒸散あるいは保存中の蒸散によってやや萎れかけた状態で収納されていることが多い。これらの青果物は通常、プラスの電荷に帯電されており、噴霧されたマイナスの電荷を持った微細ミストは、野菜表面に集まりやすい。よって、噴霧された微細ミストは野菜室内を再び高湿にすると同時に青果物の表面に付着し、青果物からの蒸散を抑制し、保鮮性を向上させる。また、野菜や果物の細胞の隙間から組織内に浸透し、水分が蒸散して、萎んだ細胞内に再び水分が供給され、細胞の膨圧によって萎れが解消され、シャキッとした状態になるのと同時にミストに含まれているラジカルによって、除菌や低温障害抑制、栄養素増加などの働きやその強い酸化力により農薬を分解し、野菜表面から農薬を除去しやすくすることが可能となる。
【０４７８】
以上のように、本実施の形態１３は、貯蔵室を区画するための仕切り壁と、貯蔵室の天面側には低温貯蔵室が備えられ、静電霧化装置は天面の仕切り壁に取り付けたことにより、冷却室、冷凍室や製氷室のような冷凍温度帯の貯蔵室が上部にある場合、それらを仕切る天面の仕切り壁に設置され、その冷却源で静電霧化装置の霧化電極を冷却し、結露させることができるので、特別な冷却装置が不必要で、また、天面から噴霧できるので収納容器全体に拡散しやすく、また、人の手にも触れにくいので安全性が向上させることができる。
【０４７９】
また、本実施の形態の霧化部は静電霧化方式によってミストを生成するものであり、高電圧等の電気エネルギを使って水滴を分裂させ、細分化することによって微細ミストを発生させる。発生したミストは電荷を帯びている為、そのミストに野菜や果物等の付着させたい物と逆の電荷を持たすことによって、例えばプラスの電荷を持つ野菜に対してマイナスの電荷を帯びたミストを噴霧することにより、野菜や果物への付着力が向上するため、より均一に野菜表面にミストが付着するとともに、電荷を帯びていないタイプのミストと比較してミストの付着率をより向上させることが出来る。また、噴霧された微細ミストは直接、野菜容器内の食品に噴霧することができ、微細ミストと野菜の電位を利用して野菜表面に微細ミストを付着させることが出来るので、保鮮性を効率よく向上させることが出来る。
【０４８０】
また、金属ピン１３４ａが第２の仕切り壁１２５と貯蔵室の背面側の仕切り壁２５１とが接する角部に嵌めあわされていることで、角部であることで最も断熱壁の厚い壁面に金属ピン１３４を含む静電霧化装置１３１を配置することによって、他の部分と比較して断熱壁が厚いことで金属ピンを断熱壁へより深く埋め込むことができ、霧化装置の設置による貯蔵室内容積の減少を抑えることが可能となるのでより霧化装置を備えたより大容量の貯蔵室を実現することが可能となる。
【０４８１】
さらに、また、金属ピン１３４ａが第２の仕切り壁１２５と貯蔵室の背面側の仕切り壁２５１とが接する角部に嵌めあわされており、金属ピンを冷却する冷却手段として冷却室１１０の底面側を用いることで、暖かい空気は上方へと上がり、冷たい空気は下方へと向かう特性から冷却室１１０の中でも最も温度の低い部分を冷却源とすることができるので、より効率よく金属ピン１３４ａを冷却することが可能となる。
【０４８２】
さらに、また、金属ピンを冷却する冷却手段として冷却室１１０の底面側を用いることで、低温風路の中でもより温度変動の小さい冷却室の底面側を冷却源とすることでより安定して金属ピンの冷却を行うことが可能となる。
【０４８３】
さらに、本実施の形態の補給水は、外部から供給する水道水ではなく結露水を用いる。そのためミネラル成分や不純物がなく、霧化電極先端の劣化や目詰まりによる保水性の劣化を防ぐことが出来る。
【０４８４】
さらに、本実施の形態のミストはラジカルを含んでいることにより野菜表面に付着する農薬やワックスなどを極めて少ない水量で分解・除去出来るので節水ができ、かつ低入力化が出来る。
【０４８５】
（実施の形態１４）
図２５は本発明の実施の形態１４における冷蔵庫の野菜室近傍の断面図である。
【０４８６】
本実施の形態では、実施の形態１から１３で詳細に説明した構成と異なる部分についてのみ詳細な説明を行い、実施の形態１から１３で詳細に説明した構成と同じ部分もしくは、同じ技術思想が適用できる部分については、説明を省略する。
【０４８７】
図に示すように、本発明の実施の形態１４は冷蔵庫１００の最上部には第一の貯蔵室としての冷蔵室１０４、その冷蔵室１０４の下部に第四の貯蔵室としての切換室１０５と第五の貯蔵室としての製氷室１０６が横並びに設けられ、その切換室１０５と製氷室１０６の下部に冷凍室１０８が構成され、冷凍室１０８のさらに下部に野菜室１０７が構成されている。
【０４８８】
野菜室１０７と冷凍室１０８の温度帯を区切るために断熱性を確保した第二の仕切り壁１２５があり、第二の仕切り壁１２５の奥側と冷凍室１０８奥面には仕切り壁２５１が構成され、仕切り壁５５１と冷蔵庫の断熱箱体１０１の間には、冷却器１１２が設置され、その下部には、冷却器に付着した霜を融解するためのラジアントヒータ１１４と融解した水を受けるためのドレンパン１１５が設置され、各室に冷気を搬送するための冷却ファン１１３を含めこれらで冷却室１１０を構成している。この冷却室１１０の下部に霧化装置用冷却風路を備え、その風路の一部に静電霧化装置１３１を、図２５のように設置し、特に霧化部１３９の伝熱接続部材である金属ピン１３４部については、その風路と極めて隣接しており、その近傍に金属ピンヒータ１５８が構成されている。
【０４８９】
また、上段収納容器１２０は、その底面側の一部が下段収納容器１１９内に配置されており、この下段収納容器１１９内に配置されている上段収納容器１２０に複数の空気流通孔１７１が設けられている。
【０４９０】
また、上段収納容器１２０の底面は、凹凸形状で形成された波型形状としている。
【０４９１】
霧化装置用冷却風路５５５は、ＡＢＳやＰＰなどの樹脂と発泡スチロールなどの断熱材で製作されており、その風路を流れる冷気は−１５〜−２５℃と比較的低温であり、野菜室１０７の奥面で上段収納容器と下段収納容器の間隙近傍の霧化装置用冷却風路に対向する仕切板に金属ピン１３４を含む静電霧化装置を設置している。これにより野菜室の構成においては、実施例１とほぼ同一の構成となる。
【０４９２】
以上のように構成された冷蔵庫について、以下その動作・作用を説明する。
【０４９３】
静電霧化装置１３１が設置されている仕切り壁２５１側に形成される霧化装置用冷却風路５５５は、霧化先端部である霧化電極１３５が固定されている金属ピン１３４を冷却するための冷却能力があれば、収納野菜等からの蒸散により、静電霧化装置１３１近傍は高湿状態となり、霧化電極先端は、水滴が確実に生成される。
【０４９４】
この状態で霧化電極１３５を負電圧側とし、対向電極１３６を正電圧側として、電圧印加部１３３によりこの電極間に高電圧（例えば７．５ｋＶ）を印加させる。このとき、電極間で空気絶縁層が破壊されコロナ放電が起こり、霧化電極１３５の水が電極先端から霧化し、目視できない１μｍ未満の電荷をもったナノレベルの微細ミストと、それに付随するオゾンやＯＨラジカルなどが発生する。
【０４９５】
発生した微細ミストは、上部収納容器１２０と下部収納容器１１９の間に噴霧される。静電霧化装置１３１から噴霧される微細ミストは、マイナスの電荷を帯びている。一方、野菜室内には青果物である野菜が収納されており、特に上部収納容器には、低温に弱い果物等の青果物を入れることが多い。これらの青果物は、通常、購入帰路時での蒸散あるいは保存中の蒸散によってやや萎れかけた状態で収納されていることが多い。これらの青果物は通常、プラスの電荷に帯電されており、噴霧されたマイナスの電荷を持った微細ミストは、野菜表面に集まりやすい。よって、噴霧された微細ミストは野菜室内を再び高湿にすると同時に青果物の表面に付着し、青果物からの蒸散を抑制し、保鮮性を向上させる。また、野菜や果物の細胞の隙間から組織内に浸透し、水分が蒸散して、萎んだ細胞内に再び水分が供給され、細胞の膨圧によって萎れが解消され、シャキッとした状態になるのと同時にミストに含まれているラジカルによって、除菌や低温障害抑制、栄養素増加などの働きやその強い酸化力により農薬を分解し、野菜表面から農薬を除去しやすくすることが可能となる。
【０４９６】
以上のように、本実施の形態１４は、貯蔵室を区画するための仕切り壁と、霧化電極を冷却するための霧化装置用冷却風路が備えられ、静電霧化装置はその風路部に取り付けたことにより、冷却室、冷凍室や製氷室のような冷凍温度帯の区画が上部にある場合、それらの冷熱源を野菜室背面まで風路により搬送し、その冷却源で静電霧化装置の霧化電極を冷却し、結露させることができるので、安定した噴霧が可能となり、また、奥面に設置することにより人の手にも触れにくいので安全性が向上させることができる。
【０４９７】
また、本実施の形態の霧化部は静電霧化方式によってミストを生成するものであり、高電圧等の電気エネルギを使って水滴を分裂させ、細分化することによって微細ミストを発生させる。発生したミストは電荷を帯びている為、そのミストに野菜や果物等の付着させたい物と逆の電荷を持たすことによって、例えばプラスの電荷を持つ野菜に対してマイナスの電荷を帯びたミストを噴霧することにより、野菜や果物への付着力が向上するため、より均一に野菜表面にミストが付着するとともに、電荷を帯びていないタイプのミストと比較してミストの付着率をより向上させることが出来る。また、噴霧された微細ミストは直接、野菜容器内の食品に噴霧することができ、微細ミストと野菜の電位を利用して野菜表面に微細ミストを付着させることが出来るので、保鮮性を効率よく向上させることが出来る。
【０４９８】
また、金属ピン１３４を冷却する冷却手段として通常の貯蔵室を冷却する冷却風路とは独立した霧化装置用冷却風路を備えることで、冷却風路の状態からの温度変動をより抑えることができ、低温風路の中でもより温度変動の小さい冷却室の底面側を冷却源とすることでより安定して金属ピンの冷却を行うことが可能となる。
【０４９９】
さらに、本実施の形態の補給水は、外部から供給する水道水ではなく結露水を用いる。そのためミネラル成分や不純物がなく、霧化電極先端の劣化や目詰まりによる保水性の劣化を防ぐことが出来る。
【０５００】
さらに、本実施の形態のミストはラジカルを含んでいることにより野菜表面に付着する農薬やワックスなどを極めて少ない水量で分解・除去出来るので節水ができ、かつ低入力化が出来る。
【０５０１】
なお、本実施の形態では、冷熱源の搬送に霧化装置用風路を用いたが、アルミや銅の固体物の熱伝導を利用したもの、ヒートパイプやヒートレーンなどの熱搬送手段を利用してもよい。これにより、風路面積が不必要となるので庫内容積への影響が少なくなる。
【０５０２】
（実施の形態１５）
図２６は本発明の実施の形態１５における冷蔵庫の断面図である。また、図２７は本発明の実施の形態１５における冷蔵庫の簡易的な冷却サイクル図である。さらに、図２８は静電霧化装置近傍の詳細断面図である。
【０５０３】
本実施の形態では、実施の形態１から１４で詳細に説明した構成と異なる部分についてのみ詳細な説明を行い、実施の形態１から１４で詳細に説明した構成と同じ部分もしくは、同じ技術思想が適用できる部分については、説明を省略する。
【０５０４】
図に示すように、本発明の実施の形態１５は、冷蔵庫１００の最上部には第一の貯蔵室としての冷蔵室１０４、その冷蔵室１０４の下部に５℃前後の野菜室温度にも可変できる変温室６０１が構成され、変温室６０１のさらに下部に冷凍室１０８が構成されている。変温室６０１は、冷蔵室１０４と変温室６０１の温度帯を区切るために断熱性を確保した第一の仕切り壁６０５と、変温室６０１の温度帯を区切るために断熱性を確保した第二の仕切り壁６０６と、変温室６０１の奥面の変温室奥面仕切り壁６１３と、扉１１８で区画されている。
【０５０５】
冷蔵室１０４は、冷蔵室奥面の内壁に収められた高温側蒸発器６０４を冷却源とし、変温室６０１と冷凍室１０８は、冷凍室１０８の奥面に設置され、冷却室１１０に備えられている低温側蒸発器６０３を冷却源としており、低温側蒸発器６０３で生成された冷気を送風するために低温側蒸発器６０３の上方に冷却ファン１１３が設置されている。
【０５０６】
また、変温室６０１の奥面には変温室冷却風路６１１とその風路内にダンパ６０２が構成され、変温室６０１の温度調整を行い、また、変温室奥面仕切り壁６１３には変温室６０１にミストを噴霧するための静電霧化装置１３１が構成されている。
【０５０７】
また、本発明の冷却サイクルは、圧縮機１０９から吐出された冷媒が、凝縮器６０７で凝縮され、三方弁６０８にて複数の流路を切り替えている。一方は、高温側キャピラリ６１０で減圧され、高温側蒸発器６０４で熱交換後、低温側蒸発器６０３、アキュームレータを経由し、再度、圧縮機１０９へ戻る冷蔵室・冷凍室同時冷却サイクルを構成し、他方は、低温側キャピラリ６０９で減圧され、低温側蒸発器６０３にて熱交換し、アキュームレータを介して、圧縮機１０９へ戻る冷凍室単独冷却サイクルを構成している。
【０５０８】
したがって、変温室６０１は低温側蒸発器６０３の冷気を利用し、冷却ファン１１３とダンパ６０２の動作、圧縮機１０９、三方弁６０８の動作により適温されている。
【０５０９】
変温室６０１の背面の仕切り壁は、主にＡＢＳなどの樹脂で外殻が構成され、その内部には発泡スチロールなどを用い、変温室６０１と変温室冷却風路６１１を区画断熱しているとともに、変温室内側の壁面の一部に他の箇所より低温になるように凹部を設け、その箇所に霧化装置である静電霧化装置１３１が設置されている。
【０５１０】
静電霧化装置１３１を固定している変温室奥面仕切り壁６１３には、静電霧化装置１３１に備えられた伝熱接続部材である金属ピン１３４の温度調整と、霧化先端部である霧化電極１３５を含めた周辺部の過剰結露を防止するための金属ピンヒータ１５８が霧化部１３９近傍に設置されている。
【０５１１】
この伝熱接続部材である金属ピン１３４が外郭ケース１３７に固定され、金属ピン１３４自体は外郭から突起した凸部１３４ａを有して構成されている。この金属ピン１３４は霧化電極１３５と逆側に凸部１３４ａを有する形状で、凸部１３４ａが変温室奥面仕切り壁６１３に嵌めあわされている。
【０５１２】
よって、伝熱接続部材である金属ピン１３４の背面側は冷凍温度帯の温度である変温室冷却風路６１１に近接した配置となっている。
【０５１３】
ここで、伝熱接続部材である金属ピン１３４の冷却は、冷却室１１０で生成され、冷却ファン１１３によって送風された冷気を用いており、金属ピン１３４は熱伝導性のよい金属片で形成したので、冷却手段は、低温側蒸発器６０３で生成された冷気からの熱伝導だけで必要な冷却を行うことができる。
【０５１４】
その下流側にダンパ６０２が設置されている。
【０５１５】
静電霧化装置１３１の霧化部１３９は下段収納容器１１９と上部収納容器１２０の間隙に設置されており霧化電極先端は、その間隙に向け設置されている。
【０５１６】
静電霧化装置１３１が設置されている変温室奥面仕切り壁６１３は、凹部が構成され、その箇所に静電霧化装置１３１が設置されている。
【０５１７】
静電霧化装置１３１の金属ピン１３４は、その外周を覆うように断熱性がありかつ防水性の高い材料であるＰＳやＰＰなどの樹脂で成形された金属ピンカバー１６６が取り付けられた状態で断熱材１５２の貫通部１６５に嵌め合わせされる。
【０５１８】
このとき金属ピンカバー１６６は、周囲の断熱材１５２と圧接状態になっており、金属ピン１３４に水が付着したとき、断熱材１５２が付着し、断熱材内部に浸透、凍結、破損することを防止している。
【０５１９】
ただし、金属ピン１３４の端部１３４ｂについては、背面からの冷却能力を確保するため、金属ピンカバー１６６の形状は、円筒状で構成されており、金属ピン１３４の端部１３４ｂのみ開放状態となり、貫通部１６５の開口部１６７は、アルミテープなどのテープ１９４を断熱材１５２に貼り付け、冷気を遮断している。
【０５２０】
ここで、金属ピン１３４の端部１３４ｂはテープ１９４の密着するように張り合わせされ、熱伝導性を確保している。
【０５２１】
なお、金属ピンカバー１６６は断熱性を持った絶縁テープなどでも構わない。
【０５２２】
ただし、ある程度の寸法誤差等が存在するため、金属ピン１３４と金属ピンカバー１６６の間にはある程度の空隙１９６が存在し、その空隙１９６を埋めるために比較的熱伝導性が優れ、空間の空隙を埋める空隙埋設部材１９７ｄとしてブチルや熱拡散コンパウンドなどの熱伝導保持材が金属ピン１３４と金属ピンカバー１６６に埋設されている。
【０５２３】
また、変温室６０１は冷凍温度からワイン貯蔵温度まで切り替えることが可能とするので、たとえば、区画周辺に温度調整用のヒータ（図示せず）を設置している場合もある。
【０５２４】
以上のように構成された冷蔵庫について、以下その動作、作用を説明する。
【０５２５】
まず、冷凍サイクルの動作について説明する。庫内の設定された温度に応じて制御基板（図示せず）からの信号により冷凍サイクルが動作して冷却運転が行われる。圧縮機１０９の動作により吐出された高温高圧の冷媒は、凝縮器６０７である程度凝縮液化し、さらに冷蔵庫本体（断熱箱体１０１）の側面や背面、また冷蔵庫本体（断熱箱体１０１）の前面間口に配設された冷媒配管（図示せず）などを経由し冷蔵庫本体（断熱箱体１０１）の結露を防止しながら凝縮液化し、三方弁６０８に至る。ここで三方弁６０８は冷蔵庫１００の制御基板からの動作信号によりその流路が決定され、低温側キャピラリ６０９もしくは高温側キャピラリのいずれかもしくは両方に冷媒を流す。三方弁６０８の流路が高温側キャピラリ側に開のときは、その後高温側キャピラリ６１０で低温低圧化された液冷媒となって高温側蒸発器６０４に至る。
【０５２６】
ここで、高温側蒸発器６０４内の低温低圧の液冷媒は、−１０℃〜―２０℃程度の温度になり、これが直接もしくは間接的に冷蔵室１０４の空気と熱交換され、高温側蒸発器６０４内の冷媒の一部は蒸発気化する。その後、更に冷媒配管を流れ低温側蒸発器６０３に至る。
【０５２７】
そして、更に冷媒は、アキュームレータ（図示せず）を通り、再び圧縮機１０９に戻る冷却サイクル運転を行う。
【０５２８】
一方、三方弁６０８の流路が低温側キャピラリ３１０側に開のときは、その後低温側キャピラリ３１０で低温低圧化された液冷媒となって低温側蒸発器６０３に至る。
【０５２９】
ここで、低温低圧の液冷媒は、−２０℃〜―３０℃程度の温度になり、冷却室の空気が冷却ファン１１３により対流することにより熱交換され、低温側蒸発器６０３内の冷媒のほとんどが蒸発気化する。これらの冷気は冷却ファン１１３により冷凍室１０８もしくは変温室６０１に送風される。その後、熱交換された冷媒は、アキュームレータを通り、再び圧縮機１０９に戻る。
【０５３０】
一方、冷却室１１０にある低温側蒸発器６０３においては、冷却ファン１１３によって冷気を吐出させ、冷凍室奥面仕切り壁６１４内の冷凍室冷却風路６１２を通過し、吐出口より冷凍室１０８へ吐出される。吐出した冷気は冷凍室ケースと熱交換した後、冷凍室奥面仕切り壁６１４の下部より吸い込まれ、再び低温蒸発器３０３のある冷却室１１０に戻る。
【０５３１】
さらに、冷却ファン１１３によって吐出された冷気の一部は変温室奥面仕切り壁６１３内の変温室冷却風路６１１へ流入していく。変温室冷却風路６１１に流入した冷気は、ダンパ６０２を通過し、吐出口より変温室６０１内に吐出され、変温室６０１内と熱交換した後、背面にあるダクトより吸い込まれ、冷却室１１０へ戻される。このとき、ダンパ６０２は変温室６０１内に設置された温度検知手段により、その開閉動作が決定されており、これによりダンパを通過する冷気量をコントロールし、変温室６０１の温度を一定に保っている。
【０５３２】
ここで、変温室６０１は任意の温度が設定できる部屋であり、−２０℃程度の冷凍温度帯から５℃程度の野菜室および１２℃前後のワイン室まで切り替えることが可能である。よって、青果物などの保存するための野菜室として使用される場合がある。
【０５３３】
そこで、変温室６０１の温度設定が野菜保存温度程度、例えば、２℃以上の設定になっている場合、静電霧化装置１３１を動作させ、収納物の保鮮度を向上させる。
【０５３４】
ここで変温室６０１の変温室奥面仕切り壁６１３の比較的高湿度環境である箇所の一部について、断熱材が、他の箇所より壁厚が薄く、特に、金属ピン１３４の後方は最深凹部１１１ｂが構成されている。これにより、変温室奥面仕切り壁６１３は凹部１１１ａが構成され、この凹部１１１ａの最背面の最深凹部１１１ｂに金属ピン１３４の凸部１３４ａが突出した形状の静電霧化装置１３１が嵌めこまれて、取り付けられている。
【０５３５】
金属ピン１３４背面にある変温室冷却風路６１１には、冷却システムの運転により低温側蒸発器６０３側で生成し、冷却ファン１１３により−１５〜−２５℃程度の冷気が流れ、風路表面からの熱伝導で伝熱冷却部材である金属ピン１３４が例えば０〜−１０℃程度に冷却される。このとき、金属ピン１３４は、良熱伝導部材であるため、冷熱を非常に伝えやすく、金属ピン１３４を介して霧化先端部である霧化電極１３５も０〜−１０℃程度に間接的に冷却される。
【０５３６】
ここで、ダンパ６０２が開のときは、冷気がそのまま変温室６０１に流れるため、変温室は低湿状態になる。また、ダンパ６０２が閉の時は、乾燥空気が変温室に流れないので変温室は比較的高湿になるとともに、金属ピン１３４の背面の変温室冷却風路の温度もある程度低温に維持されている。
【０５３７】
ここで、変温室６０１の温度設定が野菜室設定の場合、温度は２℃から７℃で、かつ野菜などからの蒸散により比較的高湿状態であるので、静電霧化装置１３１の霧化先端部である霧化電極１３５は露点温度以下となれば、先端を含め、霧化電極１３５には水が生成し、水滴が付着する。
【０５３８】
水滴が付着した霧化先端部である霧化電極１３５に負電圧、対向電極１３６を正電圧側として、電圧印加部１３３によりこの電極間に高電圧（例えば４〜１０ｋＶ）を印加させる。このとき電極間でコロナ放電が起こり、霧化先端部である霧化電極１３５の先端の水滴が、静電エネルギにより微細化され、さらに液滴が帯電しているためレイリー分裂により数ｎｍレベルの目視できない電荷をもったナノレベルの微細ミストと、それに付随してオゾンやＯＨラジカルなどが発生する。電極間に印加する電圧は、４〜１０ｋＶと非常に高電圧であるが、そのときの放電電流値は数μＡレベルであり、入力としては０．５〜１．５Ｗと非常に低入力である。
【０５３９】
具体的には、霧化電極１３５を基準電位側（０Ｖ）、対向電極１３６を高電圧側（＋７ｋＶ）とすると、霧化電極１３５先端に付着した結露水は、霧化電極１３５と対向電極１３６間の空気絶縁層が破壊され、静電気力で放電が起こる。このとき結露水は帯電し、微細な粒子となる。さらに対向電極１３６がプラス側のため帯電した微細ミストは引き寄せられ、液滴がさらに微粒化され、ラジカルを含んだ数ｎｍレベルの目視できない電荷をもったナノレベルの微細ミストが対向電極１３６に引き寄せられ、その慣性力により、貯蔵室（変温室６０１）に向けて、微細ミストが噴霧される。
【０５４０】
ここで、金属ピン１３４は変温室冷却風路６１１からテープ１９４、空隙埋設部材１９７ｄを介して冷却、もしくは金属ピン側面の断熱材から冷却されている。ここで、テープ１９４を介して二重構造で間接的に冷却するとき、金属ピンカバー１６６とテープ１９４との間には、加工精度上、空隙１９６ができる可能性があり、仮に空隙１９６ができると、その空間の熱伝導性が非常に悪くなり、金属ピン１３４が十分冷却できなくなり、金属ピン１３４温度および霧化電極１３５温度がバラツキ、場合によっては、霧化電極先端が結露しにくくなる。
【０５４１】
これを防ぐために、組み立て時に確実にテープ１９４と金属ピン１３４を密接していることを確認するとともに、仮に空隙が生じる可能性がある場合、空隙埋設部材１９７ｄとしてブチルや熱拡散コンパウンドなどの熱伝導保持部材で空隙１９６を埋めることによりテープ１９４から金属ピン１３４への熱伝導を確保することにより、霧化電極１３５への冷却能力を確保する。
【０５４２】
さらに金属ピンカバー１６６と貫通部１６５の間には隙間がなく、また貫通部１６５の開口部１６７はテープ１９４により隣接する冷却風路からの冷気の侵入を遮断し、低温冷気が庫内に漏れてくることもないので、貯蔵室（変温室６０１）やその周辺部品が結露や低温異常などを起こすことがない。
【０５４３】
また、加工精度、組み立て精度上でどうしても発生する金属ピンカバー１６６と金属ピン１３４の間に生じる空隙発生による伝熱劣化については、ブチル等の熱伝導部材により空隙１９６を埋めることで熱伝導性を確保し、冷却能力を確保する。テープ１９４と金属ピン１３４の間に生じる空隙１９６についてもブチル等の熱伝導部材により空隙１９６を埋めることで熱伝導性を確保できる。
【０５４４】
また、金属ピンカバー１６６と貫通部１６５の間には隙間がなく構成されているため、発泡スチロールで構成されている断熱材に含水することを防止しているので、断熱材に水が浸透し、浸透部が凍結し、その箇所が水の体積膨張により応力がかかり、亀裂が入り、破損することを防ぐことにより、さらに品質を確保している。
【０５４５】
また貫通部１６５の開口部１６７はテープ１９４により隣接する冷却風路からの冷気の侵入を遮断しているので、低温冷気が庫内に漏れてくることもないので、貯蔵室（変温室６０１）やその周辺部品が結露や低温異常などを起こすことがない。
【０５４６】
これらの冷却により霧化電極１３５が結露し、対向電極１３５と霧化電極１３６間で高圧放電を発生させることにより生じる微細ミストは、静電霧化装置１３１の外郭ケース１３７に構成されている噴霧口１３２を通過し、変温室６０１に噴霧されるが非常に小さい微粒子のため拡散性が強く、変温室６０１全体に微細ミストは到達する。噴霧される微細ミストは、高圧放電で生成されたため、マイナスの電荷を帯びているので、変温室６０１にはプラスの電荷をもつ青果物である野菜が収納されているので、霧化されたミストは、野菜の表面に集まりやすく、これにより保鮮性が向上する。
【０５４７】
ただし、噴霧可能であれば、上記温度に限定されることはない。例えば、変温室６０１が−２℃程度のパーシャル温度や、０℃程度の氷温、１℃前後のチルド温度帯に設定されていても、静電霧化装置１３１が噴霧可能と判定できれば、噴霧することにより、生鮮食料品表面に微細ミストが付着することにより除菌性が向上するのでより長期間保存することが可能になる。
【０５４８】
また、変温室６０１がワイン温度に設定されているときは、ほとんどダンパ６０２は閉の状態となり、貯蔵室内は比較的湿度高い状態となるがカビ等が繁殖する可能性がでてくるが、酸化力の強いラジカルをもったミストを噴霧することにより、それを防止できる。
【０５４９】
また、変温室６０１が冷凍設定など噴霧不可能と判定できる温度帯、もしくは手動ボタン等で静電霧化装置１３１の動作を任意に停止させることができる場合には、静電霧化装置を停止させることができる。
【０５５０】
また、静電霧化装置１３１の動作をダンパ開閉動作で判定することにより、効率よく静電霧化装置１３１を動作させることができる。
【０５５１】
また、静電霧化装置１３１の金属ピン１３４近傍に温度調整用のヒータを配置することにより、霧化電極の温度制御、霧化先端部の水量調整を可能にするのでより安定した霧化状態を実現できる。
【０５５２】
以上のように、本実施の形態１５は、複数の蒸発器を備えた冷蔵庫において、温度が可変する変温室とその貯蔵室を区画するための仕切り壁と、変温室を冷却するための変温室冷却風路が備えられ、静電霧化装置はその風路部と貯蔵室を区切る奥面仕切り壁に取り付けたことにより、変温室の温度設定が野菜室温度設定程度の場合、変温室に流れこむ風路からの熱伝導で霧化電極を冷却し、結露させることができるので、安定した噴霧が可能となり、また、奥面に設置することにより人の手にも触れにくいので安全性が向上させることができる。
【０５５３】
また、本実施の形態において、ダンパが閉であっても変温室背面の風路の温度はダンパの上流側となるので比較的低温を維持することができるので、霧化電極を十分冷却でき、よって、霧化電極先端に結露させ、ミストは発生することができる。
【０５５４】
また、本実施の形態の霧化部は静電霧化方式によってミストを生成するものであり、高電圧等の電気エネルギを使って水滴を分裂させ、細分化することによって微細ミストを発生させる。発生したミストは電荷を帯びている為、そのミストに野菜や果物等の付着させたい物と逆の電荷を持たすことによって、例えばプラスの電荷を持つ野菜に対してマイナスの電荷を帯びたミストを噴霧することにより、野菜や果物への付着力が向上するため、より均一に野菜表面にミストが付着するとともに、電荷を帯びていないタイプのミストと比較してミストの付着率をより向上させることが出来る。また、噴霧された微細ミストは直接、野菜容器内の食品に噴霧することができ、微細ミストと野菜の電位を利用して野菜表面に微細ミストを付着させることが出来るので、保鮮性を効率よく向上させることが出来る。
【０５５５】
なお、本実施の形態のダンパを電動式ダンパにすることにより、特に、機械式ダンパで制限のある設定温度（動作温度）の制約がなくなり、変温室を任意温度にコントロールすることができ、様々な食品に適した温度を作り出すことが可能となる。さらに、機械式ダンパでは不可能であった強制閉が可能となり、変温室を使用しない場合は、変温室に冷気を循環する必要がなくなり、強制的に電動式ダンパを閉じることにより、無駄な冷却を防止し、消費電力量を抑制できる。また、冷却室内の低温側蒸発器を除霜する際、電動式ダンパを強制閉することにより、変温室への暖湿気侵入を防止することができ、着霜防止及び、除霜効率向上による消費電力量抑制が可能となると同時に霧化電極の加温もできるので霧化電極の乾燥手段となり、信頼性を向上させることができる。
【０５５６】
なお、本実施の形態のダンパを回転数可変可能な保温室ファンにすることにより、変温室への冷気量を調整し、機械式ダンパであった設定温度（動作温度）の制約がなくなり、変温室６０１を任意温度にコントロールすることも可能となり、様々な食品に適した温度を作り出すことが可能となる。また、急速冷却、緩慢冷却等の冷却速度もコントロールでき、さらなる食品の保鮮度向上を図ることができる。
【０５５７】
また、本実施の形態では、静電霧化装置が設置されている貯蔵室を変温室としたが、より温度帯を限定した野菜室でもかまわない。これにより温度変動範囲がすくなくなり、より簡素な制御仕様なる。
【０５５８】
（実施の形態１６）
図２９ａは本発明の実施の形態１６における冷蔵庫の断面図である。また、図２９ｂは本発明の実施の形態１６における静電霧化装置近傍の断面図である。
【０５５９】
本実施の形態では、実施の形態１から１５で詳細に説明した構成と異なる部分についてのみ詳細な説明を行い、実施の形態１から１５で詳細に説明した構成と同じ部分もしくは、同じ技術思想が適用できる部分については、説明を省略する。
【０５６０】
図に示すように、本発明の実施の形態１６は、冷蔵庫１００の最上部には第一の貯蔵室としての冷蔵室１０４、その冷蔵室１０４の下部に５℃前後の野菜室温度にも可変できる変温室６０１が構成され、変温室６０１のさらに下部に冷凍室１０８が構成されている。
【０５６１】
変温室６０１は、冷蔵室１０４と変温室６０１の温度帯を区切るための仕切り板６２１と、変温室６０１の温度帯を区切るために断熱性を確保した第二の仕切り壁と、変温室６０１の奥面の内箱１０３と、扉１１８で区画されている。
【０５６２】
冷蔵室１０４と変温室６０１は、冷蔵室奥面および変温室奥面の内壁に収められた高温側蒸発器６０４を冷却源とし、冷凍室１０８は、冷凍室１０８の奥面に設置され、冷却室１１０に備えられている低温側蒸発器６０３を冷却源としており、低温側蒸発器６０３で生成された冷気を送風するために低温側蒸発器６０３の上方に冷却ファン１１３が設置されている。
【０５６３】
また、変温室６０１の奥面には変温室６０１にミストを噴霧するための静電霧化装置１３１が構成されている。
【０５６４】
また、本発明の冷却サイクルは、圧縮機１０９から吐出された冷媒が、凝縮器６０７で凝縮され、三方弁６０８にて複数の流路を切り替えている。一方は、高温側キャピラリ６１０で減圧され、高温側蒸発器６０４で熱交換後、低温側蒸発器６０３、アキュームレータを経由し、再度、圧縮機１０９へ戻る冷蔵室・冷凍室同時冷却サイクルを構成し、他方は、低温側キャピラリ６０９で減圧され、低温側蒸発器６０３にて熱交換し、アキュームレータを介して、圧縮機１０９へ戻る冷凍室単独冷却サイクルを構成している。
【０５６５】
したがって、変温室６０１は高温側蒸発器６０４を利用し、冷蔵室温度検知手段（図示せず）もしくは、変温室温度検知手段（図示せず）、圧縮機１０９、三方弁６０８により適温されている。
【０５６６】
変温室６０１の背面の内箱１０３は、主にＡＢＳなどの樹脂で構成され、その内箱の一部に霧化装置である静電霧化装置１３１が設置されている。
【０５６７】
静電霧化装置１３１を固定している内箱１０３には、静電霧化装置１３１に備えられた伝熱接続部材である金属ピン１３４の温度調整と、霧化先端部である霧化電極１３５を含めた周辺部の過剰結露を防止するための金属ピンヒータ１５８が霧化部１３９近傍に設置されている。
【０５６８】
この伝熱接続部材である金属ピン１３４が外郭ケース１３７に固定され、金属ピン１３４自体は外郭から突起した凸部１３４ａを有して構成されている。この金属ピン１３４は霧化電極１３５と逆側に凸部１３４ａを有する形状で、凸部１３４ａが内箱１０３の一部に凹部が構成され、嵌めあわされている。
【０５６９】
よって、伝熱接続部材である金属ピン１３４の背面側の高温側蒸発器６０４に近接した配置となっている。
【０５７０】
以上のように構成された冷蔵庫について、以下その動作、作用を説明する。
【０５７１】
まず、冷凍サイクルの動作について説明する。庫内の設定された温度に応じて制御基板（図示せず）からの信号により冷凍サイクルが動作して冷却運転が行われる。圧縮機１０９の動作により吐出された高温高圧の冷媒は、凝縮器６０７である程度凝縮液化し、さらに冷蔵庫本体（断熱箱体１０１）の側面や背面、また冷蔵庫本体（断熱箱体１０１）の前面間口に配設された冷媒配管（図示せず）などを経由し冷蔵庫本体（断熱箱体１０１）の結露を防止しながら凝縮液化し、三方弁６０８に至る。ここで三方弁６０８は冷蔵庫１００の制御基板からの動作信号によりその流路が決定され、低温側キャピラリ６０９もしくは高温側キャピラリのいずれかもしくは両方に冷媒を流す。三方弁６０８の流路が高温側キャピラリ側に開のときは、その後高温側キャピラリ６１０で低温低圧化された液冷媒となって高温側蒸発器６０４に至る。
【０５７２】
ここで、高温側蒸発器６０４内の低温低圧の液冷媒は、−１０℃〜―２０℃程度の温度になり、これが直接もしくは間接的に冷蔵室１０４もしくは変温室６０１の空気と熱交換され、高温側蒸発器６０４内の冷媒の一部は蒸発気化する。その後、更に冷媒配管を流れ低温側蒸発器６０３に至る。
【０５７３】
そして、更に冷媒は、アキュームレータ（図示せず）を通り、再び圧縮機１０９に戻る冷却サイクル運転を行う。
【０５７４】
一方、三方弁６０８の流路が低温側キャピラリ６０９側に開のときは、その後低温側キャピラリ６０９で低温低圧化された液冷媒となって低温側蒸発器６０３に至る。
【０５７５】
ここで、低温低圧の液冷媒は、−２０℃〜―３０℃程度の温度になり、冷却室の空気が冷却ファン１１３により対流することにより熱交換され、低温側蒸発器６０３内の冷媒のほとんどが蒸発気化する。これらの冷気は冷却ファン１１３により冷凍室１０８に送風される。その後、熱交換された冷媒は、アキュームレータを通り、再び圧縮機１０９に戻る。
【０５７６】
一方、冷却室１１０にある低温側蒸発器６０３においては、冷却ファン１１３によって冷気を吐出させ、冷凍室奥面仕切り壁６１４内の冷凍室冷却風路６１２を通過し、吐出口より冷凍室１０８へ吐出される。吐出した冷気は冷凍室ケースと熱交換した後、冷凍室奥面仕切り壁６１４の下部より吸い込まれ、再び低温蒸発器３０３のある冷却室１１０に戻る。
【０５７７】
三方弁のより高温側キャピラリ６１０へ流路が開となり、冷蔵室１０４と変温室６０１の冷却を行う。このとき、冷蔵室１０４もしくは変温室６０１内に設置された温度検知手段により、三方弁の開閉が決定されており、これにより冷蔵室１０４、変温室６０１の温度を一定に保っている。
【０５７８】
ここで、変温室６０１は任意の温度が設定できる部屋であり、−２℃程度のパーシャル温度帯から５℃程度の野菜室および１２℃前後のワイン室まで切り替えることが可能である。よって、青果物などの保存するための野菜室として使用される場合がある。
【０５７９】
そこで、変温室６０１の温度設定が野菜保存温度程度、例えば、２℃以上の設定になっている場合、静電霧化装置１３１を動作させ、収納物の保鮮度を向上させる。
【０５８０】
ここで変温室６０１の奥面の内箱１０３の比較的高湿度環境である箇所の一部に静電霧化装置１３１が設置されており、特に、金属ピン１３４の後方は高温側蒸発器６０４と近接している。
【０５８１】
金属ピン１３４背面にある高温側蒸発器６０４には、冷却システムの運転によりその冷媒管もしくはフィンなどの熱伝導部材は−１５〜−２５℃程度の温度となり、それらからの熱伝導で伝熱冷却部材である金属ピン１３４が例えば０〜−１０℃程度に冷却される。このとき、金属ピン１３４は、良熱伝導部材であるため、冷熱を非常に伝えやすく、金属ピン１３４を介して霧化先端部である霧化電極１３５も０〜−１０℃程度に間接的に冷却される。
【０５８２】
このように、金属ピン１３４は蒸発器からの直接の熱伝導によって冷却される。
【０５８３】
よって、金属ピン１３４を冷却する冷却手段として風路からの低温空気ではなく、蒸発温度がほぼ一定に保たれた蒸発器からの直接の熱伝導を用いることで、より安定して金属ピンの冷却を行うことが可能となる。
【０５８４】
ここで、三方弁６０８が高温側キャピラリの流路を開の状態になるように設定された場合、冷蔵室１０４と変温室６０１が冷却モードとなり変温室は低湿状態になる。また、三方弁６０８が高温側キャピラリの流路を閉の状態になるように設定された場合、変温室は比較的高湿になるとともに、金属ピン１３４の背面の高温側蒸発器６０４の温度もある程度低温に維持されている。
【０５８５】
ここで、変温室６０１の温度設定が野菜室設定の場合、温度は２℃から７℃で、かつ野菜などからの蒸散により比較的高湿状態であるので、静電霧化装置１３１の霧化先端部である霧化電極１３５は露点温度以下となれば、先端を含め、霧化電極１３５には水が生成し、水滴が付着し、高圧印加によりラジカルを有した微細ミストを発生することが可能となる。
【０５８６】
この微細ミストは、静電霧化装置１３１の外郭ケース１３７に構成されている噴霧口１３２を通過し、変温室６０１に噴霧されるが非常に小さい微粒子のため拡散性が強く、変温室６０１全体微細ミストは到達する。噴霧される微細ミストは、高圧放電で生成されたため、マイナスの電荷を帯びているので、変温室６０１にはプラスの電荷をもつ青果物である野菜が収納されているので、霧化されたミストは、野菜の表面に集まりやすく、これにより保鮮性が向上する。
【０５８７】
ただし、噴霧可能であれば、上記温度に限定されることはない。例えば、変温室が−２℃程度のパーシャル温度や、０℃程度の氷温、１℃前後のチルド温度帯に設定されていても、静電霧化装置１３１が噴霧可能と判定できれば、噴霧することにより、生鮮食料品表面に微細ミストが付着することにより除菌性が向上するのでより長期間保存することが可能になる。
【０５８８】
また、三方弁６０８の動作と静電霧化装置１３１の動作を連動させることにより効率のよいミスト噴霧を実現できる。
【０５８９】
また、静電霧化装置１３１の金属ピン１３４近傍に温度調整用のヒータを配置することにより、霧化電極の温度制御、霧化先端部の水量調整を可能にするのでより安定した霧化状態を実現できる。
【０５９０】
以上のように、本実施の形態１６は、複数の蒸発器を備えた冷蔵庫において、温度が可変する変温室と、変温室を冷却するための蒸発器が備えられ、変温室の冷却は、冷蔵室を冷却する蒸発器を利用するように構成されている場合、静電霧化装置は変温室奥面の内箱の一部に取り付けたことにより、変温室の温度設定が野菜室温度設定程度の場合、高温側蒸発器からの熱伝導で霧化電極を冷却し、結露させることができるので、安定した噴霧が可能となり、また、奥面に設置することにより人の手にも触れにくいので安全性が向上させることができ、さらに部品点数を少なくすることができるのでより安価に構成することができる。
【０５９１】
（実施の形態１７）
図３０は実施の形態１７における冷蔵庫の断面図である。
【０５９２】
本実施の形態では、実施の形態１から１６で詳細に説明した構成と異なる部分についてのみ詳細な説明を行い、実施の形態１から１６で詳細に説明した構成と同じ部分もしくは、同じ技術思想が適用できる部分については、説明を省略する。
【０５９３】
図に示すように、本発明の実施の形態１７は、冷蔵庫１００の最上部には第一の貯蔵室としての冷蔵室１０４、その冷蔵室１０４の下部に５℃前後の野菜室温度にも可変できる変温室６０１が構成され、変温室６０１のさらに下部に冷凍室１０８が構成されている。
【０５９４】
変温室６０１は、冷蔵室１０４と変温室６０１の温度帯を区切るための仕切り板６２１と、変温室６０１の温度帯を区切るために断熱性を確保した第二の仕切り壁と、変温室６０１の奥面の仕切り板６２１と、扉１１８で区画され、仕切り板６２１の一部に変温室吐出口３２５が設けられている。
【０５９５】
冷蔵室１０４と変温室６０１の奥面には冷蔵室仕切り板６２３が備えられ、この仕切りは変温室６０１奥面まで構成され、隔てて冷蔵室風路６２４が構成され、その一端には変温室吸込口６２６を構成されている。その中に高温側蒸発器６０４が備えられ、高温側蒸発器６０４の上方には冷蔵室用ファン６２２が設置され、冷蔵室に冷気を送付している。
【０５９６】
また、変温室６０１の奥面の仕切り板６２１の一部には変温室６０１にミストを噴霧するための静電霧化装置１３１が構成されている。
【０５９７】
変温室６０１の背面の仕切り板６２１は、主にＡＢＳなどの樹脂と発砲スチロールなどの断熱材で構成され、その内箱の一部に霧化装置である静電霧化装置１３１が設置されている。
【０５９８】
静電霧化装置１３１を固定している仕切り板６２１には、静電霧化装置１３１に備えられた伝熱接続部材である金属ピン１３４の温度調整と、霧化先端部である霧化電極１３５を含めた周辺部の過剰結露を防止するための金属ピンヒータ１５８が霧化部１３９近傍に設置されている。
【０５９９】
この伝熱接続部材である金属ピン１３４が外郭ケース１３７に固定され、金属ピン１３４自体は外郭から突起した凸部１３４ａを有して構成されている。この金属ピン１３４は霧化電極１３５と逆側に凸部１３４ａを有する形状で、凸部１３４ａが仕切り板６２１の一部に凹部が構成され、嵌めあわされている。
【０６００】
このとき、伝熱接続部材である金属ピン１３４の背面側は、高温側蒸発器６０４に近接した配置となっている。
【０６０１】
以上のように構成された冷蔵庫について、以下その動作、作用を説明する。
【０６０２】
三方弁が高温側キャピラリ６１０へ流路が開の時、冷蔵室１０４と変温室６０１の冷却を行う。このとき、冷蔵室１０４もしくは変温室６０１内に設置された温度検知手段により、三方弁の開閉、冷蔵室用３２２ファンの動作が決定されており、これにより冷蔵室１０４、変温室６０１の温度を一定に保っている。
【０６０３】
ここで、変温室６０１は任意の温度が設定できる部屋であり、−２℃程度のパーシャル温度帯から５℃程度の野菜室および１２℃前後のワイン室まで切り替えることが可能である。よって、青果物などの保存するための野菜室として使用される場合がある。
【０６０４】
そこで、変温室６０１の温度設定が野菜保存温度程度、例えば、２℃以上の設定になっている場合、静電霧化装置１３１を動作させ、収納物の保鮮度を向上させる。
【０６０５】
ここで変温室６０１の奥面の仕切り板６２１の比較的高湿度環境である箇所の一部に静電霧化装置１３１が設置されており、特に、金属ピン１３４の後方は高温側蒸発器６０４と近接している。
【０６０６】
金属ピン１３４背面にある高温側蒸発器６０４には、冷却システムの運転によりその冷媒管もしくはフィンなどの熱伝導部材は−１５〜−２５℃程度の温度となり、それらからの熱伝導で伝熱冷却部材である金属ピン１３４が例えば０〜−１０℃程度に冷却される。このとき、金属ピン１３４は、良熱伝導部材であるため、冷熱を非常に伝えやすく、金属ピン１３４を介して霧化先端部である霧化電極１３５も０〜−１０℃程度に間接的に冷却される。
【０６０７】
ここで、三方弁６０８が高温側キャピラリの流路を開の状態になるように設定された場合、冷蔵室１０４と変温室６０１が冷却モードとなり変温室は低湿状態になる。また、三方弁６０８が高温側キャピラリの流路を閉の状態になるように設定された場合、変温室は比較的高湿になるとともに、冷蔵室用ファン６２２を動作させ、高温側蒸発器に付着した霜を融解、除霜することが可能であり、そのとき、変温室６０１は比較的高湿空間になる。  よって、金属ピン１３４の背面の高温側蒸発器６０４の温度が上昇しても霧化することが可能となる。
【０６０８】
ここで、変温室６０１の温度設定が野菜室設定の場合、温度は２℃から７℃で、かつ野菜などからの蒸散により比較的高湿状態であるので、静電霧化装置１３１の霧化先端部である霧化電極１３５は露点温度以下となれば、先端を含め、霧化電極１３５には水が生成し、水滴が付着し、高圧印加によりラジカルを有した微細ミストを発生することが可能となる。
【０６０９】
この微細ミストは、静電霧化装置１３１の外郭ケース１３７に構成されている噴霧口１３２を通過し、変温室６０１に噴霧されるが非常に小さい微粒子のため拡散性が強く、変温室６０１全体微細ミストは到達する。噴霧される微細ミストは、高圧放電で生成されたため、マイナスの電荷を帯びているので、変温室６０１にはプラスの電荷をもつ青果物である野菜が収納されているので、霧化されたミストは、野菜の表面に集まりやすく、これにより保鮮性が向上する。
【０６１０】
ただし、噴霧可能であれば、上記温度に限定されることはない。例えば、変温室が−２℃程度のパーシャル温度や、０℃程度の氷温、１℃前後のチルド温度帯に設定されていても、静電霧化装置１３１が噴霧可能と判定できれば、噴霧することにより、生鮮食料品表面に微細ミストが付着することにより除菌性が向上するのでより長期間保存することが可能になる。
【０６１１】
また、冷蔵室用ファン６２２の動作と静電霧化装置１３１の動作を連動させることにより効率のよいミスト噴霧を実現できる。
【０６１２】
また、静電霧化装置１３１の金属ピン１３４近傍に温度調整用のヒータを配置することにより、霧化電極の温度制御、霧化先端部の水量調整を可能にするのでより安定した霧化状態を実現できる。
【０６１３】
以上のように、本実施の形態１７は、複数の蒸発器を備えた冷蔵庫において、温度が可変する変温室と、変温室を冷却するための蒸発器が備えられ、変温室の冷却は、冷蔵室を冷却する蒸発器を利用し、そこで生成された冷気を冷蔵室用ファンで搬送するように構成されている場合、静電霧化装置は変温室奥面の仕切り板の一部に取り付けたことにより、変温室の温度設定が野菜室温度設定程度の場合、高温側蒸発器からの熱伝導で霧化電極を冷却し、結露させることができるので、安定した噴霧が可能となり、また、奥面に設置することにより人の手にも触れにくいので安全性が向上させることができ、さらに部品点数を少なくすることができるのでより安価に構成することができる。
【０６１４】
（実施の形態１８）
図３１は、本発明の実施の形態１８における冷蔵庫の野菜室近傍の断面図である。
【０６１５】
本実施の形態では、実施の形態１〜１７で説明した構成と異なる部分を中心に詳細な説明を行い、実施の形態１〜１７と同一構成である部分および同一の技術思想が適用できる部分については、詳細な説明を省略する。
【０６１６】
図において、奥面仕切り壁１１１は、ＡＢＳなどの樹脂で構成された奥面仕切り壁表面１５１と、野菜室１０７と冷凍室吐出風路１４１との間の断熱性を確保するための発泡スチロールなどで構成された断熱材１５２とで構成される。
【０６１７】
ここで、奥面仕切り壁１１１の野菜室１０７側の壁面の一部に他の箇所より低温になるように凹部１１１ａを設け、その箇所に良熱伝導部材である金属ピン５０９が設置されている。
【０６１８】
本実施の形態においては、霧化部はエジェクタ方式の霧化装置であり、金属ピン５０１は、背面の冷凍室吐出風路１４１から主に熱伝導で冷却され、その霧化先端部５０２は、樹脂で構成されている。金属ピン５０１および霧化先端部５０２には空洞部５０４、５０５、５０６、５０７、５０８が形成されている。すなわち、霧化先端部５０２には、噴霧口１３２側に形成された狭い径の流路５０４と、流路５０４と連通するこれよりも広い径の流路５０５とが設けられている。また、断熱材１５２には、金属ピン５０１の下方に小さなポンプ５１０が設けられており、一端が野菜室側１０７に開口し、他端がポンプ５１０に繋がる流路５０７が形成されている。さらに、ポンプ５１０から上方に向かって断熱材１５２および金属ピン５０１に連通する流路５０８が形成されている。さらに、金属ピン５０１には、流路５０８の金属ピン５０１内の端部と霧化先端部５０２の流路５０５とを繋ぐ流路５０６が形成されている。これらにより、野菜室１０７から、流路５０７、ポンプ５１０、流路５０８、流路５０６、流路５０５、そしてこれらより狭い径の流路５０４が連通して形成される。
【０６１９】
金属ピン５０１の野菜室１０７側上部には主に野菜室１０７内の水を収集する水収集部５０３が形成されている。水収集部５０３は、断熱材１５２の金属ピン５０１の野菜室１０７側上部に形成された凹部５１１内の垂直面に形成された金属板からなり、水収集部５０３の金属板は金属ピン５０１と熱的に接続されている。
【０６２０】
凹部１１１ａによって露出した金属ピン５０１の野菜室１０７側上部表面から、流路５０６に連通する水路５０９が、金属ピン５０１内に形成されている。
【０６２１】
金属ピン５０１の冷却室１１０側端部は、図１９に示す実施の形態１１と同様に、冷却遮断部材としてのテープ１９４を介して仕切り板１６１と結合されている。金属ピン５０１の周囲は断熱材１５２で囲われており、凹部１１１ａと金属ピン５０１の空隙は、空隙埋設部材（図示せず）で埋められている。
【０６２２】
以上のように構成された冷蔵庫について、以下その動作、作用を説明する。伝熱接続部材である金属ピン５０１は、緩衝材である断熱材１５２を介して冷却されるので、金属ピン５０１と熱的に接続している水収集部５０３に野菜室１０７の高湿空気が結露し、水５１２が生成する。この水５１２は、水路５０９に導かれ流路５０５へと流れる。
【０６２３】
一方、ポンプ５１０が動作すると、野菜室１０７からの空気を吸い込み、流路５０７、５０８、５０６を経由して、流路５０５から流路５０４へ比較的早い空気が流れる。流路５０５では、上記のように水路５０９から水５１２が供給されるので、流路５０６からの早い空気流と混合され、霧化先端部５０２の噴霧口１３２からはミスト状の流体が噴霧される。
【０６２４】
そして、発生したミストは、野菜室１０７に噴霧され、その収納食品に潤いをあたえ、これにより保鮮性が向上する。
【０６２５】
以上のように、本実施の形態においては、熱伝導部材である金属ピン５０１を冷凍室吐出風路１４１で冷却し、これによって水収集部５０３で水を生成している。生成した水を金属ピン５０１の内部に形成した流路５０５へ流しこみ、別の流路５０６、５０７、５０８からポンプで空気を流し、それらと混合してミストを生成している。生成したミストにより、野菜室１０７を加湿することができ、野菜の保鮮度を向上することができる。
【０６２６】
（実施の形態１９）
これまでの実施の形態では、静電霧化装置を冷蔵庫に用いた説明をしてきた。しかしながら、上記実施の形態で説明したミストを噴霧する静電霧化装置は、冷蔵庫以外にも、冷却源を備えた冷却機器として空気調和機等にも応用することができる、また、冷却機器に限定せずにミストを噴霧する空間と、金属ピンを備える空間とが大きな温度差を有する場合には同様の技術思想を用いることができ、例えば食器洗浄機、洗濯機、炊飯器、掃除機など、各種機器に用いることができる。
【０６２７】
本実施の形態では、静電霧化装置を空気調和機に用いた例を説明する。空気調和機は、通常冷媒配管で互いに接続された室外機と室内機とで構成されており、本実施の形態では、空気調和機の室内機を例に説明する。
【０６２８】
図３２は本発明の実施の形態１９における静電霧化装置を用いた空気調和機の室内機を示す一部切欠斜視図である。図３３は図３２に示す空気調和機の断面構成図である。
【０６２９】
本実施の形態では、実施の形態１〜１８で説明した構成と異なる部分を中心に詳細な説明を行い、実施の形態１〜１８と同一構成である部分および同一の技術思想が適用できる部分については、詳細な説明を省略する。
【０６３０】
室内機は、本体６０２に室内空気を吸い込む吸込口として前面吸込口６０２ａおよび上面吸込口６０２ｂを有し、前面吸込口６０２ａには開閉自在の可動前面パネル（以下、単に前面パネルという）６０４を有しており、空気調和機停止時は、前面パネル６０４は本体６０２に密着して前面吸込口６０２ａを閉じているのに対し、空気調和機運転時は、前面パネル６０４は本体６０２から離反する方向に移動して前面吸込口６０２ａを開放する。
【０６３１】
本体６０２の内部には、前面吸込口６０２ａおよび上面吸込口６０２ｂの下流側に設けられ空気中に含まれる塵埃を除去するためのプレフィルタ６０５と、このプレフィルタ６０５の下流側に設けられ前面吸込口６０２ａおよび上面吸込口６０２ｂから吸い込まれた室内空気と熱交換するための熱交換器６０６と、熱交換器６０６で熱交換した空気を搬送するための室内ファン６０８と、室内ファン６０８から送風された空気を室内に吹き出す吹出口６１０を開閉するとともに空気の吹き出し方向を上下に変更する上下羽根６１２と、空気の吹き出し方向を左右に変更する左右羽根６１４とを備えている。また、前面パネル６０４の上部は、その両端部に設けられた複数のアーム（図示せず）を介して本体６０２の上部に連結されており、複数のアームの一つに連結された駆動モータ（図示せず）を駆動制御することで、空気調和機運転時、前面パネル６０４は空気調和機停止時の位置（前面吸込口６０２ａの閉塞位置）から前方に向かって移動する。上下羽根６１２も同様に、その両端部に設けられた複数のアーム（図示せず）を介して本体６０２の下部に連結されている。
【０６３２】
また、熱交換器６０６の一部には、静電ミストを発生させて室内空気を浄化する空気清浄機能を有する静電霧化装置１３１が設けられている。
【０６３３】
上記のように、図３２は前面パネル６０４および本体６０２を覆う本体カバー（図示せず）を取り除いた状態を示しており、図３３は室内機本体６０２と静電霧化装置１３１との接続位置を示している。
【０６３４】
図に示されるように、静電霧化装置１３１は、熱交換器６０６が吸込み空気と熱交換される下流側に設置されている。
【０６３５】
静電霧化装置１３１は、主に霧化部１３９、およびＡＢＳなどの樹脂で成型された外郭ケース１３７で構成される。外郭ケース１３７には、噴霧口１３２と湿度供給口（図示せず）が形成されている。霧化部１３９は、霧化先端部である霧化電極１３５と、霧化電極１３５を一端部のほぼ中心に固定する金属ピン１３４と、霧化電極１３５に電圧を印加する電圧印加部（図示せず）とで構成される。金属ピン１３４は、アルミニウムやステンレス、真鍮などの良熱伝導部材からなる電極接続部材から構成される。
【０６３６】
この伝熱接続部材である金属ピン１３４は、一端からもう一端に冷熱を熱伝導で効率よく伝導させるため、その周囲は断熱材（図示せず）で覆われていることが望ましい。
【０６３７】
また、長期的に霧化電極１３５と金属ピン１３４の熱伝導の維持も必要であるので、接続部に湿度などの侵入を防止するためにエポキシ部材などを流しこみ、熱抵抗を抑え、さらに、霧化電極１３５と金属ピン１３４を固定する。また、熱抵抗を低下させるために霧化電極１３５を金属ピン１３４に圧入などにより固定してもよい。
【０６３８】
伝熱接続部材である金属ピン１３４が外郭ケース１３７に固定され、金属ピン１３４自体は外郭から突起した凸部を有して構成されている。この金属ピン１３４は霧化電極１３５と逆側に凸部を有する形状で、凸部が熱交換器６０６の内部に冷媒が流れる配管の一部に接触もしくは固定されている。
【０６３９】
また、金属ピン１３４の冷却手段は、熱交換器６０６での冷却を用いている。金属ピン１３４は熱伝導性のよい金属片で形成してあるので、冷却部は、熱交換器６０６の内部を冷媒が流れる配管６０６ａからの熱伝導だけで霧化電極１３５の結露に必要な冷却を行うことができ、霧化部先端に結露生成を行うことが可能となる。
【０６４０】
また、本実施の形態において、静電霧化装置１３１は図２６の矢印で示す吐出冷気の風路上に備えるものであり、これによって室内へ吐出される冷気の中でも流速の高い吹き出し冷気に静電付加されたミストを混在させて室内へと噴霧することができるので、より室内でのミストの拡散性が高く、本実施の形態のように静電ミストすなわちＯＨラジカルを含んだミストを噴霧することでより室内等の噴霧空間における湿度の向上や、拡散性の向上による殺菌性や抗菌効果を向上させることが可能となる。
【０６４１】
さらに望ましくは吐出冷気の下流側すなわち室内機内の風路上において、前面吸込口６０２ａおよび上面吸込口６０２ｂ等の吸込口よりも冷気の吐出口である吹出口６１０に近い箇所に設けることが望ましく、これによって上記に記載のような風速の大きい冷気にミストを混在させることで室内における拡散性を高めるとともに、より室内までの到達経路において風路抵抗となるような障害物が少ないので、ミストがそのままの形すなわち本実施の形態においては静電ミストすなわちＯＨラジカルを含んだミストがＯＨラジカルを失うことなくそのままの形で噴霧されるので、室内等の噴霧空間における湿度の向上や、拡散性の向上による殺菌性や抗菌効果を向上させることが可能となる。
【０６４２】
このように簡単な構造で冷却部を構成することができるので、故障が少なく信頼性が高い霧化を実現することができる。また、冷凍サイクルの冷却源を利用して伝熱接続部材である金属ピン１３４および霧化先端部である霧化電極１３５の冷却を行うことができるので、省エネルギで霧化を行うことができる。
【０６４３】
さらに、霧化部１３９の近傍に電圧印加部が構成され、高電圧を発生する電圧印加部の負電位側が霧化電極１３５と、正電位側が対向電極１３６とそれぞれ電気的に接続されている。
【０６４４】
霧化電極１３５近傍では、ミスト噴霧のため、常に放電が起こるため、霧化電極１３５先端では、磨耗を生じる可能性がある。空気調和機も冷蔵庫と同様に、一般に１０年以上の長期間に渡って運転することになる。したがって、霧化電極１３５の表面は、強靭な表面処理が必要であり、例えば、ニッケルメッキ、および金メッキや白金メッキを用いることが望ましい。
【０６４５】
対向電極１３６は、例えば、ステンレスで構成されていて、また、その長期信頼性を確保する必要があり、特に異物付着防止、汚れ防止するため、例えば白金メッキなどの表面処理をすることが望ましい。
【０６４６】
電圧印加部は、空気調和機本体の制御部と通信、制御され、空気調和機本体もしくは静電霧化装置１３１からの入力信号で高圧のＯＮ／ＯＦＦを行う。
【０６４７】
以上のように構成された本実施の形態について、以下その動作、作用を説明する。熱交換器６０６に静電霧化装置１３１は固定されており、その冷却源である熱交換器６０６の内部を冷媒が流れる配管６０６ａからの熱伝達もしくは熱伝導により金属ピン１３４が冷却され、熱的につながった霧化電極１３５も冷却され、その先端の水滴が発生する。この霧化電極１３５の先端の水滴に高圧を印加することにより微細ミストを発生させる。静電霧化装置１３１で発生したミストは、電荷を保有しているため、熱交換器６０６に吸い寄せられないように、ミスト発生後はＡＢＳなどの樹脂で形成されたサイレンサと兼用した専用風路を介して、被空調室内に放出させるとよい。
【０６４８】
放出した微細ミストは、被空調室内に対流し、拡散する。拡散したミストは、被空調室内の衣類や家具などに付着する。このとき、ミストが保持するラジカルにより、除菌や脱臭などが可能なり、室内を快適な空間にする。
【０６４９】
ここで、空気調和機の場合、冷房時においては、室内機の熱交換器６０６を通過した低温の空気は相対湿度が高く、静電霧化装置１３１の霧化電極１３５は、周囲環境より温度が若干低ければ、霧化電極１３５に結露するので、霧化に対して電力は極めて少なくなる。
【０６５０】
さらに、静電霧化装置１３１の周辺には、加熱部を併用することにより霧化電極１３５の温度調整も可能となる。このことにより、安定した霧化を提供できる。
【０６５１】
また、本実施の形態のように金属ピン１３４を介して熱交換器６０６の低温配管で霧化先端部である霧化電極１３５を冷却し結露させるタイプの静電霧化装置１３１では、熱交換器が低温となっている冷房時にのみ結露が行われるものであるので、冷房時に限定してミスト噴霧を行うこととなる。このように、暖房時においては霧化先端部に対して結露が行われずミスト噴霧が行われない為、例えば静電霧化装置１３１は停止しておいてもよく、また暖房時においては結露が行われないが、マイナスイオンの発生については静電霧化装置１３１を動作させることで行うことが可能となるので、暖房時にはマイナスイオン発生器として静電霧化装置１３１を利用することも可能である。
【０６５２】
さらに、加熱部を用いなくても、一定時間、冷却を停止し、ファンのみを運転させることにより、霧化電極を被空調室内の乾燥空気で乾燥させ、過剰結露を防止することもできることにより信頼性を向上することができ、安定した霧化が実現できる。
【０６５３】
以上のように、本実施の形態においては、空気調和機の熱交換器６０６近傍に静電霧化装置１３１を設置することにより、ミストが被空調室内の衣類や家具などに付着する。このとき、ミストが保持するラジカルにより、除菌や脱臭などが可能なり、室内を快適な空間にできる。
【０６５４】
以上のように、静電霧化装置を食器洗浄機、洗濯機、炊飯器、掃除機などの各種機器に用いることにより、省エネルギーでかつ簡単な構成でミスト噴霧による除菌、殺菌、脱臭などの効果を得ることができる。
【産業上の利用可能性】
【０６５５】
以上のように、本発明にかかる冷蔵庫は、簡単な構成で安定的に貯蔵室へ微細ミストを供給することができるので、家庭用又は業務用冷蔵庫もしくは野菜専用庫に対して実施することはもちろん、野菜などの食品低温流通、倉庫などの用途にも適用でき、さらにはエアコン等の冷却機器および、冷却機器に限定せずにミストを噴霧する空間と、金属ピンを備える空間とが大きな温度差を有する場合には同様の技術思想を用いることができ、例えば食器洗浄機、洗濯機、炊飯器、掃除機など、各種機器に用いることができる。
【図面の簡単な説明】
【０６５６】
【図１】本発明の実施の形態１における冷蔵庫の縦断面図
【図２】本発明の実施の形態１における冷蔵庫の野菜室近傍の正面図
【図３】本発明の実施の形態１における図２のＡ−Ａ部の静電霧化装置近傍の詳細断面図
【図４】本発明の実施の形態１における霧化電極の温度挙動と霧化状態を示す放電電流モニター電圧値を示した実験結果を示す図
【図５】本発明の実施の形態１における霧化電極温度と霧化電極近傍湿度の相関から求められた結露適正範囲を示した実験結果を示す図
【図６】本発明の実施の形態１における機能ブロック図の一例を示す図
【図７】本発明の実施の形態１における制御フロー図の一例を示す図
【図８】本発明の実施の形態２における図２のＡ−Ａ部の静電霧化装置近傍の詳細断面図
【図９】本発明の実施の形態３における図２のＡ−Ａ部の静電霧化装置近傍の詳細断面図
【図１０】本発明の実施の形態４における図２のＡ−Ａ部の静電霧化装置近傍の詳細断面図
【図１１】本発明の実施の形態５における静電霧化装置近傍の詳細断面図
【図１２】本発明の実施の形態６における図２のＡ−Ａ部の静電霧化装置近傍の詳細断面図
【図１３】本発明の実施の形態７における図２のＡ−Ａ部の静電霧化装置近傍の詳細断面図
【図１４】本発明の実施の形態８における図２のＡ−Ａ部の静電霧化装置近傍の詳細断面図
【図１５】本発明の実施の形態９における冷蔵庫の野菜室近傍の断面図
【図１６】本発明の実施の形態９における図１５のＢ−Ｂ部の仕切り壁の平面図
【図１７】本発明の実施の形態９における図１６のＣ−Ｃ部の仕切り壁の正面図
【図１８】本発明の実施の形態１０における図２のＡ−Ａ部の超音波霧化装置近傍の詳細断面図
【図１９】本発明の実施の形態１１における図２のＡ−Ａ部の静電霧化装置近傍の詳細断面図
【図２０ａ】本発明の実施の形態１１におけるタイムチャート
【図２０ｂ】本発明の実施の形態１１におけるタイムチャート
【図２０ｃ】本発明の実施の形態１１におけるタイムチャート
【図２０ｄ】本発明の実施の形態１１におけるタイムチャート
【図２１】本発明の実施の形態１２における図２のＡ−Ａ部の静電霧化装置近傍の詳細断面図
【図２２】本発明の実施の形態１３における冷蔵庫の野菜室近傍の断面図
【図２３】本発明の実施の形態１３における別形態の冷蔵庫の野菜室近傍の断面図
【図２４】本発明の実施の形態１３における図２３のＣ−Ｃ部の静電霧化装置近傍の詳細平面図
【図２５】本発明の実施の形態１４における冷蔵庫の野菜室近傍の断面図
【図２６】本発明の実施の形態１５における冷蔵庫を左右に切断した場合の断面を示す縦断面図
【図２７】本発明の実施の形態１５における冷蔵庫の冷却サイクルの概略図
【図２８】本発明の実施の形態１５の冷蔵庫における野菜室に備えた静電霧化装置の周辺部の断面図
【図２９ａ】本発明の実施の形態１６の冷蔵庫における野菜室の周辺部の断面図
【図２９ｂ】本発明の実施の形態１６の冷蔵庫における野菜室に備えた静電霧化装置の周辺部の断面図
【図３０】本発明の実施の形態１７の冷蔵庫における野菜室周辺部の断面図
【図３１】本発明の実施の形態１８における冷蔵庫の野菜室近傍の断面図
【図３２】本発明の実施の形態１９における静電霧化装置を用いた空気調和機の室内機を示す一部切欠斜視図
【図３３】図３２に示す空気調和機の断面構成図
【図３４】従来の冷蔵庫の超音波霧化装置近傍の縦断面図
【図３５】従来の冷蔵庫の超音波霧化装置の要部を示す拡大斜視図
【符号の説明】
【０６５７】
１００  冷蔵庫
１０１  断熱箱体
１０２  外箱
１０３  内箱
１０４  冷蔵室
１０５  切替室
１０６  製氷室
１０７  野菜室
１０８  冷凍室
１０９  圧縮機
１１０  冷却室
１１１  奥面仕切り壁
１１１ａ  凹部
１１２  冷却器
１１３  冷却ファン
１１４  ラジアントヒータ
１１５  ドレンパン
１１６  ドレンチューブ
１１７  蒸発皿
１１８  扉
１１９  下段収納容器
１２０  上段収納容器
１２２  蓋体
１２３  第一の仕切り壁
１２４  野菜室用吐出口
１２５  第二の仕切り壁
１２６  野菜室用吸込口
１３１  静電霧化装置
１３２  噴霧口
１３３  電圧印加部
１３４  金属ピン（伝熱接続部材）
１３４ａ  凸部
１３５  霧化電極
１３６  対向電極
１３７  外郭ケース
１３８  湿度供給口
１３９  霧化部
１４１  冷凍室吐出風路
１４６  制御手段
１５１  奥面仕切り壁表面
１５２  断熱材
１５４  仕切り壁ヒータ
１５５  断熱材凹部
１５６  低温風路
１５８  金属ピンヒータ
１６１  冷却室仕切り壁
１６２  断熱材突起部
１６５  貫通部
１６６  金属ピンカバー
１６７  開口部
１９１  凸部
１９２  孔（噴霧口）
１９３  湿度供給口
１９４  テープ（冷気遮断部材）
１９６  空隙
１９７ａ，１９７ｂ，１９７ｃ，１９７ｄ  空隙埋設部材
２０１  ペルチェモジュール（ペルチェ素子）
２０２  霧化電極側熱伝導部材
２０３  風路側熱伝導部材
２０４  熱交換部材
３０１  冷却器
４０１  冷却室仕切り壁
４０２  断熱材突起部
４０３  金属ピンヒータ
４０５  貫通部
４０６  金属ピンキャップ
４０７  孔開口部
４１１  断熱材
４１２  冷凍室側仕切り板
４１３  野菜室側仕切り板
４１４  仕切り壁
４１６  ミスト吐出口
４１７  ミスト風路
４１８  ヒータ
４２１  野菜室吸込み風路
４２２  野菜室吐出風路
４２３  ミスト吸込み口
４６０  ホーン型超音波霧化装置
４６１  ホーン部
４６２  電極部
４６３  圧電素子
４６４  電極部
４６５  金属ピン
４６７  外郭ケース
４６８  結露水
４６９  噴霧口
４７１  霧化部
５５１  仕切り壁
５５２  野菜室吐出風路
５５３  野菜室吸込み風路
５５４  空気流通孔
５５５  霧化装置用冷却風路
６０１  変温室
６０２  ダンパ
６０３  低温側蒸発器
６０４  高温側蒸発器
６０５  第１の仕切り壁
６０６  第２の仕切り側
６０７  凝縮器
６０８  三方弁
６０９  低温側キャピラリ
６１０  高温側キャピラリ
６１１  変温室側冷却風路
６１２  冷凍室側冷却風路
６１３  変温室奥面仕切り壁
６１４  冷凍室奥面仕切り壁
６２１  仕切り板
６２２  冷蔵室用ファン
６２３  冷蔵室仕切り板
６２４  冷蔵室風路
６２５  変温室吐出口
６２６  変温室吸込口
【図１】
0005251228.tif 000002
【図２】
0005251228.tif 000003
【図３】
0005251228.tif 000004
【図４】
0005251228.tif 000005
【図５】
0005251228.tif 000006
【図６】
0005251228.tif 000007
【図７】
0005251228.tif 000008
【図８】
0005251228.tif 000009
【図９】
0005251228.tif 000010
【図１０】
0005251228.tif 000011
【図１１】
0005251228.tif 000012
【図１２】
0005251228.tif 000013
【図１３】
0005251228.tif 000014
【図１４】
0005251228.tif 000015
【図１５】
0005251228.tif 000016
【図１６】
0005251228.tif 000017
【図１７】
0005251228.tif 000018
【図１８】
0005251228.tif 000019
【図１９】
0005251228.tif 000020
【図２０ａ】
0005251228.tif 000021
【図２０ｂ】
0005251228.tif 000022
【図２０ｃ】
0005251228.tif 000023
【図２０ｄ】
0005251228.tif 000024
【図２１】
0005251228.tif 000025
【図２２】
0005251228.tif 000026
【図２３】
0005251228.tif 000027
【図２４】
0005251228.tif 000028
【図２５】
0005251228.tif 000029
【図２６】
0005251228.tif 000030
【図２７】
0005251228.tif 000031
【図２８】
0005251228.tif 000032
【図２９ａ】
0005251228.tif 000033
【図２９ｂ】
0005251228.tif 000034
【図３０】
0005251228.tif 000035
【図３１】
0005251228.tif 000036
【図３２】
0005251228.tif 000037
【図３３】
0005251228.tif 000038
【図３４】
0005251228.tif 000039
【図３５】
0005251228.tif 000040